(57)【要約】  取付装置及びシステム及びその製造方法が提供される。実装装置は、被取付面に取り付けられるビア間の磁気吸引力の異なる面係合移動面の磁石にあるオブジェクトが、近接取付装置、に係合し得る一方の磁性面を奥側に移動して、係合する他の磁気面。組み合わせた磁気力を支持するよう構成される特定のオブジェクトを、前記取付装置が設計されている。  係合および/または係合から前記対象物の取付装置を提供することができる発生による段階度、および/または階層的に
2017534305.tif 000002
【特許請求の範囲】
【請求項１】
装置を取付対象物の取付面、ことを特徴とする：
ベイを受けるように構成された複数のモジュール型装置構成要素；
モジュール式の第1のマグネット取付を定めるように構成され一一の平面、
モジュール式の係合部材を有する複数の係合部材部品、少なくとも(1つ)の前記係合部材の構成要素が応答するように構成される磁気；
前記複数のモジュール型装置コンポーネントが受信されるベイ、モジュール式の係合部材に対して配置されてモジュール式の第1のマグネット取付部ラインに沿って係合は、第1の平面と交差する；
前記ベイを実質的に防止するように上記複数のモジュラー装置部品の線に沿って係合；
前記モジュール式係合部材は、少なくとも(1つ)の前記複数の係合部材の構成要素との間で移動可能な拡張状態と格納状態との線に沿って係合；
前記モジュール式第1取付磁石及びモジュール式係合部材は、協働と係合する被搭載物を全係合力、
離脱力の合計よりも少ない締結力の印加を取付け対象物に克服する全係合力段階的に順次に抗して各係合に関連する力のモジュラ取付け磁石及びモジュール式の係合部材の係合を解除するオブジェクト。
【請求項２】
請求項(1)に記載のベイは、装置内伝送経路を提供するように構成される電気的に接続され、任意の前記複数のモジュラー装置されたベイの
【請求項３】
請求項2記載の装置は、少なくとも(1つ)の前記複数のモジュラー装置部品は、モジュール式の充電器支持体を支持するように構成される複数のインターフェースコネクタ、前記モジュラー式の係合部材を支持するよう構成される複数の機器用コネクタ、前記実装装置を支持するよう構成され、通過電力及びデータに対してusb3.1仕様。
【請求項４】
請求項(2)に記載の装置において、前記第1のマグネット取付は、複数の電磁石で支持されているモジュラ保持板、前記モジュール保持板は、前記電気的に係合装置の伝送路。
【請求項５】
請求項(2)に記載の装置、前記モジュラー式の係合部材を構成して課金関係を確立することができる、被装着物。
【請求項６】
請求項(5)に記載の装置、前記装着装置が前記帯電関係に保つような実装装置及び物体少なくとも一つの物体又は取付装置が他方に対して回転する少なくとも一つの物体又は取付装置。
【請求項７】
請求項1記載の装置において、複数のモジュラ装置構成要素を支持するよう構成される少なくとも(1つ)の電気接続インタフェース、該装置の伝送路が設定された段階で、各連続するそれぞれの一方を複数のモジュラー装置コンポーネントが受信されるベイ。
【請求項８】
請求項(1)に記載のベイを支持するよう構成される各実質的に雄のモジュラ。係合部材および実質的に雌のモジュール係合部材。
【請求項９】
請求項(1)に記載のベイは構造的に係合する複数のモジュラベース面。
【請求項１０】
請求項2記載の装置部分のベイが受け取るように構成された複数の交換可能なモジュール式構成要素。
【請求項１１】
請求項(2)に記載の装置に少なくとも(1つ)の複数のモジュラ装置構成要素は、押しボタンスイッチ。
【請求項１２】
項(1)に記載の装置、少なくとも(1つ)の前記複数のモジュール型装置コンポーネントは、モジュール式の係合部材であって、装置係合ラッチ。
【請求項１３】
項(1)に記載の装置に少なくとも(1つ)の複数のモジュラ装置構成要素がモジュール式筐体。
【請求項１４】
請求項(2)に記載の装置に少なくとも(1つ)の複数のモジュラ装置構成要素がモジュール式カード、前記モジュラカードを構成する電気的に係合装置の伝送路。
【請求項１５】
前記装置が任意の請求項(2-14)、装着装置によってさらに特徴付けられるモジュラプラグアダプタ、前記モジュラプラグアダプタが適合するように構成され商用電源装置は伝送路である
【発明の詳細な説明】
【技術分野】
【０００１】
技術分野本発明は、方法、システム、および装置を解除可能に係合する複数の本文。特に、各種機構を取り付け及び取り外すオブジェクト段階について説明する。
【背景技術】
【０００２】
多数の解決策が存在し、取り付ける、連結する、またはそうでなければ結合する二つ又はそれ以上のオブジェクト、は多くの理由がオブジェクトが取り付けられる必要。より少ない溶液も、取付機能を提供する。
潜在的に実装可能なオブジェクトは、様々な寸法、形状及び重量の共通の実装方法は広く変化する形態および機能。一般に、利用可能な取付け手段を必要とする機械的締結具を取り付けるための物体、特に相対的に大きいか重い物体を多くの場合に必要となるツール及び設置時間。工具レス実装方法等に依存するスナップ機構、が早いけれどもは、ユーザに要求される適用精度、しばしば、圧力集中をオブジェクト実装時。同様の介入も必要とされる放出のためのオブジェクト。クイックマウントの溶液、例えば、吸引マウント及び磁気マウントは、典型的には、有用な比較的軽量な物体、これらのマウントは、多くの場合、相対的に安全でないとより生じやすい不用意な外れも前述の手段。加えて、構成されている場合に、より重い物体またはより高いセキュリティを提供する、クイックマウントの解決方法では、より大きな保持力が必要である以上にアタッチメントを単独で担持させるために対象物の重量の、そのような強い保持力は、ユーザが不要な剥離が困難又は取外しの対象。
従って、当該技術分野において必要である単純なスケーラブルである、かつコスト効率的な装置およびシステムを取り付け及び/又は取付を様々な大きさの対象物、形状、及び重みの異なる搭載表面をすることを可能にする、迅速で容易な取り付け及び解除をオブジェクト。
される図面の簡単な説明
このように本発明を一般的な用語を参照するが、添付図面、必ずしも縮尺通りではないことを特徴とする：
図(1)の分解図を示している実装装置および公称物体、非係合に係る構成を、本発明の実施の形態；
図2-図4の相対移動面によれば、本発明の例示的実施形態；
図(5)の分解図を示している実装装置および公称物体に係合していない構成の他の実施形態に係る本発明；
図(6(a)-(c)に示す実装装置によれば、本発明の別の実施形態；
図(7a)乃至7cするシステムを示す図である対象物を搭載する搭載面を備えた実装装置およびオブジェクトインターフェイスの他の実施形態に係る本発明；
図(8a)から8dに示す実装装置によれば、本発明の別の実施形態；
図(9a)乃至9cに示す実装装置によれば、本発明の別の実施形態；
図(10)に示す実装装置によれば、本発明の別の実施形態；
図(11a-11b)にするシステムを示す図である対象物を搭載する搭載面を備えた実装装置およびオブジェクトインターフェイスの他の実施形態に係る本発明；
図(12)に示す実装装置の他の例示的な実施形態では、本発明；
図(13)に示すシステムは、対象物を搭載する搭載面を備えた実装装置およびオブジェクトインターフェイスの他の実施形態に係る本発明；
図(14)に示す実装装置の他の例示的な実施形態では、本発明；
図(15)に示す実装装置によれば、本発明の別の実施形態；
図(16a-16b)に示す実装装置によれば、本発明の別の実施形態；
図(17a-17c)は、実装装置の他の実施形態]本発明；
図(17(d)に示す装着装置及びオブジェクトインターフェイスの他の実施形態に係る本発明；
図(18)に示すシステムは、対象物を搭載する搭載面を備えた実装装置およびオブジェクトインターフェイスの他の実施形態に係る本発明；
図(19)に示すシステムは、対象物を搭載する搭載面を備えた実装装置およびオブジェクトインターフェイスの他の実施形態に係る本発明；
図(20(a)のシステムを示している物体を載置する載置面を備えた実装装置およびオブジェクトインターフェイスの他の実施形態に係る本発明；
図(20(b)は、モジュラコンポーネントオブジェクトインタフェースの他の実施形態に係る本発明；
図(21)に示すシステムを取付対象物の取付面を有する取付装置と被写体とのインターフェイスの他の実施形態に係る本発明；
図(22)に示す概略の正面図であり、複数の電気コネクタの他の実施形態に係る本発明；
図(23)に示すモジュラコンポーネントオブジェクトインタフェースの他の実施形態に係る本発明；
図(24)の部分を示している実装装置およびモジュラコンポーネントオブジェクトインタフェースの他の実施形態に係る本発明；
図(25)に示すシステムは、対象物を搭載する搭載面を備えた実装装置およびオブジェクトインターフェイスの他の実施形態に係る本発明；
図(26)に示す実装装置によれば、本発明の別の実施形態；
図27a-27bするシステムを示す図である対象物を搭載する搭載面を備えた実装装置およびオブジェクトインターフェイスの他の実施形態に係る本発明；
図(28a-28b)に示す実装装置によれば、本発明の別の実施形態；
図28c]モジュール部品の実装装置は、本発明の別の実施形態；
図(28d)の断面図を示しているモジュール部品の実装装置及びモジュール部品オブジェクトインタフェースの他の実施形態に係る本発明；
図(29)に示すオブジェクトインターフェイスの他の実施形態に係る本発明；
図(30)に示すシステムは、対象物を搭載する搭載面を備えた実装装置およびオブジェクトインターフェイスの他の実施形態に係る本発明；
図(31)に示す複数の取付装置によれば、本発明の他の例示態様；
図(32(a)の32b-32bを示す取付装置の他の実施形態に係る本発明；
図(33a-33b)に示す実装装置によれば、本発明の別の実施形態；
図(34)は、オブジェクトインターフェイスの他の実施形態に係る本発明；
図(35)に示す部分が複数のモジュール構成要素オブジェクトインタフェースの他の実施形態に係る本発明；
図(36)に示す装着装置の他の実施形態に係る本発明；
図(37)に示す実装装置の他の例示的な実施形態では、本発明
図(38)に示す複数の取付装置によれば、本発明の他の実施形態である
詳細説明の選択された実施形態
本発明の実施形態についてより詳細に説明する添付図面を参照し、全部ではなく一部の実施形態が示されている。実際に、多種多様な実施形態は、実現可能な範囲内で、本発明の精神および広く適用可能で、多くの技術分野にわたる幾つかの産業用途以外の本明細書に概説した。したがって、本発明に限定されない本明細書に記載する実施例；むしろ、これらの実施形態は、本開示が適用法的要件を満たす。
以下の開示は一般的に記述している方法を解除可能に係合する(1つ)の物理的本体、並びに関連するシステム及び装置。説明の目的で本発明を説明する実装工程。用語このコンテキスト内()例えば、装着、装着装置等)は、説明の目的のために有用である、選択されたコースの説明に限定して解釈されない範囲の説明される方法または実施形態。
なお、実施形態の取付装置と称されるこの開示において機能以外の目的のために取付け。例えば、いくつかの実装本明細書記載の装置に別々に適用されうる2以上の筐体()例えば、本発明の実施形態に適用される各本体)の装置が互いに取り付けられてよく接合する体同士を。このようなシナリオでは、本発明とみなすことができ、取付インターフェースである
また、実施形態では(上述のような)で構成されてもよい。コネクタは、互換性のある接合された場合、一方を他方に接合する装置を容易にすることができる接続体間。したがって、本発明として考えられてもよい接続インタフェースの一部の文脈では、。
また、本発明の一部の実施形態では、構成されてもよく、同じ又は同様の方法のいくつかの実施形態は本明細書に記載した、自身であってもよい他の実装装置を本明細書では説明しない、機能性を向上させる公知の実装装置。したがって、いくつかの状況では、本発明であると考えることができるインターフェースを搭載する。
バラツキを考慮すると、上記で概説されたが、網羅的なものではないと解釈するべきではない制限する本発明の範囲は、代わりに、図示することを意図して広い応用と有用性が適用方法、本明細書の説明で使用する用語のコンテキスト内での実装工程を容易にするために本発明を説明する。この開示のために、用語"オブジェクト"を意味するために使用される任意の物理的な部位を意味する)と係合する取付装置。用語参照しないことに役割はオブジェクト実装の工程。例えば、壁のオブジェクトであってもよい()例えば、ことを意味する係合取付装置)の壁ができないことは、それ自体が装着対象の伝統的意味。このような文脈においてオブジェクトとして説明することができ、オブジェクトインターフェースを装着可能なように壁に壁と係合することができる装置。いくつかの状況では、この用語の意味オブジェクトに拡張できるアイテムまたはデバイスユーザは最終的に希望するマウント()例えば、テレビジョン、塗装、携帯電話、タブレットコンピュータ、棚ユニット等.)。
ここで、"係合"とは、"磁気保持確立される二つ以上の構成要素の間、ステージ取付が完了(まで続く対応ステージの外れが発生した)または、対象物が取り付けられ、装置を介して少なくとも(1つ)の完成したステージ取付(と称されることもある、例えば、部分係合、)用語も参照との物理的接触の(2つ)の面がある。用語"全係合力"とは、標的化()例えば、探索要求など)実質的にピーク正味の磁気力の間で達成される、対象()又は物体interface)及び装置。用語"吸引"あるいは"吸引力"と"はじく"、"反発、"または"反発力"を指すものとする磁気の影響又は相互作用が発生する過程の一部として係合()例えば、磁気力と考えられる進行中ではない係合、以上説明したように、)用語"全体的な締結力"を合計し、各係合の力(種々の段の係合)及び/又は吸引力が発生し、または、本実装時または取り外し処理を、リードまでの()例えば、全体の係止力を増大させる)から離れて()例えば、減少する)を含まない、全係合力、前述のように()たとえば、それが常に全体未満の締結力)。
用語"磁石"とは、任意の材料または成分を磁場に対して応答する、鉄系金属またはその他の材料で応答するように構成される磁気、永久磁石、電磁石、相関磁石、プログラム/コード化マグネット等、あるいはこれらの組み合わせなどがある。
用語"取り付け磁石"を参照することができる磁石または磁石群では、上記のように定義される、または基準あるコンポーネント、装置またはシステムの磁場に対して応答するの
用語"電気的接続"を参照することができる任意の接続のために確立される伝送または交換の電力、データ又は電力及びデータの両方。
用語"コイルオブジェクト"とは、対象物(上記のように定義される)は、無線充電成分が参加するように構成されたワイヤレス充電関係()つまり、ワイヤレス充電デバイス、例えば、ワイヤレス充電ベースステーション、モバイル装置を充電でき、無線など)用語"非コイルオブジェクト"オブジェクトを参照するように構成されない参加無線充電関係()つまり、オブジェクトの互換性のない無線充電装置)別段の指定では、オブジェクトがコイル体または非コイル体。
用語"モジュラー。コンポーネント"を参照することができる任意のコンポーネント、片、部品、特徴などの実装装置においては、対象インタフェース、システム、又はコンポーネントの実装装置、オブジェクトインタフェース、および/またはシステムを取り外し可能に構成された、取り外し可能な及び/又は交換可能な。それに対応して、用語"モジュール"は、一般的に用いて、特定の成分、片部と、特徴、又は部品群、片、部品、特徴などは、取り外し可能、取り外し可能、及び/又は交換可能である
用語"係止締結力"、"ロック可能に係合する"、"ロック係合"という、及び同様の用語は、係合状態の取付装置および物体又はオブジェクトインタフェースの確立に加え、全係合力とを実質的に阻止する係合解除からオブジェクトの実装装置。ロック係止力等によって製造することができる磁気的又は物理的な係合およびは典型的には、補助的作用を作り出すことを目的に係止力、このような回転運動としてオブジェクトの活性化などの機構がロックあるいはラッチ、これに対応して、ロック係止力等、通常まで持続する第2補助的作用は、実質的に反対の作用、の係止を解除して係合力等、物体から離すことができる実装装置。
用語"周辺オブジェクト"を参照することができる任意の物理体対象とされない、上記のように定義される。本明細書で使用される用語のコンテキストを提供する選択された実施形態において、記述および例、で使用される用語を除外しない特定のタイプまたはカテゴリの物体が、対象。例えば、同じ種類の物理的本体()例えば、スマートフォン)対象物と周辺物体の同じ例()例えば、第1のスマートフォンは、前記装着対象物および第2のスマートフォンは、周辺物体)これに対応して、単一の物理的本体()すなわち第1のスマートフォン)対象物と周辺物体の同じ実施形態において、説明、または例である
用語"スマート"、などのような、項目の実装装置、オブジェクトインタフェース、取付システム、モジュール部品、オブジェクト、周辺物体等を実行することができる少なくとも(1つ)の計算機能。少なくとも(1つ)の計算機能を含んでもよいが、これらに限定されない、の機能に共通に関連付けられているなどのモバイルコンピューティング装置は、ソフトウェアを実行する、有線通信または無線通信として参加するノードの(1つ)または複数のネットワーク、この用語が用いられるsuccinctness、明瞭及び説明目的で選択された実施形態において、記述および実施例、このため、と解釈すべきでない範囲を制限するための機能または機能の実施形態を特定しない、スマート。また、実装装置、オブジェクトインターフェイス、実装システム、モジュール部品、周辺物体、などとして識別されるスマートと仮定して支持するように構成され、少なくとも必要なハードウェアおよびソフトウェア構成要素/アプリケーション、これに限定されないプリント回路基板、集積回路、記憶ドライブ()例えば、フラッシュメモリ、ソリッドステートドライブなど)、メモリカードリーダ()すなわちメモリカードスロット、アダプタ、等)、データポート、電源ポート、無線データコンポーネント()例えば、無線通信機は、例えば、wifi、ブルートゥース、nfc等)、セルラー。データ成分()例えば、gsm、cdma、等)、無線データ。モジュールは、加速度計、ジャイロスコープ、gpsチップセット等
用語"カード"とは、部品やモジュール部品の搭載装置、オブジェクトインタフェース、または取付システムを支持するように構成されるプリント回路基板、マザーボードなどと推定される、スマート。上記定義のコンポーネントであるか否かとして具体的に識別されるスマート。したがって、カード支持する構成としても良い少なくとも必要なハードウェアおよびソフトウェア構成要素/アプリケーション、用語"カード部品"を参照することができる任意の成分又は特徴を有するスマート。デバイス()例えば、スマートフォン、タブレットコンピュータ、等)は、限定はしないが、集積回路、記憶ドライブ()例えば、フラッシュメモリ、ソリッドステートドライブなど)、メモリカードリーダ()すなわちメモリカードスロット、アダプタ、等)、データポート、電源ポート、無線データコンポーネント()例えば、無線通信機は、例えば、wifi、ブルートゥース、nfc等)、セルラー。データ成分()例えば、gsm、cdma、等)、無線データ。モジュールは、加速度計、ジャイロスコープ、gpsチップセット等。
用語"単体"は、モジュラコンポーネントしか必要としない電気的な接続や電源()例えば、バッテリ、受信コイル、無線充電等とを一体化することができるモジュール部品)自律的に動作する少なくとも部分的な機能性。この用語はまた、一般的に用いられていることを示すように本体、実装装置が独立で存在し、統合されていない既存の本体である
用語"入力装置"を言うことができる任意の要素または特徴の実装装置、オブジェクト。インターフェースは、取付システムは、モジュラコンポーネント、のオブジェクト、あるいは周辺物体を受け取るよう構成することができる物理的またはからの知覚入力を、例えば、ユーザまたは環境から、限定するものではない近接センサ、触覚センサ、振動センサ、動き検出装置、環境光センサ、ガスセンサ、デジタルカメラ()例えば、写真、ビデオ、ウェブカメラ等)、触覚ボタン、スイッチ、ノブ、レバー等あるいはこれらの組み合わせなどがある。
用語"触覚入力)"は、任意の関連する入力を触覚、プッシュボタンまたは活性化はタッチセンサとしては静電容量型センサ、タッチを介して。
用語"交換部品"とは、"名目上のモジュール部品の搭載装置、オブジェクトインタフェース、および/または実装システムは、複数のモジュール構成要素は、同様の構成に対して構造的に定義された領域()例えば、空間、スロット、レセプタクル、チャンバなど)実装装置、オブジェクトインタフェース、および/または実装システム、部品実装装置、オブジェクトインタフェース、及び/又は取付システムは、前記複数のモジュラコンポーネントと交換可能に着脱している構造的に定義された領域。例えば、利用可能なスロットを実装装置の受信も行うことができる鉄系金属板、カード、又は入力装置当たりの所望の官能性の取付装置、および各鉄系金属板、前記カード、入力装置と同様に構成され得るに対して構造的に定義された領域を該スロット交換可能に嵌合するスロット。従って、この用語は、参照しない機能モジュール以外の部品交換の性質、形状因子である
用語"フィールド操作成分"を言うことができる任意の要素または特徴の実装装置、オブジェクト。インターフェースは、取付システムは、モジュラコンポーネント、や物体を操作するように構成される、変更ブロック、あるいは、影響を及ぼす関連する磁界の少なくとも(1つ)の構成部品の取付装置、オブジェクトインターフェイス、取付システムまたはオブジェクト、これに限定されない強磁性金属板、強磁性金属のキャップまたはカバー、磁気シールド部品、磁束ガイド、この用語は、一般に、構成要素または特徴は、意図を微調整する磁界(S)部品実装装置、オブジェクトインターフェイス、または実装システムの実装等、磁石、強磁性の構成要素の制御等を保護することを意図あるいはシールドの他の構成部分または特徴の実装装置、オブジェクト。インターフェースは、取付システムは、モジュラコンポーネント、または物体に悪影響を及ぼす磁界カードなど、入力デバイスなど。
ここで、"タスク"を参照することができる任意の機能、一連の機能など、実装装置、オブジェクトインタフェース、実装システム、物体、または周辺物体を行うように構成される、限定するものではない機械的機能、電気的機能、演算機能、通信機能、変化を知覚することができる感覚又は感覚デバイス、又はこれらの組み合わせからなる
用語"カード"、"入力装置"という、"フィールド操作コンポーネント"と"タスク"を用いて、選択された実施形態、の説明及び実施例はこの開示をsuccinctnessさ、透明度、説明の便宜上、具体的にはこれらの用語の使用はいくつかの実施形態、の説明および実施例に限定するものではない範囲の能力、機能、コンポーネント、の実施形態の特徴は、同様の又は類似の要素を特定しない"カード"、"入力装置"、"フィールド操作成分"又は"タスク"。
用語"共通"()例えば、"共通部品"、"共通のモジュラコンポーネント"など)特定の構成要素または特徴は、実質的に同一構成の複数の実装装置、オブジェクトインタフェース、取付システムは、モジュール式の構成要素、又はオブジェクトを含んでもよい成分又は特徴。
また、本明細書において、用語"底部"、"上部、"上部"、"下部"、"内側"、"外側、"および同様の用語を使用する説明を簡単にするために、一般に指す位置を特定の構成要素又は部品の実施形態の構成要素は本発明の説明中の様々な時点で、取付や取り外し工程。当然のことながら、そのような用語は用いていないために絶対的な意味で、そのようなものとして、部で説明したコンポーネントは、"外側面"の間のある時点で、実装工程、の内側部に、その装置又はシステムの完了時に、実装工程において、
様々なタイプのオブジェクト、サイズ、形状、重さ等が異なる取り付け条件。例えば、ユーザが希望するマウント小、比較的軽量物体、例えばgps装置の不規則な()例えば傾斜した)表面を車両計器盤。さらに、ユーザは、希望するマウントgps装置を片方の手で(1つ)の簡単な動きを必ずしも持たなく集中位置決めに対する対象物の取付装置。異なるシナリオでは、ユーザが望むことがあるマウント大きく重い物体を比較的垂直面、の場合のような、ユーザが希望する場合にマウント52"プラズマテレビを壁はユーザの家庭。この場合、ユーザがサポートする必要のある物体2手が望む実装動作を達成するために、できるだけ早く、同時に確保し、テレビが正しく固定されないであろう誤って落下し破損する一旦取り付けた後は。時間がかかるオブジェクトオフ取付装置、オブジェクトか否かを大きくまたは小さくする軽又は重、ユーザはやはり望むタスクを達成するには、比較的簡単な方法を加えることにより、少ない手間で可能となる。
従って、本発明の実施例の実装装置は、物体を載置する載置面を磁気。後述の実施形態の実装装置は、少なくとも(2つ)の磁石が配置されている(2つ)の異なる平面内、少なくとも(1つ)の平面を移動可能に構成され他方。移動面が磁石にあるオブジェクトが、近接する実装装置に係合し得る一方の磁性面を奥側に移動して、係合する他の磁気面、前記組み合わせた磁気力()例えば、全係合力)ように構成された装着装置またはシステムがサポートする特定のオブジェクトは、それが設計される
全体で必要とされる磁力を(2つ)のプレーン(以上、以下に説明するように、)、係合および/または係合解除をオブジェクト実装装置から生じ得る段。このように、いくつかの実施形態では、ユーザせ近接させ実装装置実装時に処理することができてもよい徐々に係合させる物体取付装置。換言すれば、対象物に近接させることができる実装装置、磁力の間に創出されるオブジェクトと様々な磁気面における実装装置について説明する、最初に、beの合計より少ない磁気力を最終的に提供する支援対象物とが徐々に増大し、オブジェクトに完全に係合する取付装置。
さらに、またはあるいは、いくつかの実施形態、ユーザは、解除可能から物体搭載装置のステージを順次解放のそれぞれから当該物体に磁気係合面。このような階段状の放出物は、ユーザが適用する離脱力を搭載物より小さい全係合力の間に存在する実装装置と対象物と、対象物が完全に係合する()例えば、表面に設置される)従って、例えば、重量物に係合する取付装置、ユーザは引っ張り合わないオブジェクトオフ取付装置逆の力の合計に等しい()例えば、大きい)力を維持するために使用される対象物に係合する取付装置。むしろ、加えることができる力を克服するのに十分な磁気力と物体との間の一方の磁性面()例えば、の総数よりも少ない締結力を全ての平面)、対象物を除々に切断()例えば、解除、各プレーンから別々に)
また、段階的な係合および係合解除が可能な、実施の形態を以下に説明する本発明、取付装置を提供するように構成できる他の機能を容易にし、装着及び/又は取り外し動作および/または機能を促進し又は高めるために使用する搭載物。例えば、いくつかの実施形態では、取付装置できるようにしてもよい対象物と自己整列取付装置。取付装置は、構造的支持物を様々な重量及び構成()例えば、大きさ、および形状)データを提供し、および電気的接続対象物に係合するオブジェクトを異なる方法。いくつかの実施形態は操作を許可して、係合のオブジェクト()例えば、様々な動きをオブジェクト)のいずれかにより、ユーザ又は装置は対象物に作用する制御された方法。さらなる実施形態は、効果的な係止機構を前記オブジェクト。他の構成も管理する機能によって、物体の一部の解除と再係合する物体。さらに他の実施例が準備装置を係合、外観を変更する装置、及び/又は変更するようにして、装置を係合させることができる。他の構成では、装置が残る目立たないか目立たなくまで使用されることを意味し、
これにより、明らかになるであろう以下の説明及び図面を参照する、本明細書に開示される方法に複数の方法で具体化されてもよい。この自立()例えば、スタンドアロン)装置を構成してもよい、取付けられるように構成された携帯用または固定体()例えば、実装面)には、いくつかの実施形態では、後述の例。さらに、本方法は、既存の本体()例えば、壁、テレビ、フレームアートワーク)、あるいは既存の本体、前記本体が変形し所望の機能を達成する本発明()例えば、本発明の実施形態を組み込む)に記載の既存の構成要素又は特徴体成分として用いられる、本発明の実施形態の特徴、このような実施形態は、部分的に又は完全に本体内に埋め込まれた。他の方法、構成要素、のために必要であり得る実施形態の発明が存在しない体を添加してもよい本体、構成要素、または外形の本体既にを実行するために適した必要な役割の所定の構成部品としても適用することができる。あるいは、必要に応じて変更する；すべての成分を一緒にするように構成された装置の両方で構成される既存の成分と添加成分とを、少なくとも部分的に存在する本体内。後者は、実際には特に有益である、改修体もしばしばそれほど高価でないおよび/またはより侵襲性で埋設する自己完結型装置、および、ある場合には、一体化された態様は、より美的な魅力も自己完結型の装置本体に取り付けられる、
(1つ)の例は、壁が修正、前記方法が印加されるように、壁の物体に取り付けることができる壁、前記構成要素のほとんどを作るように構成される本発明の実施の形態内に隠されて壁に衝突し、視覚的美観の壁を最小に比べて貼付する自己完結型の装置を壁。また、実践上で引用したシステムを提供する、前記装置と被写体とのインターフェース()または(2つ)の装置)を作成することもできる体(いずれの構成や変形例以上説明したように、)するように構成された一致した実装プロセスにおいて、。
この方法は、対象物を搭載する搭載面を支持する第1取付用の磁石と第1の平面；支持する第2取付け磁石は、第2の平面；少なくとも(1つ)の搭載磁石とは独立に移動する他のマグネット取付部ラインに沿って係合と交差する第1の平面と第2の平面；の移動を制限する少なくとも(1つ)の磁石との間を移動可能でそれぞれの外側限界位置と各ベース限界位置；を構成する取付け磁石が協働して被搭載物を全係合力；各外側限界位置の少なくとも一つを装着する磁石を可動な離脱力の合計よりも少ない締結力に適用されて、搭載物体を克服する全係合力により段階的に順次に抗して各係合に付随した力により、前記第1及び第2の取付用磁石を解放する目的である
少なくとも(1つ)の第1または第2の平面は、湾曲面によって規定された。また、一方の磁石組み付け、固定位置を有してよい。例えば、第1の取り付け磁石は固定位置を有し、第2取付磁石は可動であってよい。
第1の実装用磁石は複数の磁石。同様に、第2のマグネット取付は、複数の磁石。
制御力を適用することができる少なくとも(1つ)の搭載用磁石を可動制御する少なくとも移動または機能の少なくとも一つを装着する磁石を可動。制御力をバイアスするように構成される少なくとも(1つ)の磁石は、可動対象物から離れる方向に取り付けられる。制御力をバイアスするように構成される少なくとも(1つ)の磁石側に移動可能な被装着物。さらに、制御力が移動するように構成される少なくとも(1つ)の実装用磁石との間を移動可能でそのそれぞれの外側限界位置およびそのそれぞれのベース限界位置。
制御力は、取り外し可能なように構成してもよい調整可能な、および/または構成の動的な調整を画定するように、各保持位置少なくとも(1つ)の磁石との間を移動可能で、各外側限界位置と各基底限界位置の少なくとも一方の取り付け磁石可動である
制御力であってもよい遠隔的に管理される。また、インターフェースについて構成することができる管理制御力。制御力は、複数の制御力、と各それぞれの制御力を制御するよう構成され得る対応する取付け磁石である
少なくとも(1つ)の実装は、磁石の一部を受け入れるように前記装着対象物。の部分を収容するために装着対象物を構造的に支持するオブジェクトを含んでいてもよい。
構造的に支持する対象物の移動量を制限する対象の1軸方向の相対的な取付装置。あるいはまたは加えて、構造的に支持するオブジェクトは、少なくとも部分的に支持する物の重量。また、一部を受ける被装着物は、案内係合対象物。
少なくとも(1つ)の近距離無線データ転送装置は、近傍に位置する実装目標領域、前記少なくとも(1つ)の近距離無線データ転送装置であってもよい通信範囲に通信コンポーネントに関連付けられたときの前記物体が取り付けられている。あるいは、または、さらに、この少なくとも(1つ)の近距離無線データ転送装置は、通信範囲内の通信コンポーネントは、オブジェクトに関連する被写体が完全係合状態とは、通信範囲外にある通信コンポーネントと、対象物が部分的に解放または完全解放する
少なくとも(1つ)の無線充電装置は、近傍に位置する実装目標領域、前記少なくとも(1つ)のワイヤレス充電装置を構成することができる、充電範囲の互換性のあるワイヤレス充電部品と、対象物が部分的に又は完全に係合する取付装置。
また、少なくとも一方の接続インタフェースをサポートすることができる少なくとも(1つ)の第1または第2の平面。この接続インターフェースは、電気コネクタ。
第1の搭載磁石とされてもよい第1の磁力、第2取り付け磁石とされてもよい第2の磁気力と実質的に反対である第1磁力。
第2実装用磁石を移動可能としてもよく、複数の第2の取付け磁石内でサポートすることができる複数のそれぞれの第2の平面。第2の磁石は、それぞれのベース限界位置と各第2のマグネット取付が実質的に同じ平面にある。第2の磁石を配置してもよい入れ子構成。また、第2の磁石を配置してもよい入れ子式の構成である
各限界位置の少なくとも一つを装着する磁石を可動するようにしてもよい少なくとも(1つ)の搭載用磁石を可動位置へ移動可能に、前記第1及び第2の平面に実質的に一致する。
いくつかの実施形態では、第2取り付け磁石は可動であってよいと第1実装用磁石が固定された位置。
第2実装用磁石を構成してもよいベース限界位置を第2搭載磁石と実質的に一致する第1の平面。あるいは、第2のマグネット装着するようにしてもよい外側の限界位置を第2搭載磁石と実質的に一致する第1の平面。
いくつかの実施形態では、第1のマグネット取付と第2装着磁石は可動であってよい。
各ベース限度位置を第1取付のマグネットと第2のマグネット装着するようにしてもよいそれぞれの基地の制限位置と略同一平面上にある。また、各外側限界位置を第1取付マグネットと第2のマグネット取付、前記各外側の限界位置が実質的に同一平面である
外側限界位置を第1取付。マグネットと前記ベース。限界位置を第2取付磁石を構成してもよい外側限界位置を第1取付。マグネットと前記ベース。限界位置を第2搭載磁石と略同一平面上にある。
少なくとも第1のマグネット取付または第2取付磁石に対して配置してよい実装目標領域を近接装着対象物を前記目標実装面積が少なくとも(1つ)に対して吸着力を少なくとも(1つ)の第1または第2の磁石。少なくとも(1つ)の磁石を可動とする構成の方向に移動され、被搭載物の結果として、少なくとも(1つ)の吸引力。
また、各磁石と各限界位置の少なくとも一つを装着する磁石を可動するようにしてもよい少なくとも(1つ)の吸引力を吸引する少なくとも(1つ)の磁石側に移動可能な各外側限界位置、の範囲を規定するための第1の係合位置にある。
また、磁石と各制限位置のうちの少なくとも一方の一実装する磁石を可動とする構成は、係合の間に各取付磁石前記範囲は、第1の係合位置は結果的に第2の吸引力で、オブジェクトを描画すると非係合のマグネット取付のために一緒に係合、係合力が生成物が載置される前記装置
保持力をバイアスするように構成される少なくとも(1つ)の磁石は、可動対象物から離れる方向に取り付けられる。保持力よりも小さくすることができる少なくとも(1つ)の吸引力。
第3のマグネット装着をサポートすることができる三三の平面にある。第3実装用磁石が取り付け可能に構成され、被装着物に適合させる目的に一致する少なくとも(1つ)の第1または第2の磁石。
第3実装用磁石は複数の磁石。また、第3のマグネット装着する複数の第3磁石に複数の第3の平面。
また、第3のマグネット取付を適用するように構成できる、オブジェクト制御力を伝達する少なくとも(1つ)の第1または第2の磁石。
一実施形態の実装装置、この装置は、中間面に応答するように構成する磁気及び係合部材に対して相対的に配置され、中間面線に沿って、係合。前記係合部材は応答するように構成される磁気、及び少なくとも(1つ)の係合部材の中間面の間で移動可能に構成し、拡張状態と格納状態と。また、沈胴状態では、少なくとも(1つ)の係合部材または前記中間面とを移動方向に付勢しており、被写体から搭載されている
伸長状態では、少なくとも(1つ)の係合部材または前記中間面とを可動側に付勢される被搭載物。への物体の近接を前記係合部材の間の引力にオブジェクトと前記係合部材を係合対象の係合部材、への物体の近接を中間面生成の間の吸着力の前記対象物と前記中間面とを係合させる目的と中間面、前記装置を係合するように構成し、取り付ける対象物ステージを介して各締結力。
少なくとも中間面又は前記係合部材の面は湾曲面によって規定された。中間面、固定位置を有してよい。係合対象の係合部材は、前記オブジェクトを、このような近接中間面への吸着力は、物体との間の中間表面が生成される。係合によりオブジェクトの中間面は、前記オブジェクトを、このような近接して係合部材の吸着力は、物体との間の係合部材を製造する。各吸引力に関連する係合部材と前記中間面は協働してオブジェクトを生成することができる合計の間の嵌合力装置および物体である
このようにすることができる解除力の印加を取付け対象物に順次克服する各係合に付随した力により、この中間面と前記係合部材の係合を解除するオブジェクト。したがって、離脱力よりも小さくされている全係合力。
係止部材は、略面一となるように中間面()例えば、沈胴状態)。
この装置は、制御構成要素を加えるように構成する制御力を少なくとも(1つ)の係合部材または中間面制御少なくとも移動または機能のうちのそれぞれの(1つ)の係合部材または中間面。制御コンポーネントは、バイアスするように構成される係合部材に向けて退避状態、または制御成分をバイアスするように構成される係合部材に向けて伸ばした状態。更に、又は、あるいは、制御コンポーネントに移動させてもよい間で前記係合部材を後退位置と伸長位置との。
制御部品を構成してもよい制御力は調整可能である、可能であってもよい遠隔的に管理される、および/または取り外し可能であってもよい。
制御コンポーネントは、マグネットで構成し。例えば、制御コンポーネントは、電磁石である
制御部品を保持することができる係合部材延長位置。また、制御部品は、前記係合部材の後に自動的に後退してオブジェクトが装置から切り離さ。
制御コンポーネントは、相対移動可能に構成されライン係合。制御コンポーネントは、複数の制御部品、前記制御コンポーネントは、コントロール用に構成され少なくとも移動または機能のうちの対応する係合部材又は中間面。
前記係合部材は、延長部と面接合する延長。この係合部材は、構造的に支持するオブジェクトの係合を介してオブジェクトの少なくとも一部分と延長。さらに、またはあるいは、延長部は、支えるように構成された少なくとも一部の物体の重量の。
この係合部材の移動を制限するためにオブジェクトを1軸方向の前記装置。延長部を形成するように構成できる位置に係合部材の少なくとも一方に、拡張状態又は格納状態となる
中間面は装置を構成することができる少なくとも一部分を受け入れる少なくとも(1つ)の係合部材または被装着物。この中間面を画定することができるように構成された開口を摺動可能に受け入れるの少なくとも第1の部分が、前記係合部材に、実質的に位置合わせする線接触の中心軸に沿って前記係合部材の係合部材との間で移動を拡張状態と格納状態。中間面は、室から延びる部分の中間表面開口部を画定する、前記室を構成してもよい滑動可能に第2の部分を受け入れる係合部材、前記第1部分が、前記係合部材は異なる幅を有する第2部分よりも。
チャンバを画定することができる第1の深さと前記係合部材を画定してもよい第2の深、前記第1の深さは第2の深さより。
中間面を構成してもよいを構造的に支持することが可能となる。さらに、またはあるいは、中間面を支えるように構成された少なくとも一部の物体の重量の。また、中間面を構成してもよい移動を制限する物体1軸方向の前記装置である
この装置は、少なくとも(1つ)の近距離無線データ転送装置を支持してもよい中間面又は前記係合部材。少なくとも(1つ)の近距離無線データ転送装置によってサポートされ得る中間面とが無線通信可能な電子機器を近接させる近距離無線データ転送装置。また、係合部材は、前記少なくとも(1つ)の狭無線データ転送装置と無線通信することができる電子装置前記オブジェクトが完全に係合するように装置ができない無線通信する電子装置と、対象物が部分的に解放またはから完全に係合解除装置。
この装置は、少なくとも(1つ)の無線充電装置を支持してもよい中間面又は前記係合部材。少なくとも(1つ)のワイヤレス充電デバイスによってサポートされ得る中間面ができるワイヤレスで充電する電子機器を近接させるワイヤレス充電装置。
少なくとも(1つ)の係合部材又は中間面が支持するように構成される少なくとも(1つ)の接続インターフェース。少なくとも(1つ)の接続インタフェース送信するよう構成され得る少なくともデータまたは電気の実装対象物と、対象物が係合する装置である
少なくとも(1つ)の係合部材または中間面をバイアスするように構成され装着対象物を予め定められた装着姿勢の係合の前に、対象の装置。
少なくとも(1つ)の係合部材または中間面は、少なくとも(1つ)の電磁石。
この係合部材は、複数の係合部材。少なくとも(1つ)の係合部材が応答するように構成できる磁気、各締結部材が動かされるように構成されるとともに独立してそれぞれのラインを係合する他方の係合部材。各係合部材は、延長部と面接合する延長、その延長部を形成するように構成できる位置に係合部材の少なくとも一方に、拡張状態又は格納状態。
延長部は、係合部材を画定することができる深さの深さが少なくとも(2つ)の前記係合部材は異なっていてもよい。
前記係合部材は、複数の係合部材部品、及び少なくとも(1つ)の係合部材成分が応答するように構成できる磁気。複数の係合部材の構成要素を構成してもよいように互いに関連してそれらが入れ子式の構成。拡張状態では、複数の係合部材構成要素を形成していてもよい伸縮式の係合部材に向けて延びるように被装着物。また、沈胴状態において複数の係合部材の構成要素は、実質的に面一の中間面。また、退避させた状態で、複数の係合部材の構成要素を形成することができる伸縮式コンセント。また、伸長状態において、複数の係合部材の構成要素は、実質的に面一と中間面である
いくつかの実施形態において、オブジェクトインタフェースも提供され、上述のように、を取り付け可能に構成され、対象物()例えば、装置またはアイテムにユーザが希望するマウント)係合を容易にするための物体取付装置。オブジェクト。インターフェースは、(1つ)または複数の磁石を含むように構成された吸引または吸着することができる対応する磁石取付装置。このように、オブジェクト。インターフェースは、幾つかの実施形態、一体化できる装置または物品に取り付けられ()例えば、その装置の構成要素またはアイテム自体)の一部の被覆または他の取り付け具またはアクセサリを装置または物品、又は他の方法で構成されている装置又は物品。実装装置においては、対象インタフェースを構成してもよい多くの方法、が具現化される単純なプレートが応答するように構成される磁気、いくつかの場合においては、特徴および機能搭載装置。このように、当然のことながら、搭載装置は実施例に限定されない前記装着装置が取り付けられる取付面()例えば、壁、ダッシュボード、卓上等)を受けるように構成されるオブジェクト()例えば、装置または項目又はオブジェクトインタフェース)だけでなく、実施形態を含む取付装置が装着される()またはそうでなければ関連する)装置または物品に装着係合するよう構成される往復構造体と関連する取付面()例えば、簡易な磁性領域を載置面等、又は、オブジェクトインタフェース)
したがって、システムが設けられており、対象物を搭載する搭載面。本システムは、実装装置およびオブジェクト。インターフェース。取付装置は、中間面に応答するように構成する磁気、前記中間面の第1の平面を規定する、係合部材とを応答するように構成される磁気、前記係合部材と第2の平面を形成するように構成され、ラインに沿って移動可能の係合は、第1の平面と交差する。オブジェクトインターフェイスが取り付け可能に構成され、被取付対象物の取付装置、前記オブジェクトのインタフェースは、中央オブジェクト表面に応答するように構成する磁気とを一致少なくとも一つの係合部材や中間面では、中央物体表面の第3の平面を画定する。少なくとも(1つ)の係合部材または中間表面実装装置の間を動くよう構成され、各外側限界位置と各ベース限界位置。少なくとも(1つ)の係合部材又は中間面が可動が各外側限界位置、の距離と、第1および第2の平面を画定する装置の係合深さ、前記装着装置が係合するよう構成されたオブジェクト。インタフェースを介して各係合に関連する力係合部材と前記中間面の全体的な係合力が増加さ度まで全係合力が生成物が載置される載置面である
このようにすることができる解除力の合計よりも少ない締結力に適用されて、搭載物体を物体に取り付けるインタフェースは係合が解除できるオブジェクトインターフェース実装装置から段階的に順次に抗して各係合に付随した力により、係合部材と中間面。
中央物体表面は、少なくとも(1つ)の電磁石。あるいは、または加えて、中央物体表面は、少なくとも(1つ)の相関された磁石、前記少なくとも(1つ)の相関された磁石を構成する中央物体面プログラマブルであってもよい。
前記係合部材は、少なくとも(1つ)の相関された磁石、前記少なくとも(1つ)の相関された磁石からなる係合部材によりプログラム可能であってもよい。
同様に、この中間面は、少なくとも(1つ)の相関された磁石、前記少なくとも(1つ)の相関された磁石から構成される中間面をプログラムすることができる。
少なくとも(1つ)の第1、第2、または第3の平面が湾曲面によって規定された。
取付装置は、装置を含み得る調整成分を適用するように構成される装置の制御力を少なくとも(1つ)の係合部材または中間面制御少なくとも移動または機能のうちのそれぞれの(1つ)の係合部材または中間面。装置制御力をバイアスするように構成される係合部材を前記物体から取り去るインタフェース。あるいは、装置制御力をバイアスするように構成される係合部材を対象物に向けインタフェースである
オブジェクトインターフェイスであってもよいように構成されている間に生じる吸着力の係合部材と対象インタフェースよりも装置の制御力。
装置制御部品を構成してもよいし、係合部材との間に外側の限界位置とベース限界位置。
中央物体表面を適用するように構成できる第1のインターフェース制御力を少なくとも中間面又は前記係合部材を装置。第1のインターフェース制御力が調整可能に構成する。さらに、またはあるいは、一一の界面制御力可能であってもよい遠隔的に管理される。
少なくとも係合部材や中間面は、少なくとも(1つ)の接続インタフェース。同様に、中央物体表面は、少なくとも(1つ)の接続インタフェース。
オブジェクトインターフェイスするように構成され得る構造的に強化する際に対象物体に取り付けられる。
この係合部材は、複数の係合部材を複数の第2の面。あるいは、または、さらに、上記係合部材は、複数の係合部材構成要素が入れ子状態に配置され。
中央物体面を構成してもよいの少なくとも一部分を受け入れる少なくとも(1つ)の係合部材または中間面。同様に、少なくとも(1つ)の係合部材または中間面の少なくとも一部分を受容する中央物体面である
オブジェクトインタフェースは、二次対象面から離間した中央物体面、2次物体表面が応答するように構成できる磁気。第2のオブジェクトの表面を画定することができる第4の平面。第4の面は、湾曲面によって規定された。
までの距離と、第3の面及び第4の面を規定し得るオブジェクトインタフェースの深、装置の係合深さと対象物の界面の深さは異なっていてもよい。
取付装置は、係合するよう構成されたオブジェクト。インタフェースを介して、係合の間に生じる力の係合部材と前記中央物体面と係合との間に生じる力の中間面と2次物体面、となり、全体の係合力を増大させることができる程度まで全係合力が生成物が載置される載置面。
オブジェクトインターフェイスの深さは、係合解除力の合計よりも少ない締結力の印加を取付け対象物に取り付ける物体インターフェースは係合が解除できるオブジェクトインターフェース実装装置から段階的に順次に抗して各係合に付随した力により、係合部材と中間面。
第2のオブジェクトの表面であっても、複数の二次対象面の複数の第4の面。第2のオブジェクトの表面は、少なくとも(1つ)の電磁石。あるいは、またはさらに、副物体表面は、少なくとも(1つ)の相関された磁石である
また、二次対象面を適用するように構成できる第2インタフェース制御力を少なくとも中間面又は前記係合部材を装置。第2のインターフェース制御力が調整可能に構成する。あるいは、または、さらに、二二の界面制御力可能であってもよい遠隔的に管理される。
また、第2インタフェース制御力が反発するように形状づけられる中間面のように、前記機器少なくとも(1つ)の前記二次オブジェクト面と関連する中間面が中間面。間の距離が少なくとも(1つ)の前記二次対象面は中間面と中間面を画定することができる第3の深さにある、前記三三の深さよりも小さくすることができる装置の係合深さ。
取付装置を構成することができるので、遮水錆。同様に、オブジェクトインターフェイスよう構成してもよい不浸透性防錆。例えば、磁石は、密封可能又は内臓材料を遮水する水および水蒸気()例えば、プラスチック、熱可塑性エラストマー、非鉄金属等、他の()たとえば非磁石)成分材料から構成することができる、レジスト錆又は腐食。このように構成された実施形態の実装装置又はシステムは、多くの環境において使用を含む湿潤環境にある
特定の構成を図示し、以下に記載するが、説明の目的のために含ま。実際、多数の他の構成が可能で提供される教示に基づいて本発明、本明細書に記載の実施例を示すために選ばれ、1つ以上の発明概念。従って、構成の詳細なここでは提供しないことで網羅的なリストのための可能な構成を提供する段階係合、離脱、及び/又は他の機能について以下に説明する。
同様の参照番号は、全体を通して同様の要素を指す。また、一部の部品実装装置は示されていない1つ以上の図面の明確化と容易化の実施形態を説明する。
次に、図(1)の(1つ)の実施形態に係る取り付け装置(10)を係合するように図示及び取付対象物。図示の実施形態の図(1)の物体は、公称対象物(99)に本質的に応答する磁気(例えば、鉄系金属シートに取り付けられる、記憶、ピクチャフレームを磁性裏打ち等.)。
取付装置(10)は、第1実装用磁石を支持する第1平面p1及び第2のマグネット取付が支持されている第2平面p2。したがって、係合部材(14)と中間面(12)は、応答するように構成される磁気。第2取付磁石は複数の磁石を幾つかの実施形態。同様に、第1のマグネット取付は、複数の磁石。図示の実施形態の図(1)では、第1のマグネット取付が支持されている第1の面p1を前記中間面(12)、第2取り付け磁石が支持されている第2平面p2の面(88)と係合部材(14)の
この実施形態では、第2のマグネット取付は、単一の磁石(40)、第1装着磁石は、6個の磁石(30)を、互いに対して二二の取付用磁石。量、種類、強度、配置、間隔、等の磁石を、互いに対しての他の構成要素に対して実装装置に合わせて選定することができる被搭載物、前記機能性を要求される装置、及び/又はユーザの要求。図示の実施形態の図(1)の構成要素は、中間面(12)、係止片(14)の磁石(30)と磁石(40)の材料から構成することができる、いずれの影響や磁気に応答する。このように、本実施形態を図1、中間面(12)と係合部材(14)は、それぞれ対応するように磁気を介して磁石(30)および磁石(40)のそれぞれ。
あるいは、いくつかの実施形態において、装置は存在せず、従来の磁石()すなわち、磁石自体が、磁場を生成する(S)永久磁石のような)、例えば、取付装置を設けない構成としても良い従来の磁石オブジェクト自身が作る磁界を取り付けることのできるが生じる。このような実施形態では、中間面と前記係合部材が応答するように構成できる磁気の他の手段によって、取り付けるなどの鉄系金属の代わりに従来の磁石または構成とすることにより、中間面又は係合部材と、全部または一部、に応答する材料の磁気。したがって、いくつかの実施形態では、中間面または係合部材の機能を実行する第1のマグネット取付または第2置磁石である
それに対応してまたはこれに加えて、第1の平面p1または第2の面p2は公称平面を中間面または係止部材の取付装置、または表面のこのような。
いくつかの実施形態で、少なくとも(1つ)の磁石()またはグループの磁石組み付け、図示された実施の形態)は、独立に移動する他のマグネット取付部ラインに沿って係合leとが交差するように、第1及び第2の平面p1、p2。略図である平面p1及びp(2)と線係合leを図(9a)と図(9b)に示す2-4。
示された実施形態を図1、係合部材(14)を構成してもよいに対し移動可能に固定した中間面(12)の他の構成要素と装置(10)を、前記第2装着磁石(40)は独立に動くことができる第1取付磁石(30)の線に沿って係合leとなる
移動取付磁石を移動可能、一部の実施形態においては、第1および第2の両方の磁石組み付け)制限されてもよく、このような、各取付磁石を可動のみの間を移動可能なそれぞれの外側限界位置olと各ベース限界位置bl(図5参照)。あるいはまた、少なくとも一方の係合部材(14)若しくは中間面(12)移動させるように構成すると、拡張状態と格納状態と。また、沈胴状態では、少なくとも(1つ)の係合部材または中間面可動が離れる方向に付勢され前記装着対象物()例えば、側に付勢してベース限界位置bl)延伸状態において、少なくとも(1つ)の係合部材または前記中間面とを可動側に付勢して装着対象物()例えば、側に付勢して外側限界位置ol)本実施の形態の図(1)、延伸状態と後退状態と参照する相対位置は係合部材(14)は、その関連する取付け磁石(第2マグネット装着40)がその外側限界位置olとそのベース限界位置blにそれぞれ、第2取付磁石(40)を取付け、磁石を可動本実施形態、第1装着磁石(30)と、この中間面(12)、固定位置を有する。図示のものは装置の延長状態図(5)
外側限界位置olとベース限界位置blは様々な方法で定義できる。例えば、停止機能を介して提供され得る(1つ)または複数のコンポーネントは実装装置およびに対して配置され得る可動マグネット装着(S)の移動を制限する取り付け磁石(単数または複数)。あるいは、または、さらに、この係合部材は、延長部と接合面延長、その延長部を形成するように構成できる位置に係合部材の少なくとも一方に、拡張状態又は格納状態。示された実施形態を図1、絞り機構(50)を介して設けられた外向きの突起延長部(98)に接合する面(88)と係合部材(14)、該延長部(98)を画定するように構成される深さは、係合部材(14)のストッパ機構(50)を構成してもよい接触内表面(86)を中間面(12)の移動を停止させる係合部材(14)を物体方向99(例えば延長状態である)、さらに、ベース面(80)は、内側表面(84)はベース面(80)の移動を止める係合部材(14)から離間する方向に対象物(99)に()例えば、退避状態)従って、基面(80)として構成され、ストッパ機構本実施形態。これに対応して、位置停止機構(50)及び基部表面(80)の深さに対して係合部材(14)、該延長部(98)を画定する外側限界位置olとベース限界位置blが第2装着磁石(40)
具体的には、外側限界位置olが第2装着磁石(40)が定義されてもよい前記配置をストッパ機構(50)の延長部(98)の深さに対して延長部(98)、ベース限界位置blが第2装着磁石(40)によって画定されることができる位置のベース面(80)の深さに対して係合部材(14)の位置が中間面(12)、前記延長部(98)を構成してもよい位置を規定する係合部材(14)が拡張状態である。
また、外側の限界位置olとベース限界位置blが定義されてもよい前記相対位置と特徴とする部品実装装置の予め定義された構成、外側限界位置olとベース限界位置の少なくとも一方の取り付け磁石を可動でも、動的に再定義される成分調整により取付装置では、以下でより詳細に説明する
本発明は、中間面を画定することができるように構成された開口を摺動可能に受け入れるの少なくとも第1の部分を係合部材。前記少なくとも一部の係合部材は、実質的に位置合わせする線接触の中心軸に沿って前記係合部材の係合部材との間で移動を拡張状態と格納状態。本実施形態では図(1)の部分の中間表面(12)を画定してもよい開口部(94)を構成してもよいをスライド可能に受け入れるの少なくとも第1の部分を係合部材14(この場合には、内線98)ガイド面(96)、二二取り付け磁石(40)と(対応する)前記係止部材(14)を介して導かれた中間面(12)へのライン係合leが、実質的に整列したである中心軸x方向に係合部材(14)の係合部材(14)との間で移動を拡張状態と格納状態。さらに、この深さは、延長部(98)を確保することができる係合部材(14)が残った接触して案内面(96)と係合部材(14)を退避位置へ移動させる()例えば、基部に接する面(80)は、上述したように、)このため、延長部(98)にも役立つことのできる位置を規定する係合部材(14)が重なった状態で、
各限界位置(olとbl)を可動磁石(S)は、前記第1及び第2取り付け磁石(第2取付磁石(40)の実施形態を図1)の位置に移動し、前記第1及び第2の平面に実質的に一致する。これにより、第2のマグネット装着するようにしてもよい基地限界位置を第2搭載磁石と実質的に一致する第1の平面。再び図(1)を参照して、ハウジング(82)に接続してもよく、ベース面(80)と中間面(12)とを密封してもよい装置10(側壁の一部をハウジング(82)が除去された図(1)の説明の目的のため)係合部材(14)を構成してもよい深さに対してガイド面(96)とハウジングの長さ(52)のように、係合部材(14)、を滑動可能に収容する中間面12(上述のように、)、および、これに対応して、第2取付マグネット(40)は可動であってよい-の位置と、第2面p2と、第1の平面p1と実質的に一致する。図(1)において、この位置(p1=p2となる)もベース限界位置blが第2装着磁石(40)と収縮した状態では、係合部材(14)、表面実装装置(10)が実質的に面一になる係合部材の収納状態では。しかしながら、他の実施形態では、後述するように、同係止パターン(50)、ベース限界位置bl外側限界位置ol、拡張状態及び退避状態が定義されてもよい他の構成要素により実装装置(10)及び/又は他の構成成分である
取付磁石(30)、(40)は協働して装着対象物()例えば、対象物(99)の図1)全係合力を発生させて、磁石及び物体を保持するのに役立つオブジェクトを実装装置、以下に詳述するように。したがって、前記各外側限界位置を取付の磁石を可動式()例えば、前記第2装着磁石(40)の図示の実施形態において図1)する構成とすることができる離脱力の合計よりも少ない締結力の印加を取付け対象物克服全係合力により段階的に順次に抗して各係合に付随した力により、前記第1及び第2の取付用磁石を解放するオブジェクト。
の相対位置、移動係合部材(14)と中間面(12)、上述のようにも容易に取付対象物の取付装置。近接対象物()例えば対象物(99)の図1)この係合部材は、吸引力を発生させた物体との間の係合部材と、係合対象の係合部材。同様に、への物体の近接を中間面を生成することができる吸引力前記物体と前記中間面とを係合させる目的と中間面、それぞれの取付装置は、係合するよう構成され被搭載ステージそれぞれの締結力である
また、連続して数段の係合()例えば、実装)または解放(例えば、取り外し)は、所望に応じて構成(アプリケーション、オブジェクト、ユーザーの要望など)されている構成要素は装置の包含(inclusion)成分を生成する磁場強度(S)前記磁場(単数または複数)、および他の要因を詳細に説明する。
さらに、少なくとも第1取付磁石または前記二二のマグネット取付に対して位置決めされる目標実装面積を近接装着対象物を前記目標実装面積が少なくとも(1つ)に対して吸着力を少なくとも(1つ)の第1または第2の磁石。取付磁石を可動とするに向かって移動するように前記装着対象物に吸引力(S)の吸引力(S)描画してもよい可動の取り付け磁石に向けてそれぞれ外側限界位置(S)範囲を定義する第1の係合位置()例えば確立範囲を第1段の係合が行われてもよい)さらに、このようにすることができる係合物間マグネット装着用の範囲内の第1の係合位置の結果、第2の吸引力で、オブジェクトを描画すると非係合のマグネット取付のために一緒に係合、係合力が生成物が載置される前記装置。取付用磁石を配置することができるこのようにして係合を促進するオブジェクトおよび/または自動の一連のステージ係合を生成する全係合力(例えば、第1段階係合による吸引力を生成し、第2の段階の係合、前記アプリケーションから必要とされる力のユーザ物が載置される第1段階の後に係合が始まるは実質的にヌル)
さらに、取り付け磁石を配置することができる以上説明したように、所望の係合順序、所望の結果を得るための係合に先立って()例えば、延長係合部材、例えば)、または他の理由のために以下に説明する。
図示の実施形態の図(1)では、例えば、公称物体(99)が設けられている、実質的に(1つ)の平面を占める(P3)が本質的に応答するように構成される磁気(例えば、前記オブジェクトが変更されていない収容する実装装置10)にある任意のオブジェクトの部分(99)と相互作用して、第1又は第2の実装磁石(30)、(40)に、本実施の形態、第1取り付け磁石(30)および第2取付マグネット(40)に配置されてよいファサード(85)の中間面では好ましい実装目標領域をオブジェクト99。以上説明したように、本実施形態では、表面実装装置10略面一になるように係合部材(14)を退避位置へ移動させる。また、前述したように、係合部材(14)を越えて延びることができる中間面(12)、図示された実施の形態を図1、形状に起因して、載置装置(10)と構成は対象物(99)に()例えば、実質的に平坦な)と、第2実装用磁石(40)は常に位置少なくともに近接させて、装着対象物()例えば、オブジェクト99)の位置を前記第1取付磁石(30)に段階的に係合するための対象物(99)(P3)所定のp2、p1、p2は、可動平面()例えば、係合の間に生じ得る物(99)及び第2取付磁石(40)と、それに続くとの間の係合対象物(99)と第1実装用磁石30)である
同様に、段階的な離脱は予め定められてもよい1、p2の実施形態を図1である。なお、これらの結果は、特定の実施の形態の図(1)とこの被写体(99)、これらの事前定義の成果には適用できない不規則な形状のオブジェクトまたはオブジェクトの複数の面又は平面、を説明するように、追加の以下の実施の形態。それに対応して、また、対象物(99)に近接されるファサード(85)の中間面12(例えば、目標実装面積)と、少なくとも(1つ)の吸引力が発生し、対象物(99)と、少なくとも(1つ)の第1または第2取付け磁石(30)、(40)が物体の近接を(99)及び第2取付磁石40(例えば、取り付け磁石を可動)方向に移動する被装着物(オブジェクト99)前記少なくとも(1つ)の吸引力()例えば、前記第2装着磁石(40)が引かれその外側限界位置ol)従って、自動延長係合部材(14)が生じる、これにより、第1の係合位置が定義されてもよい(2つ)の方法のうちの(1つ)。第2取付マグネット(40)と係合することのできる対象物(99)との第1の係合、一方、対象物(99)が非常に近接した位置に中間面(12)よりも外側の限界位置olが第2装着磁石(40)の代わりに、前記第2装着磁石(40)に達するその外限界位置olに残留することがある、係合部材(14)に保持されることにより伸張状態との間の吸引力は対象物(99)と第2取付マグネット(40)、第1係合が生じる()例えば、運動を通して対象物(99)に向かって装置10である
したがって、この範囲は、第1の係合位置()例えば、第1段の係合)によって定義することができる範囲の外側の限界位置olとベース限界位置blが第2装着磁石(40)のいずれの場合においても、第1の係合位置が確立されてもよい()例えば、第1段の係合)前述したように、対象物(99)は、第1の係合位置にある、に位置していてもよい、第2の吸引力で、描画してもよい物体(99)と係合取り付け磁石(この場合、第1のマグネット取付30)その結果、係合()例えば、第2の段階の係合)を生成することができる全係合力を取付対象物(99)のこの実装装置10。このように、第1および第2磁石(30)、40図(1)を配置することができるように互いに関連する第1段係合を生成することができる自動の一連のステージの係合を生成する全係合力(図示の実施例は、図(1)、(1つ)の連続段階係合)
図(2)に模式的に示す説明した実施形態に示した図(1)の第2取付マグネット(40)が可動と第1装着磁石(30)の固定位置を有する。第2の平面p2(線により表示される同図)により定義される第2取付マグネット(40)に支持された係合部材(14)、との間で移動可能にベース限界位置blとその外側の限界位置olに沿って係合le。オブジェクト()例えばオブジェクト(99)は、図(1)には、図示の実施形態では第3平面p3)近傍に位置する実装装置との間で吸引力が生成される間第2取付マグネット(40)の係合部材(14)と、対象物(99)、前記係止部材(14)は、この例では、が引き込まれることになる対象物(99)の方向a、図(2)のように第2取付マグネット(40)と、相応する、平面p2までは移動オブジェクトが係合されるまで、または第2取付磁石(40)が外側限界位置olが移動しないとされる方向にさらに図(3)概略的な第1のステージとの間の係合対象物(99)と第2装着磁石(40)の係合部材(14)、一致面p2およびp3。この説明図(図(2)では、第1段の係合が示されているように外側限界位置olが第2装着磁石、第1段の係合が発生する可能性があるいずれかの地点に沿う線係合leの外側限界位置olとベース限界位置blがこの例である
第1段階の後に係合(P2、P3)係合部材と前記対象インタフェース(12)は、b方向に移動するこの移動方向bに起因し得る第2磁気吸引の間に存在する対象物(99)と第1実装用磁石(30)の代替として、または加えて、運動する方向bの結果として生じ得るアプリケーションである、または連続的に印加することにより、オブジェクトに加える力を、ユーザ方向b図(4)に結果を示す第2磁気吸引、前記第1の平面p1と第2平面p2、第3平面p3とがほぼ一致すると近接配置させることができるベース限界位置bl。この時点で、全係合力との間に存在し得る取付装置および物体を結果組み合わせ間のかみ合いの力が第1取付用磁石(30)と対象物(99)と第2装着磁石(40)と物(99)、この全係合力が固定するのに役立つオブジェクトを実装装置に係合取着された構成。
反対のプロセスが関与している場合、そのオブジェクトが除去される実装装置からいくつかの実施形態。再び図を参照すると、実施の形態を図(1)によって表されるように、図(2-4)、ユーザ印加解除力を対象物は最初に克服する一方の係止力()例えば、の間の力は対象物(99)と第1実装用磁石(30)の第1平面p1)連続した印加の解除力が移動し、第2装着磁石(40)の係合部材(14)と第2の面p2の動きを介して係合部材14)前記オブジェクト99(及び第3平面p3)方向aに示す位置から図(4)に示す位置3。さらにアプリケーションの離脱力に打ち勝つことができるの間の嵌合力を対象物(99)と第2装着磁石(40)の第2面p2に完全に係合解除する対象物(99)の(図(2)である
なお、本実施形態では、図(1)に示す-5前記係止部材(14)に対して移動可能に固定された中間面(12)、他の実施形態において、中間面に対して移動可能に固定係合部材、または両方の中間面と前記係合部材は、互いに対して可動であり。したがって、いくつかの実施形態では、係合によりオブジェクトの中間面が生じる第1の原因となる物体に近接する係合部材、との間に吸引力を前記対象物と前記係合部材。順序にかかわらず係合する各係合に付随した力により、係合部材と中間面協働して物体全体の間の嵌合力を取付装置および物体。また、解除力が加わる物体は順次を克服する各係合に付随した力により、この中間面と前記係合部材の係合を解除するオブジェクト、との離脱力よりも小さくされている全係合の力は、前述のように、
取付装置は、制御力を適用することができる少なくとも(1つ)の搭載用磁石を可動制御する少なくとも移動、又は機能性の、少なくとも一方の装着する磁石を可動。例えば、図(1)、取付装置(10)は、さらに、制御構成要素(60)を適用するように構成する制御力。制御部(60)は、マグネットで構成し、材料のような、応答するように構成される磁気または部品を製造することのできる磁場()例えば、永久磁石、電磁石、プログラマブル磁石など)他の実施形態では、制御構成要素は、複数の構成要素の制御を適用するように構成される複数の制御力、と各それぞれの制御力を制御するよう構成され得る対応する取付け磁石。さらに他の実施形態では、制御構成要素は、ばねまたは他の成分又は成分の組み合わせはを付与するように構成制御力を各係合部材又は中間面が移動可能である
制御コンポーネントは、バイアスするように構成される少なくとも(1つ)の磁石は、可動対象物から離れる方向に取り付けられる。例えば、制御部(60)は、バイアスするように構成される第2取付マグネット(40)から離れた対象物(99)に係合部材(14)が付勢されて退避状態。このような場合、制御構成要素であると解釈できる保持力、を保持するよう機能する係合部材(14)に第2取付マグネット(40)が実質的に基底限界位置bl。したがって、図(1)では、係合部材(14)、沈胴状態においては、実質的に面一の中間面(12)、上述したように、利点は、以下でより詳細に説明する(とによっても示されている本発明の他の実施形態では、以下)。
あるいは、またはさらに、制御成分をバイアスするように構成され少なくとも一つの磁石は、可動対象物に向けて取り付けられる。したがって、図(1)では、制御構成要素(60)は、バイアス取り付け磁石(40)に向って前記物体(99)、係合部材(14)がそれに対応して拡張状態に向けて付勢される、に示す例でも、に関してより詳細に説明する本発明の他の実施形態は、以下に示す
また、制御部を構成してもよい制御力は調整可能である。いくつかの実施形態では、制御力は、物理的に調製可能であり、制御コンポーネント()例えば、マグネット、スプリング、等)が接近または離反させる少なくとも(1つ)の搭載用磁石を可動。このを通じて達成することができる、例えば、レバー、クランク、前記取付け装置は、延出部をユーザが利用できる、例えば1辺に沿った外周の装置。あるいは、制御コンポーネントであってもよい可動装置内のラインに対して係合する()例えば、動自在に支持される可動部材は、例えば、類似する係合部材)動画制御コンポーネントを調整してもよい抑制力はマグネット取付(S)ために()例えば、制御する力のより強い又はより弱い方向に応じて移動)前記制御部品に近づく方向に移動するか、または遠ざかる取り付け磁石(S)を可動させる可動磁石(単数または複数)に移動する。また、制御部品を構成することも可能で、物理的に調節可能な、上に担持されることにより、装置内の構成が回転又は旋回の制御部品は異なる向きを有するまた、前記装着磁石(S)(方法に応じて、制御成分が調整された)
したがって、一部の実施形態では、例えば、制御構成要素は、磁石の磁界を生成する()例えば、n極とs極)を有してもよい向き取り付け磁石に取り付け磁石(単数または複数)に付勢されている制御部品。このような実施形態において、制御要素は、例えば、に支持された旋回構造内で装置を操作することができる旋回制御コンポーネント180度となり、制御成分の配向、相対取り付け磁石に(S)でもよいまた、効果的に逆転し、これにより制御力をも効果的に逆転させ、前記マグネット装着(S)から離れる方向に付勢する制御部品。
例えば、再び図(1)において、ベース面(80)は回転するように構成される()例えば、旋回)は、従って、延長部は、ユーザにアクセス可能なハウジングを超え(82)の載置装置(10)の穴は、ハウジング(82)には、延長部は、ユーザにアクセス可能な調整用のベース面(80)と、次に、制御部(60)の制御コンポーネント(60)は、希土類磁石、ベース面(80)は、180度回転させるユーザを実質的に反対の磁気制御力に作用することがある第2の装着マグネット(40)実質的に反対に磁気制御力を作用させる第2取付磁石(40)を回転させる前にベース面(80)まで、前記係止部材(14)の結果として、ユーザによって入力される、部分的に又は完全にから延在する装着装置(10)を作製することができ、または部分的にまたは完全に後退に応じて、強度制御力
あるいは、制御コンポーネントによって調整可能であり得る他の手段。いくつかの実施形態では、制御構成要素は、電磁石の制御力を調整できるようにする操作を介して、電流が流れる。したがって、制御力により強化されてもよい度によって弱体化度、完全に除去する()例えば、流れを止めることによって電気電流を電磁石)あるいは反転()例えば、逆転させることによって極/電磁石の極性)の操作を介して、関連する電流を電磁石。他の実施形態において、制御部は、プログラム可能な磁石および対応する第1又は第2のマグネット取付も好適にと協働するようなプログラム可能な磁石。したがって、いずれの場合も、制御部を構成してもよいし、係合部材(および/または中間面のいくつかの実施形態)後退位置と、伸長位置()例えば、移動させてもよい少なくとも(1つ)の搭載用磁石との間で移動可能であるそのそれぞれ外側限界位置およびそのそれぞれのベース限界位置)、および/または制御成分を保持することができる係合部材延長位置((1つ)の可能な伸長位置が、図(5)では、例えば、拡張された状態)これにより、制御部品を構成してもよいが命令する特定位置少なくとも(1つ)の第1または第2の磁石組み付け(、これに対応して、少なくとも(1つ)の中間面又は前記係合部材)の間、外側の限界位置olとベース限界位置blと係合する前に物体、および/または、制御成分を変えるように構成される()例えば、カスタマイズ)する実装目標領域装置に関する
例えば、上記実施の形態を図1、前記制御構成要素(60)を適用するように構成できる制御力を第2取付磁石40(例えば、反発力)係合部材(14)を保持してもよい、伸長位置における拡張された状態()例えば、前記第2装着磁石(40)に保持されている外側の限界位置ol)これは効果的に規定する第1の係合位置(上述のように、)第1段の係合が生じる物体(99)が取り付けられている。同様に、係合部材14(支持第2取付磁石(40)の第2平面p2)保持されてもよく、伸長位置、例えば、中間の延伸状態と後退状態とに示すように)図(2)に第2面p2)変更する外観および/または形状を目標実装面積。外観を変更すること及び/又は形状の目標実装面積と実装装置の美的利点を提供してもよい、目標実装面積より顕在ユーザ(装着装置より直観的に使用)が実質的に適合する目標実装面積を、被装着対象物()例えば、の形状に合わせて装着対象物または前記目標実装面積より快いに対して、被取付対象物の形状)従って、上記のように、制御構成要素、又は複数の構成要素の制御、ように構成することができるように調整し、定義する各保持位置の少なくとも一方の取り付け磁石の間を移動して各外側の限界位置と各ベース限界位置の少なくとも一つを装着する磁石を可動。いくつかの実施形態では、以下に説明するような規定保持位置(単数または複数)取り付け磁石(S)を指示し得る所定番目の段の係合および/または解放の対象である
これに対応して、目的を達成することができる総嵌合力を実装装置を異なる手段()例えば係合p1、係合p2vs係合をp2、次いで係合p1)又は係合することのできる実装装置とは異なった()例えば、より多くのまたはより少ない面係合)その結果に応じて、調整をする制御力を介して(1つ)または複数の)制御コンポーネント(単数または複数)。加えて、保持位置の磁石でも、動的に配置する制御力(S)ように、互いに対して第2の吸引力(として生成できる前記第1の段に係合する第1係合位置は、上述したように、)が生じたりが発生せず、所定の()例えば、開放マグネット装着はしない、必要な近さと、物体の発生する第1の段に係合する第1の係合位置を第2の吸引力を生成する)したがって、相対の取付位置を磁石(と、相応する、の相対的な位置は係合部材および/または中間面が可動)によって決定されるように調整する制御力(S)を生成することができる、又は排除する自動の一連のステージ係合を生成する、全係合力。自動連続段の係合が防止される、全係合力と前記対象物間の取付装置は、依然として、続けて付与すると、係止力を対象物()例えば、引き続き移動するオブジェクトに向けて取付装置は、例えば、ユーザによって)実装するオブジェクト。また、留意することが重要である調整を制御力(S)時に行うこととしてもよい実装装置との係合が外れる物体()例えばアイドル)または、装着装置が係合する
オブジェクトが係合()例えば搭載)の取付装置、制御力を動的に調整することができる機能性を高めるための取付装置、対象物を移動させる、及び/又はオブジェクトと対話する又はコンポーネント又は装置は、オブジェクトに関連する。例えば、図(1)において、対象物(99)が装着される装着装置10全係合力を発生させて、対象物(99)及び取付装置、前記制御構成要素(60)を調整することができるように制御力(この例では、吸引力)第2のマグネット取付(40)および制御構成要素(60)を強化してもよい。強化の制御力の間の係合力は、第2取り付け磁石(40)と対象物(99)を強化したり、合計との係合力を対象物(99)と取付装置(10)を強化する。強化全係止力は、対象物(99)に一層確実に係合させる取付装置10(例えば、前記対象物(99)が生じにくく不用意に外れる)対象物(99)に対してより安定に意図しない影響()例えば、スワイプ、バンプ等)は、さもなければ影響を与えるまたは再位置決め対象物(99)の載置装置(10)は、制御力を強化してもよい程度に全係合圧力が大きすぎると、ユーザに克服する(通常の、合理的な力)の係合を解除するオブジェクト99。、前記物体(99)は、効果的に"ロック"を実装装置までの制御力がさらに調整される()例えば、弱められる)を可能にするために解放の対象物(99)から装着装置(10)は、ユーザによる
さらに、再び図(1)の間の係合力は、第1取付用磁石(30)と対象物(99)、物体(99)が装着される装着装置(10)、よりも著しく強い間の係合力は、第2取り付け磁石(40)と物(99)は、第1段の解放()例えば、離脱により第1取付磁石(30)とオブジェクト(99)は、図1)かなり強い解除ユーザにより加えられる力よりも、第2の段の解放()例えば、離脱する第2取付磁石(40)と物(99)。この場合の係合解除を対象物(99)をユーザーに分かりやすい、制御力(印加された制御部品60)を調整することができるように付勢する第2取付マグネット(40)が外周側限界位置ol(例えば、反発力)十分な強度を係合部材(14)と前記物体(99)を第1平面p1(および、これに対応して、中間面12)前記第1段の解放によって達成されてもよい制御力()例えば、部分的解放)によるよりもむしろ、ユーザ。ユーザは、次に、解除対象物(99)を克服し、より少ない全係合力、の間の係合力は、第2取り付け磁石(40)と物99(例えば、2段目の解除操作)を解放して対象物(99)から装着装置(10)
また、制御力であってもよい遠隔的に管理される。遠隔管理制御力を実現できる、例えば、以下の方法の(1つ)で、構成したことにより、無線信号を受信する無線周波数を、外部の装置から送信された受信装置を調整するよう構成された制御部品；の物理インターフェースを介して装置調整するよう構成された制御力()例えば、ボタンと、タッチインターフェイス、クランク、レバーなど)に内蔵された、露出された表面実装装置から延びる取付装置と、ユーザにより操作され得る、所望の効果を生じる；または有線接続を介して装置に接続する制御部品の管理インターフェイス()例えば、壁スイッチ、ボリューム摘み等)前記強度制御コンポーネントによって管理できる度および/またはがオン/オフする。従って、間の係合力は、第2取り付け磁石40(本実施の形態の図1)が十分でない重量を支持するために、対象物(99)に自身の()例えば、ユーザが把握しなければならない対象物(99)の第2段階中に外れるのを防止するために、オブジェクトから、意図しない落下を係合部材14)また、オブジェクトはユーザによって把持される前に第1段の解放()例えば、物体(99)が完全に係合する取付装置10)、および調整の制御力を遠隔地で行う対象物(99)を越えて吐出されたより困難な段階で解放される係合部材(14)をユーザが把持対象物(99)に、物体(99)を支持するので、ユーザを解放してもよい対象物(99)から装着装置10である
しかし、いくつかの場合、オブジェクトの切断を自動的に()例えば、から落下する)取付装置は、制御力を用いて噴射するオブジェクトから係合部材又は中間面()例えば、製造中に部品)したがって、いくつかの実施形態を構成できることが意図的にこの結果をもたらす。
吐出処理を行ってもいいの操作を可能にする物体に係合する取付装置。再び図を参照すると、実施例の図(1)では、第2取り付け磁石(40)は重量を支える物体(99)を対象物(99)から排出することができる中間面12(上述のように、)その物体(99)を再配置することができる()例えば、回転させて所望の配向を達成する、紡績、スライド、等本実施例)の配置換え後、制御力を更に調整して、係合部材(14)が後退及び前記対象物(99)が再び完全には係合されて実装装置を全係合力。他の実施形態において、再配置するオブジェクトを含むことができる傾動またはその他のピッチを調整する、ヨー、及びロールのうち、物体の他の手段、この場合、一方の係合部材または中間面が可動が残るまで延設し、調整又は調節可能な位置がもはや望まれている
調整の制御を介して力の制御部品も使用できる再定義するベース限界位置bl上の少なくとも(1つ)の第1または第2の磁石移動可能と、これに対応して、収縮した状態では、少なくとも(1つ)の係合部材又は中間面が可動)としての絞りを特徴とする装置。さらに、いくつかの実施形態、の構成要素制御装置を構成してもよい停止手段として機能する特徴を調整。再び図を参照すると、実施の形態を図1、前記制御構成要素(60)をバイアスするように構成される第2取付マグネット(40)が外周側限界位置olを介して制御力()例えば、反発力と相互作用する、取り付け磁石40)および制御構成要素(60)を調整することができるので、制御力を強化する。第1取付用磁石(30)を適用することができる吸引力を対象物(99)より強いバイアスを制御力を外側限界位置olが第2装着磁石40である
このため、被検体(99)が係合する係合部材(14)は、延長位置-例えば、拡張状態では、図のように5-の係合前に起因されるバイアスの制御力と、第2のマグネット取付40)吸着力が対象物(99)を第1取付磁石(30)を移動させてもよい対象物(99)と第2装着磁石(40)に向って前記制御部品(60)の位置まで到達との間の吸引力は第1取付用磁石(30)と対象物(99)と実質的に同等の間の反発力を制御部材(60)および第2取付マグネット(40)、の移動を制限する第2取付マグネット(40)の線に沿って係合leを効果的に再定義する基底限界位置bl第2取付磁石(40)と、これに対応して、制限全係合力(例えば、の合計に対する係合力の固有の構成によって実装前に装置(10)を調整する制御力)前記対象物(99)と取付装置10である
加えて、機能に対するによってサービス提供されうる制御成分は、上述したように本発明、いくつかの実施形態の実施例と同様に、図(1)では、付加制御部品60(グループ1)を支持してもよい内周を延長部(98)が係止片(14)は、協働するよう構成され第1取付の磁石(30)と中間面12(または、と協働するように追加の制御部品60(グループ2)に支持され、ガイド面(96)が中間面12)との間の摩擦力により係合部材(14)と前記ガイド面(96)が中間面(12)を制限してもよい()例えば、低減された)あるいは排除される係合部材(14)の間を移動して格納状態及び展開状態。連携前述の結果は、グループ(1)と取付用磁石(30)()または、グループ(1)及びグループ2)構成の実質的に反対の磁気力とが互いに反発して効果的に作出する役割をする間の反発力は延長部(98)が係止片(14)とガイド面(96)が中間部材(12)。
また、制御部品は、制御力を着脱可能な。除去制御力調整を含む制御力、前記強度制御力を低下させるまでの制御力がいっしょに取外される。他の実施形態において、制御力によって除去することができる物理的に除去して、再位置決め、または遮断する制御部品。本発明の使用により実現できる可動ロッド、細片、板、等の制御部品が取り付けられていることから挿脱装置、も、同様の結果を作成することにより達成される装置にアクセス可能な閉塞成分()例えば、磁気シールド部品)を挿入することができるブロックあるいは阻害する制御力
また、制御部品は、前記係合部材の後に自動的に後退してオブジェクトが装置から切り離さ。再び図(1)、制御構成要素(60)をバイアスするように構成され係合部材(14)に向かって退避させた状態で印加することにより制御力()例えば、アトラクション力)第2取付磁石(40)に制御力を加えることができるのに十分な強度でバイアス第2取付マグネット(40)によりベース側限界位置bl前記第2装着磁石(40)が外側限界位置ol(例えば、係合部材(14)が伸長状態)このように、取付装置(10)は、切断(例えば、アイドル)構成し、物体が係合する取付装置(10)において、前記係合部材(14)は沈胴状態(及び第2取り付け磁石(40)は、ベース限界位置bl)このため、係合部材(14)は、自動復帰する制御力によって制御コンポーネント(60)における物体(99)との係合が外れ、取付装置(10)は、取付装置(10)は、非係合()例えば、アイドリング)構成である
さらに他の実施形態では、追加の構成要素又はデバイスを設けてもよい()例えば、連結して使用され取り付けられる、又は一体化され、実装装置)のユーザー体験が向上する被装着物。例えば、いくつかの実施形態、少なくとも(1つ)の近距離無線データ転送装置は、近傍に位置する実装目標領域()例えば、近傍の取付面は、対象物が取り付けられる)で支持してもよい中間面又は前記係合部材。少なくとも(1つ)の近距離無線データ転送装置は、無線通信可能な電子機器を近接させる近距離無線データ転送装置、無線通信が可能な電子デバイスの場合、そのオブジェクトが完全に係合する装置とできないかもしれないと無線で通信する電子装置と、対象物が部分的に解放またはから完全に係合解除装置。例えば、実施形態を参照して、図(1)は、近距離無線通信デバイス(示されていない)に装着され、内表面(86)の中間面(12)と、該物体(99)は、付帯の携帯電話(図示せず)携帯電話通信可能とすることができる短距離無線データ転送装置載置装置(10)における物体(99)が完全に係合するよう装置(10)
そこで、制御によって生じた力が制御構成要素(60)を調整してもよい吐出対象物(99)と携帯電話の中間面(12)近距離無線データ転送装置間で通信を行える携帯電話機と近距離無線データ搬送装置を停止させてもよい。制御力は、更に調整して、係合部材(14)を後退させると、対象物(99)が再び完全に係合する装着装置10前記携帯電話機が再度通信可能な近距離無線データ転送装置に支持された内表面(86)を中間面(12)には、
さらに、一部の実施形態は、少なくとも(1つ)の無線充電装置に支持された中間面又は前記係合部材。少なくとも(1つ)のワイヤレス充電デバイスによってサポートされ得る中間面ができるワイヤレスで充電できる電子デバイスを近接させるワイヤレス充電装置。この点に関して、受信コンポーネント()例えば受信する受信ワイヤレス充電デバイス信号)は、そのオブジェクトの部品()例えば、積分又はその他の方法で物体に取り付ける)を充電可能に構成さ及び/または再充電()例えば再充電可能な電源電池又はバッテリ)を電源として供給するオブジェクト。帯電範囲は、距離の範囲内に無線充電デバイスは、()例えば、遠隔の)電荷受信コンポーネント。再び図を参照すると、描かれた実施形態図(1)は、ワイヤレス充電装置(図示せず)を支持して、内表面(86)の中間面(12)と、該物体(99)は、付帯の携帯電話(図示せず)、係合対象物(99)の取付装置(10)は結果として移動電話機が無線で充電するワイヤレス充電装置に支持され、中間面(12)。
さらに他の実施形態において、少なくとも(1つ)の接続インタフェースをサポートすることができる少なくとも(1つ)の第1または第2の平面()例えば、プレーンp1、p2は図(1)に示す。接続インタフェースは、任意のインタフェースで物体との間の何らかの他のコンポーネントまたは装置(、いくつかの場合において、同様の又は類似の実施例に係る取り付け装置)接続を形成できるようにする。例えば、接続インタフェースは、ある場合には、電気コネクタを接続するように構成されオブジェクト又はそのコンポーネントを電気源()例えば、電気源実装面)
様々な実施形態は、少なくとも(1つ)の磁石の一部を受けることができる前記装着対象物。一部を受ける被装着対象物を構造的に支持するオブジェクトを含んでいてもよい、の移動を制限して物体の単一方向への(1つ)の軸に沿って相対する実装装置、、及び/又は、少なくとも部分的に支持する物の重量。図示の実施形態の図(1)の物体(99)を規定することができ、第3平面p3、第3平面p3は公称平面対象物(99)湾曲面によって規定され、これに対応して深さdo。あるいは、またはさらに、この対象物(99)を画定することができる深さdoを有する複数の係合面()例えば、面に応答し、磁気とによって係合させることができる取付装置)と、離間されてもよいし、係合表面は結合される延長部により、物体(99)類似するオブジェクト(99a)に示されている図(5)の深さdoよりも小さくすることができる深さda、間の距離により画定される第1平面p1および第2平面p2のそれぞれの磁石がそのそれぞれの外側限界位置ol(図5参照)。このため、係合部材(14)の装着装置(10)図(1)を受信するように構成できる物体(99a)(公称オブジェクトを本質的に応答する磁気、この例では、)の係合を介してオブジェクト伸張76(を介して物体面の開口(78)にオブジェクト(99a))の少なくとも一部分が、延長部(98)が係止片(14)の
延長部(98)を支えるように構成された少なくとも一部の物体の重量の(99a)、係合対象物(99a)の部分延長部(98)は制限の対象物の動き(99a)を1軸方向の相対的な装着装置(10)、それにより、オブジェクト(99a)より安定した、および/または安全な実質的に平坦な対象物(99)に装着される装着装置(10)と同様である。したがって第1の実装磁石(30)及び第2取り付け磁石(40)と、相応する、全係合力は、それぞれの強度より低い強度を搭載磁石と全係合力を支持するために必要なオブジェクト99。、より小さい及び/又はより少ない強力な磁石を提供するのに使用できる、実質的に同じ機能()例えば、軽量ベアリング、安定性、セキュリティなど)を、役割および重要性の取り付け磁石に変化することができる、保持力()例えば、全係合力)適しているアタッチメントではなく保持力を十分に責任の重量を支持する物体および/または物体を安定して確保する。さらに、より小さなおよび/またはより強力な磁石が安価に調達、製造は、更なる恩恵を提供する。また、制限の対象物の動き(99a)に沿って単一方向単一の軸がそのオブジェクトの保護(99a)に対して意図しない解除()例えば、偶発的なバンプ、スワイプ、振動、または、他の振動または破壊的な力に影響を与える)を必要とすることができる任意の意図しない離脱力を克服しなければならない締結力に関連した様々な段階で解放して完全に解放対象(99a)とされている
これにより、意図しない離脱力を強制的に克服するのに十分な(1つ)の係合する力()例えば、の間の係合力は、第1取付磁石(30)とオブジェクト(99a)の内の第1の平面p1)実質的に低減され得るかは、前記オブジェクトを失う運動量は、次の係止力()例えば、前記第2の取り付け磁石(40)と物(99a、)第2平面内p2)が克服され得る。更に、実施形態で生じるように構成された自動の一連のステージの係合(先に説明した)効果的に逆移動による物体の意図しない離脱力(力が実質的に克服するのに十分な全ステージを解放)効果的に再び係合するこのオブジェクトは、自動的に()例えば、外部の仲介なし)を再確立するために、全係合力と前記対象物間の取付装置に関する
上述したように、図(5)に示す、オブジェクト(99a)は複数の係合面は、互いに離間されているので、その面間距離の規定深。係合取付け装置10(図示1)このタイプのオブジェクトを、が発生する同様にして多段係合処理に関して先に述べた対象物(99)を図1(例えば、前記係止部材(14)が延在していることに応答して物体の近接を(99a)、前記第2装着磁石(40)と係合することのできるオブジェクト(99a)第1、第1装着磁石(30)は描画オブジェクト(99a)に向かって収納装置(10)に完全に係合するオブジェクト(99a)；例えば、段階係合順序p2、p1)あるいは、等の要因に応じて強度磁石(30、40)、深さdoのオブジェクト(99a)と種類及び強度は制御力によって適用されるように、制御コンポーネント、物体の近接によって(99a)はオブジェクト(99a)に描画すべき第1取付磁石(30)第1のマグネット取付(30)が係止するオブジェクト(99a)は、第1の()例えば、第1段の係合)係合部材(14)はそれに続いて又は同時に、の方へ引き寄せられ得るオブジェクト(99a)と係合することができるオブジェクト(99a)の最後の()例えば、第2の段階の係合)全係合力()例えば段階的係合順序p1、p2)
の距離と、外側限界位置olは、第1及び第2の磁石を画定することができる深さda。図(5)において、深さdaよりも大きくすることができる深さdo、物体(99a)に係合させることができる装着装置(10)を介して連続した段階を係合、以上説明したように。したがって、オブジェクトは(99a)から取り外した装着装置(10)を介して連続した段階を解放。本実施の形態の図(5)の順序にかかわらず、段の係合()例えば、p1、p2対p2、p1)、深さを深くすれば、オブジェクト(99a)(do)の深さよりも小さいと、外側限界位置olが第2装着磁石(40)と第1のマグネット取付30(da)係合部材(14)は自動的に適合する物体の深度で(99a、)第2(この場合、)ステージ係合取付プロセス()例えば、係合部材(14)と係合することのできるオブジェクト(99a)第1および後退の第2段階中に係合、又は前記係合部材まで延在してもよく、第2の段階の係合からオブジェクト(99a))及びオブジェクト(99a)から係合解除され得る取付装置(10)を多段に
重要なことは、しかしながら、doはdaより大きい、前記第2装着磁石(40)は係合対象(99a)によって()例えば、磁気係合ない場合も物理的な係合)物体形状に依存し(99a)との間の係合力は、第2取り付け磁石(40)およびオブジェクト(99a)に寄与する全係合力(例えば、総量を増加し、締結力)したがって、助剤を容易に取付対象物99a(第2取り付け磁石(40)とそれに対応する段階の係合およびの係止力は依然として同じ役割の実装工程においても物理的に係合するオブジェクト、この係合に関連する力で第2取付磁石(40)は、より少ない強度)、この利益は段階的な離脱は適用されない()例えば、オブジェクト(99a)が外れない取付装置(10)を段階的に、doより大きいda)
また、装着装置(10)を図(1)のように構成してもよい係合部材(14)が実質的に面一の中間面12(上述のように、)このために有益であり得る実装などのオブジェクトをオブジェクト(99a)であるため、対象物の外面に99a(例えば、に最も近い表面実装装置10)は、最初に、ずれたり、係合部材(14)と係合するときに中間面(12)この場合、ユーザがスライドオブジェクト(99a)を挟んで同一面取付装置(10)、係合部材(14)が適切に位置合わせされ、対象面の開口(78)、前記係止部材(14)は自動的に延び係合対象(99a)の間。に生ずる吸引力によって第2取付磁石(40)と物99a(具体的には、対象物表面が(99a)から最も遠い装着装置10)は、もはや閉塞外面によってオブジェクト99a(例えば、に最も近い表面実装装置(10)は、上記のように、)これにより、物体(99a)より容易とすることができるマウントを取付装置(10)、または物体(99a)を搭載してもよい精度の低い方法、場合よりも、ユーザに必要とされた初期配向オブジェクト(99a)を適切に装着するためには、対象。
また、do未満da(上述のように、)係合部材(14)を生成するように構成できる可聴フィードバック()例えば、クリック音、音色、または他の音声)係合時にオブジェクト(99a)に提供することができる旨を通知し、オブジェクト(99a)が完全に係合する取付装置(10)を構成する可聴式フイードバックの発生を含むことができる材料を選択する面(88)と係合部材(14)は、このようなフィードバック係合面を含んでいてもよい支持内のセンサ面(88)と係合部材(14)を取り付けられるように構成されノイズ作成装置()例えば、小型スピーカ)取付装置10である
また、取付装置(10)を構成してもよい物体が整列に対して適切に装置の係合に先立って。このように、少なくとも(1つ)の係合部材または中間面をバイアスするように構成され物体に装着可能な所定の取り付け向きの係合の前に、対象の装置、以下に示すように、他の実施形態および以下でより詳細に説明する。
次に、図(6(a)に示す他の実施の形態に類似する実施形態に示されている図(1)では、追加の構成要素および修正を高める適応性および機能性は装置(10)に図示した実施形態図(6a)も支持することができる第1の取り付け磁石30(6個の磁石)第1の面と、中間面(12)と第2取付磁石(40)を第2の面の面(88)と係合部材(14)、第2取付磁石40(と、これに対応して、係合部材(14)は可動であってよい。しかし、この実施形態では、磁石(30)により支持され得る固定中間面(12)を介し支持延長部(83)から延びる内面(86)と中間面(12)は中空で、収容する磁石(30)と支持磁石(30)の中間面(12)はまた、の実施の形態と同様に図(1)の実施形態において図(6(a)、前記中間面(12)の開口を画定し得る(94)をスライド可能に受け入れるように構成された少なくとも第1の部分(、この場合には、第1の部分(98)の延長98)係合部材(14)に実質的に位置合わせする線係合leの中心軸xに沿って係合部材(14)の係合部材(14)の間を移動させる拡張状態と格納状態との
しかし、加えて、図(6(a)に示すように、中間面(12)に取付装置(10)はさらに、チャンバ(90)、から延出している部分の中間表面を定義することができる開口部(94)と当接する内表面(84)におけるベース面(80)、室(90)をスライド可能に受け入れるように構成されている第2の部分に係合部材14(この場合、第2の部分98′′が、延長部(98)を越えて延びることができるように、ストッパ機構(50)を介して設けられた外方突出延長98)の係合を介して第2の部分(98)の'を、内側面(92)はチャンバ(90)の添加成分(室90)を増強することができる適応性および機能性を実装装置(10)、第2の装着マグネット(40)に限らず、ベース限界位置bl、確実に延長部(98)が係止片(14)と接触したままガイド面(96)が中間面(12)にかかる線接触leに沿ってほぼ一直線に中心軸x(必要とされ得るような装着装置(10)図(1)。これは、実際に、チャンバ(90)で構成)上述のように、)整列する線係合leの中心軸xに沿って係合部材(14)と係合する第2部分98"が、係合部材(14)と、前記係止部材(14)を構成してもよい()たとえば、変更された実施形態と比較して、図(1)に示すように、1)との間の接触面積が第2部分98''と内側面(92)と室(90)が増加する、の安定性を確保し、係合部材(14)の中心軸xに沿って、ライン係合leとなる
前記接触面積が、延長する第2部分98′′が、延長部(98)に向けて面(88)と係合部材(14)と、の位置を変えた場合の停止機構50)には、次に、影響を及ぼす外側限界位置ol第2の装着マグネット(40)がない場合には、変更が行われる外側限界位置ol、または接触面積を増加させてもよい延在する第2の部分(98)"'の延長部(98)から離れた面(88)は、基体に作用する限界位置blが第2装着磁石(40)他に無い場合は、変更が行われたベースに対して限界位置bl。寸法に依存して、選択された長さの第1部分および第2部分98'、98''の長さに対して、室(90)、その全長が係止片(14)の長より短くてもよいチャンバ(図(6b))こうして、図示するように、チャンバ(90)を規定することができ、第1の深さと前記係合部材(14)を画定してもよい第2の深、前記第1の深さは第2の深さよりも、例えば、の厚さに対応するプレートの開口部が形成され、他の実施形態)
図(6(b)にチャンバ(90)で保持できるように前記係止部材の適切な位置合わせにかかる線接触le、が先に説明したように深さの深さより係合部材(14)、上述したように、ベースの制限位置blが第2装着磁石(40)できるように構成され、内に位置する装着装置10(例えば、前記中間面(12)とベース面80)係合部材(14)に沿って移動及びチャンバ内部の(90)、前記第2装着磁石(40)を越えて移動している中間面(12)から離れる方向に装着対象物()例えば、前記係止部材(14)に引き込まれてもよい)及び内部表面(84)はベース面(80)は、停止部として作用する特徴(上述の実施形態を参照して、図1)定義することができる基底限界位置bl第2取付磁石40(、これにより、退避させた状態で上記係合部材(14))。
図(6(c)に示すように本明細書で説明される器具(10)の実施形態の格納状態となり、においてベース限界位置blが第2装着磁石(40)にも示したように、図(6c)、係合部材(14)の収納状態では、室から最も遠いベース限界位置blが整列するように構成される開口部(94)から中間面を画定する収容キャビティ(91)、中間面(12)の一部を受け入れるように前記装着対象物()例えば、適切な形状の対象物または対象インタフェース内に嵌るように構成するこの受入空洞(91)、
したがって、本実施形態では図(6(a)に示されているように構成することができる表面を有する実質的に"男性である"()例えば、係合部材(14)の拡張)または実質的に"雌"()例えば、係合部材(14)を後退させる)前記装着対象物となるため、この装着装置(10)は図(6(a)は係合可能なオブジェクトであるとみなされる、実質的に雄又は実質的に雌。また、装着装置(10)を構成してもよい対応できるように、間に略雄構成および実質的に雌構成に依存して、実質的に、雄構成または雌構成の前記装着対象物()例えば、取付装置(10)の形状に適合して被装着物)また、装置(10)は、実質的に雄係合していないとき()例えばアイドル)のような装着装置(10)では、係合部材(14)を保持しており、拡張状態、アイドル制御力によって制御コンポーネント(60)を第2の装着マグネット(40)、に適応することができる係合装着対象物を同一の配向()例えば、雄)後退すると係合部材(14)を退避させた状態の係合に伴ってオブジェクト実装プロセスにおいて。同様に、装置(10)は、実質的に雌係合していないとき()例えばアイドル)のような装着装置(10)では、係合部材(14)の後退状態を保持し、アイドル制御力によって制御コンポーネント(60)を第2の装着マグネット(40)、に適応することができる係合装着対象物を同一の配向()例えば、雌)、拡張を介して上記係合部材(14)は、拡張状態の係合に伴ってオブジェクト実装工程で
上述したように、実施形態に示されている図(6(a)は極めて汎用性が高い、様々な構成の実施形態(等とは異なり、構成)は、互いに関連して使用される装着。非装着(attachment)コンテキスト当たりアプリケーション。
前述したように、少なくとも一方の取り付け、磁石の一部を受け入れるように前記装着対象物。の一部を受けて前記装着対象物を中間面および/または前記係合部材は更に、構造的な支持を提供するオブジェクト、位置合わせを容易にするための物体取付装置は対象物を案内するために、またはこれらの組み合わせを達成することができる。例えば、中間面(12)はこのように支えるように構成された少なくとも一部の物体の重量の。本実施の形態の図(6(a)、被写体を介して受け取ることができる開口(94)の中間面12(第1取付磁石30)受信したオブジェクトの部分の中間表面(12)は構造的に支持することが可能となる、位置合わせを容易にするための物体取付装置(10)および/またはガイド係合対象物(上記のもの)
いくつかの実施形態では、構造的に支持するオブジェクトは、さらに、制限している物体の移動する方向に沿って単一の軸の相対的な装着装置(10)に応答して破壊的または離脱力の目的物に適用される。例えば、この係合部材および/または中間面を構成してもよい移動を制限する物体を1軸方向の印加時に離脱力。つまり、取付装置(10)がレジスト意図されない噛み合い解除はオブジェクトおよび/またはオブジェクトインターフェース実装装置から、からのような)偶発的なヒットまたはスワイプ(例えば、力の横方向成分は、線方向に対して係合le)例えば力の下向きの角度で取付け装置(10)によって抵抗されるによって得られる構造的支持に係合部材(14)および/または中間面(12)、離脱力印加を単方向に単一の軸に沿っ、中心軸線xに係合部材を示す図6a(例えば、ノッキングまたは牽引対象物から離れる方向へ実装装置)に役立つであろうオブジェクトの係合が解除される
図示した実施形態図(6a)、第1の部分98'が係止片(14)は、それぞれ異なる幅()例えば、径円筒構成図に示すように)、第2の部分(98)の"一部の場合、例えば、第1の部分98'の幅よりも狭い幅の第2の部分(98)の''これに関して、幅()例えば直径)前記開口部(94)の幅に対応した第1部分98'であり、したがって、幅よりも小さくなる第2部分98′′が、係合部材(14)、第2の部分(98)の''が通過するには大きすぎる開口(94)が移動を制限する係合部材(14)の前記基部から離れる方向で面(80)の接触を介してストッパ機構(50)の内表面(86)を中間面(12)、前記幅の第2の部分(98)の"()例えば、構成のストッパ機構50)は、深さに対する第1の部分98'、外側限界位置olが第2装着磁石40(、したがって、伸ばした状態では係合部材(14)である
取付装置において、前記目標実装面積と略面一となる。この実装装置は、実装目標領域()例えば、一次実装面)略面一となるように、多くの理由から有益であり得る。この面一の面を美的に好ましい。フラッシュ面も考慮することができ、一定の動きをする物体の係合に先立って()例えば、摺動など)を補助し得る、自己配向を支援することができる係合、または、一般的に、実装工程を容易にするか、または、ユーザが楽しめる。また、同一面を維持することができる部品(S)装着装置のうち、使用しないときに回避するように、スナッグ、衝撃、或いは他の意図しない係合するコンポーネント(単数または複数)。さらに、フラッシュ構成を防ぐ役割を果たすことができるデブリが入る実装装置装置の部品が残って適正に機能することができる。特に、少なくとも(1つ)の係合部材または中間表面のを可動とする恩恵を受けをフラッシュ面()またはそれら)が露出するゴミ屑を少なくする構成と比較して、それ(それら)露出されたままである場合には、例えば、解放()例えば、アイドル状態)。従って、一面は様々な方法で達成する構成に応じて実装装置及びは、一般に、部品の配置の実装装置は、前記複数の平面および/または装置の表面は一致する同一平面内にある
実施形態の第1装着磁石(30)が可動と第2取付マグネット(40)は固定位置にある、例えば、第1装着磁石を構成してもよいそれぞれの基地限界位置blに実質的に一致する第2平面。同様に、第1のマグネット取付(30)ように構成してもよいそのそれぞれの外側限界位置olは、第1取付け磁石(30)と実質的に一致する第2平面。さらに、いくつかの実施形態の第1装着磁石と二二の取付磁石が可動、これらの各基の限界位置blの第1取り付け磁石(30)および第2取付マグネット(40)を構成してもよいそれぞれの基地の制限位置と略同一平面上にある。更に、外側限界位置olは、第1取付け磁石(30)および基地限界位置blが第2装着磁石(40)を構成してもよいこのような外側限界位置olは、第1取付け。マグネットと前記ベース。限界位置blが第2装着磁石はほぼ同一平面である
上述したように、種々の異なる構成が可能で、取付装置を提供する。いくつかの場合において、本実施形態のように図(1)に示されている、前記対象物(99)に係合することが可能な取付装置とすることができる簡単な構造の単一の面に本質的に応答する磁気。他のケースでは、オブジェクト()例えば、オブジェクト(99a)を示す図5)の深さdoの間の距離に相当し、(2つ)の面に対応してもよい深さ湾曲面によって規定された前記オブジェクト。図に示すように、実施形態の取付装置は、収容できる及びな係止(類似のいずれの対象物(99)又はオブジェクト(99a))されずに構成されたオブジェクトに対し。いくつかのケースでは、実施形態の取付装置であっても良いを操作することができる物体および/またはさらなる機能を提供することなく構成されたオブジェクトに対し。さらに、実施形態は、さらに有用であろう構成することにより達成される実装装置特定のオブジェクト、又は特定のオブジェクト形状。
また、実質的にはより大きな官能性の度合いにより達成されてもよい同時に構成する実装装置及びオブジェクトインタフェースのように互いに関連し、それらは、協働して、より一層予測可能で規定された方法。このように構成することができる協働係合前に、係合中の工程、及び/又は係合しながら。例えば、図(7a)及び7bでは、システム(200)は、取り付け装置(210)、実施形態のような装着装置(10)では。システム(200)はさらに、オブジェクトインターフェイス(220)に取り付けられるように構成され、物体(図示せず)が装着される装着装置(210)に
取付装置(210)には、中間面(212)に応答するように構成される磁気と係止部材(214)に応答するように構成する磁気(例えば、以上説明したように、)中間面(212)は、応答するように構成されて磁気を支持する第1取付け磁石(230)(6個の磁石230)第1平面p1、前記係合部材は、応答するように構成されて磁気を支持する第2のマグネット取付240((1つ)の磁石240)第2面p2。このように、中間面(212)が定義し、その第1の面p1、その係合部材(214)は第2の平面p2を定義する。この係合部材(214)が移動するように構成された線に沿って係合leとが交差するように、第1平面p1は、上述したように、。
オブジェクトインターフェイス(220)、第3のマグネット取付支持され得る第3の平面に取り付けられるように構成される装着対象物を適合させる目的に一致する少なくとも(1つ)の第1または第2の磁石。また、第3のマグネット装着であっても、複数の磁石。また第3実装用磁石は、複数の第3磁石に複数の第3の平面。したがって、オブジェクトはインタフェース(220)は、中央の被写体面(226)に応答するように構成されて磁気を支持する第3取付磁石(241)、(1つ)の磁石(241)、第3平面p3(複数の第3面この実施形態)2次物体面(224)から離間した中央被写体面と対応するように磁気を支持する第3取付マグネット(231)、、8個の磁石(231)、第4平面p4(別の前記複数の第3の平面は、上述したように)
中央物体面(226)を構成してもよい合致する少なくとも(1つ)の係合部材(214)あるいは中間面(212)に示された実施形態において図(7(a)、前記中央物体面(226)を画定することができる第3平面p3、および前記副次的なオブジェクト表面(224)を規定することができ、第4平面p4(第4面が複数の第3の平面は、上述のように、)前記第3および第4の面p3、p4を定義することができるオブジェクト。インターフェースの深さdo。少なくとも(1つ)の係合部材(214)あるいは中間面(212)に装着装置(210)との間を動くよう構成され、各外側限界位置olと各ベース限界位置bl。このように、少なくとも(1つ)の係合部材(214)または中間面(212)とを可動(係合部材(214))各外側限界位置ol、の距離と、第1及び第2の平面p1、p2を画定してもよい装置の係合の深さda。オブジェクトインターフェイス(220)は、対象インタフェースの深さdo及び装置係合深さdaが異なる。または、さらに、上記取付装置(210)は、係合するよう構成される物体インターフェース(220)を介して各係合関連する力を係合部材(214)および中間面(212)の全体的な係合力が増加さ度まで全係合力が生成物が載置される載置面。また、オブジェクトインタフェースの深さdoは、解除力をの総数未満である締結力の印加を取付け対象物に取り付ける物体インタフェース(220)は係合が解除できるオブジェクトインターフェイス(220)から装着装置(210)によって段階的に順次に抗して各係合関連する力を係合部材(214)および中間面(212)を備えている
前述のように、装着装置(210)、図(7a)の一部としてシステム(200)に係合できる複数の方法。図(7(a)において、オブジェクトインタフェース(220)を設けて物を載置する載置装置(210)を構成してもよい合致する開口(294)を中間面(212)、これに対応して又は追加的に、面(288)を係合部材(214)に既に説明したように、取付装置(210)は、として作用することを実質的に雄、実質的に女性または男性および女性の両方の動きを介して係合部材(214)の(2つ)の限界位置間。本実施形態では、対象インタフェース(220)を定めるように構成できるその深さdoを略雄構成()例えば、前記中央物体面(226)は、ように構成されている実装装置210)では、装置(210)は、これに従って構成される構成とすることにより、外側の限界位置olとベース限界位置bl係合部材(214)は、装置係合深さdaよりも小さくされている対象インタフェースの深さdo。前述したように、装置の係合の深さdaを間の距離により画定される第1及び第2の平面p1、p2のように、係合部材214(と、これに対応して、第2のマグネット取付240)が外側限界位置ol、前記オブジェクトインタフェースの深さdoの間の距離により画定される複数の第3の平面、この場合には、前記第3および第4の面p3、p4で、
この構成では、装置係合深さdaよりも小さい対象インタフェースの深さdo装置210を受け取るように構成される部分がオブジェクト。インターフェース(220()例えば、オブジェクトインタフェース(220)は、実質的に雄)の間の係合は中央物体面(226)と係合部材(214)を確保することができる。確実係合の間、中間面(212)及び二次対象面224(、したがって、全係合力を確保する)、ベース限界位置bl係合部材(214)を構成してもよい距離となるように、前記第1及び第2の平面p1、p2係合部材(214)がベース限界位置よりも対象インタフェースの深さdo。このように、システム(200)は、図(7(a)に示すように、前述のように、係合を容易にし得るオブジェクトインターフェース(220)を取付装置(210)の係合力が生成物が載置される載置面。
このように構成される係合対象インタフェース(220)を取付装置(210)はシステム200内で生じ得る(2つ)の方法、を介して複数段の係合。対象物を載置するインターフェース(220)は標的に近接する実装エリア(上述のように、)該装着装置(210)を生成することができる第1の間の吸着力がオブジェクトインターフェイス(220)および装着装置(210)を第1の吸引力で吸引することができる係合部材(214)の中央方向に物体面(226)、第2取付磁石(240)を第2の面p2と第3取付磁石(241)と第3面p3が係合されると、第1段との間の係合対象インタフェース(220)および装着装置(210)
その結果、第1段の係合、近接の第3取付マグネット231(第2の前記複数の第3磁石は、上記のように、)第4平面p4と第1実装用磁石(230)を第1平面p1を作成することができる第2の間の吸引力は二次対象面(224)と中間面(212)の第3取付マグネット(231)との第1取付磁石(230)が係合して、第2段係合および全係合装着する力オブジェクトインタフェース(220)から装着装置(210)、これに対応して物を載置する載置面。あるいは、オブジェクトの配置インターフェース(220)は標的に近接する実装面積と実装装置(210)を生成してもよい第1の間の吸引力の第3取付磁石(231)の第4平面p4と第1実装用磁石(230)を、第1の平面p1。第1の吸引力で吸引することができる二次対象面(224)に向かって中間面(212)の第3取付マグネット(231)と第1のマグネット取付(230)と係合した状態で第1段の係合。その結果、第1段係合近接を第3取付磁石(241)の第3平面p3及び第2取付磁石(240)を第2面p2を引き込むことができる係合部材(214)の中央方向に物体面(226)、第2取付磁石(240)と第3取付磁石(241)が係合されると、第2段係合および全係合装着する力オブジェクトインタフェース(220)から装着装置(210)、これに対応して物を載置する載置面。
【０００３】
また、留意することが重要である再び図を参照すると、システム(200)は図(7(a)に示されている、表面面(222)の中心被写体面(226)と係合することのできる面(288)を係合部材(214)を第1段係合前記係止部材(214)から延設され、中間面(212)に実装装置210(例えば、オス-オス係合)その場合には、係合部材(214)は後退の中間面(212)に向かう方向へベース表面(280)は、第2のステージとの間の係合の中間面(212)及び第2物体面(224)が発生する可能性がある。また、係合部材(214)は、実質的にフラッシュ中間面(212)を非係合()例えば、アイドル)た状態(以下、これを結果として生じ得る制御により力が加えられて制御コンポーネント(260)をバイアス係合部材(214)から離間制御コンポーネント(260)及び外周側限界位置ol、外側限界位置ol係合部材(214)が構成され、第1の平面p1および第2平面p2にほぼ一致する)
このような構成において、対象インタフェース(220)に図(7a)に係合してもよい係合部材(214)の表面を介して面(222)の中心被写体面を第1段係合、及び近接の二次対象面(224)から中間面(212)は、間に吸引力を二次対象面(224)と中間面(212)をよりも大きく、その抑制力は係合部材(214)の制御コンポーネント(260)は、係合部材(214)は有効に押され収縮位置の中間面(212)とをチャンバ(290)に装着装置(210)を可能にしてもよい第2段係合から生じる合計係合力を搭載するオブジェクトインタフェース(220)から装着装置(210)、これに対応して、搭載対象物を取付面に
次に、システム(200)の別の実施形態、に示される実施形態では図(7(b)に示す装着装置(210)は、システム(200)の拡張状態では、対象物に関してインターフェース(220)をように構成されているとして作用することを実質的に雌型内にシステム(200)に取付装置(210)は、相対する実質的に雌オブジェクトインターフェイス(220)に示されているような図(7(b)は次の通りである。外側限界位置ol係合部材(214)を構成してもよい装置の係合の深さdaよりも大きい対象インタフェースの深さdo確実係合前記第2装着磁石(240)の係合部材(214)及び第3搭載磁石(241)を中央物体表面実装プロセスにおいて。さらに、ベース限界位置は係合部材(214)を構成してもよいに対して物体インターフェースの深さdoの強度を第2取付磁石(240)と第3取付磁石(241)によってについての好ましい構成は、取り付け装置(210)は、好ましいが必要ない構成の間の深さの中間面(212)と係合部材(214)のように、係合部材が後退する()例えば、取付装置(210)は、所望の柔軟性を持つとして作用する雄又は雌)、ベース限界位置blを構成してもよい間距離()第1の平面p1および第2平面p2のように、係合部材が前記ベース限界位置よりも対象インタフェース深さdoの
雄-雌構成が好ましいが、実装装置210(例えば、内部取付装置(210)は、深さは、係合部材が前記ベース限界位置bl、その係合部材(214)から突出している中間面(212)の外側限界位置ol)、ベース限界位置bl係合部材(214)を構成してもよいに対して強度を第1取付磁石(240)と第3取付磁石(241)及びに更に関連して、近接の間に必要とされる各取り付け磁石に吸引力を発生させ移動させることが可能な第2取付磁石(240)に向かって第3取付磁石(241)の実装プロセスにおいて、。
段階的係合を対象インタフェース(220)には、図(7(b)が生じ、実質的に同一の間のオーダーの各面とシステム(200)に示されたもの、図(7(a)に関して説明したように、図(7(a)のもの()例えば、p2、p3、p1、p4、p1、p4、p2、p3)の表面よりも面(222)の中心被写体面(226)が描かれている取付装置(210)を介して開口(294)を中間面(212)、前記係止部材214(図(7(b)を参照すると、)に描画することができるキャビティ(275)を中央物体表面(226)は、p1、p3段係合が発生する
段階的解放プロセスは、様々な方法で生じるだけでなく、の構成に応じて実装装置(210)を図(7(a)、離脱力印加される搭載物の総量よりも少ない締結力を解放してもよい次対象面(224)から中間面(212)と、第1段の解放。前及びその過程で、第1段の解放、前記係止部材(214)から離れる方向に移動し得るベース表面(280)とが係合されて中央物体表面(226)の対象インタフェース。従って、完成した第1段の解放、連続した離脱力は移動を継続して係合部材(214)まで係合部材(214)がその外側の限界位置ol。外側限界位置では、中央の被写体面(226)と係合部材(214)に外れてもよいし、第2段階中に、解放。したがって、ユーザーは、適用することができる離脱力を対象物に装着される装着装置(210)は必要に施すだけで離脱力を克服するために十分な強度の第1段の解放。各後段係合を必要とするそれ以上又はそれ以下の力を克服した第1段の解放、連続段階各々放出の合計よりも少ない締結力、前記オブジェクトが、離脱をより徐々に、全係合力の間で分割する複数段の解除、体験をすることが容易で、より楽しいユーザのため
係合解除システム(210)の図(7(b)と実質的に同じ順序に従うことができる。記載のシステムは両方とも図(7a-7b)、その段の釈放位置に依存する外側限界位置ol係合部材(214)の第1段の解放が発生する恐れがある装着装置(210)と中央物体面(226)と係合部材(214)、図(7(a)の外側限界位置は係合部材214(と、これに対応して、第2のマグネット取付240)がベース間に表面(280)と中間面(212)を備えている
図(7a)乃至7c及び上述したように、相対的な深さはオブジェクト。インターフェース(220)および装着装置(210)大量の間の接触表面積を本システムのコンポーネントは、システムによく適し得るが、軸受重量の装着物。実際に、実質的な利益を装着装置(210)および取り付けシステム(200)は、重量支持能力/システムと併せて柔軟性および使い磁性アタッチメント及び解除。上記構成の実装装置(210)およびシステム(200)に調整することができる強調し、重量支持の態様/アプリケーション、その大部分は、重量支持の役割である装置/システムから転送されてもよい磁気係合面構造により、装置/システム、ユーザが利益を磁性アタッチメント及び放出をより少ないリスク()例えば、落下の危険性、意図しない動き、または他の意図しない結果に関連する意図しない係合解除)従って、より小さい及び/又はより少ない高価な磁石を必要とし、装置/システムとして適切に機能する場合に比べて磁気マウントにより支持することができ、同じ重量(S)の装置/システムは、安価に製造できる手頃な価格にしつつ利用者に提供する機能および利点である
上述のように、構成する実装装置は、オブジェクトまたはオブジェクトに対するインターフェース、システム(200)に示されている図(7(a)、はより大きな官能性の度合いとは、今度は、加えて、使用者に有益に実装装置。また上述のように、数、強度、実装用磁石を選択することができる機能性を高めるための取付装置である可能性がある。例えば、いくつかの実施形態で、少なくとも(1つ)の係合部材または中間面を構成してもよいバイアスを実装対象物に所定の取り付け向きの係合の前に、対象の装置。それに対応して、一部の実施形態において、第1取り付け磁石を有するように構成できる第1磁力、第2取り付け磁石とされてもよい第2の磁気力と実質的に反対である第1磁力。第3実装用磁石よう構成してもよいし、一致するように配置する第1及び第2の取付前の磁石に係合。このようにして、意図しない誤搭載磁石との係合を回避することができる
図に示すように、図(7(a)の磁石(231)に対して二次対象面(224)実質的に揃う対応する磁石(230)に支持された中間面(212)、及び磁石(240)の係合部材(214)は、実質的に整列して磁石(241)の中心被写体面(226)のさらに、それぞれの組の対応する取付け磁石構成であってもよく、対向する磁極の間に、相互の取付工程は、実質的に対向。図示の構成では、図(7(a)において、取り付け装置(210)は、実質的に雌のために係合()例えば、前記係合部材(214)が退避可能な取付装置210)上述のように、および以下でより詳細に説明する。したがって、の取付位置を磁石に示すように、係合を容易にし得るオブジェクトインタフェース(226)を装着装置(210)の周囲の表面面(222)の中心被写体面226(および、したがって、延長面223)整列する開口(294)を中間面(212)をシステム(200)の構成要素は、さらに、構成の間の磁気的相互作用対象インタフェース(220)および装着装置(210)の係合に先立って適切な係合を容易にするのに役立つ
このことは、構成することにより達成される第3の装着マグネット(231)、(241)が対象インタフェース(220)に対して第1及び第2取り付け磁石(230)、(240)を装着装置(210)によりオブジェクトインターフェイス(220)は実質的に自己整列取付装置(210)との係合前に装着装置(210)を生成するために所定の取り付け向きを整列させるオブジェクトインターフェイス(220)、具体的には、中央の被写体面(226)は本実施形態、前記装置(210)は、例えば磁石(231)と二次対象面(224)は永久磁石であってもよい、かつマグネット(231)のように配向することができるが、n極(N)各磁石が対向する実装装置(210)の実装プロセスにおいて。それに対応して、磁石(230)の中間面(212)をも永久磁石を配向することができるので、s極(S)各磁石が前記物体側インタフェース(220)の実装プロセスにおいて。さらに、磁石(241)の中心被写体面(226)を配向することができるので、s極(S)磁石が対向する実装装置実装プロセスにおいて、及び磁石(240)の中間表面(214)は、配向は、そのn極(N)面オブジェクトインターフェイス(220)の実装プロセスにおいて。これにより、磁気力が、このように構成され、中央物体面226(例えば、マグネット241)を近接させる装着装置(210)、反発できる中間面212(例えば、磁石(230)と同じ極性の磁石(241)を避けるように、不適切な係合する装着装置(210)と、また、間の反発力が磁石(230)及び磁石(241)を案内する働きをする中央物体面(226)に向かって配向開口(294)の中間面(212)の開口(294)は、最小抵抗である経路を、
吸引力との間の対応する取付け磁石システムも機能を自己整合するオブジェクト。インターフェース(220)を取付装置(210)を図(7(b)に示すシステムにおいて、装着装置(210)として機能してもよい雄、キャビティ(275)を対象インタフェース(220)を受信することができる係合部材(214)の係合中に、オブジェクトインタフェース(220)を取付装置(210)、空洞部(275)は、整列される必要係合部材(214)および/または開口(294)を中間面212(例えば、係合部材(214)が後退および/または凹取付装置(210)がアイドル)、及び位置合わせが容易で、ユーザシステム(200)はセルフアライン実装時。図(7(b)では、対象物を載置するインターフェース(220)の近傍に目標実装面積()例えば、ファサード(285)が中間面(212)は、本実施の形態)該装着装置(210)との間の吸引力は磁石(231)の第2次物体面(224)と磁石(230)の中間面(212)の、(6つ)の磁石(231)と、(6つ)の磁石230(すなわち、本実施形態)が互いに吸着させ配向させる対象インタフェース220(及び、従ってオブジェクト)予め定義されたように、かつ、位置決めキャビティ(275)に対して開口(294)、前記係合部材(214)によって受信することができ、オブジェクトインターフェイス(220)には、
なお、ウェル、前記構成のマグネット(231)は図(7a-7b)を容易にするために役立ち得る、より容易な装着工程と、前記ユーザ、特に、円形断面のために選択されうる他の成分をこれらの実施形態、一方、"余分な"磁石()例えば、つまり、8個のマグネット(231)は、未使用のまま装着されている構成)は、すべての(6つ)の磁石(230)は、中間面によって係合されるオブジェクトインターフェイス(220)に実装時の向きにかかわらずオブジェクト(、これに対応して、オブジェクト。インターフェース(220)は、ユーザによって位置決めする。これは、よりよい体験をユーザ、ないユーザも合わせる必要オブジェクトに特定の形式でを達成するために、意図した結果()例えば、物を載置する)例えば、ユーザが希望するマウントを彼女の電話にかごとしての使用のためのgps装置と同様の方式を用いてシステム(200)は図(7(b)、自分が希望するマウント電話を見る必要なしに実装装置に彼女が集中して自己の運転。したがって、彼女に取付けることもできる電話を見ない、このように彼女が位置する電話の実装時に発生しても、斜めに相対に彼女の好ましい配向は装置。この8個の磁石(31)と、円形状の二次対象面(224)、(6つ)ではなく磁石(231)の構成と一致し、中間面(212)、ことを保証することができる装置が装着。固定されている実装装置に適切に()例えば、安全かつと合計係合力)ない場合も対象としているユーザの向きを、このことは、ユーザにとって好ましい対非をマウントすることができる装置に全くミスによる配向、リスクを見ると、装着装置を駆動するために適切に整列させる装置、および/または、本装置装着不正確になり、装置の傾向があるかもしれない、事故による落下の
また、前述のように、前記構成システム(200)の構成要素のうち図(7(b)は案内及び自己整列作用適切な実装に対する装置の係合部材(214)および/またはシステム(200)の他の構成要素を収容することに加えて、誤って装置の向き。また、システム(200)の構成は図(7(b)に示すように、上記の例では、ユーザが自分のミスの修正を容易に行う。面一の接触表面に示されるシステム(200)は図7a-7b(例えば、前記実質的に平坦な二次対象面(224)と実質的に平坦な中間面(212)、当接載置して係合する構成)フレキシビリティとともに回転移動する円筒状の係合部材(214)は図(7(a)の7b-7b(及び収容のサイズ/形状開口(294)を中間面212)、構成磁石(230)および231の上述の及び他の特徴、は、ユーザの向きを容易に調節する装着装置。ユーザは、これを達成し得る回転力を加えてその電話機()例えば、物体)をも克服するのに十分な強さの間のかみ合いの力を磁石(231)と磁石230(より少ない力を解放するために必要な磁石(231)、(230)の線の向き係合le)間の係合力は、磁石(240)と磁石(241)がほぼ不変のままであるように、係合部材(214)の回転中心軸x
そのため、システム(200)が残る部分的解放を瞬間的に()例えば、磁石(231)と磁石(230)が一時的に外れ、)まで連続して回転移動させる間の吸引磁石(230)の中間の表面(212)および第2の構成の磁石231(隣接していてもよいこれらの磁石(231)を係合させておく、前記第2の構成では、(1つ)の磁石(231)を既に開放状態とする)より強い吸着磁石間(230)の第1の構成における磁石(231)(例えば、磁石(231)の係合も解かれた)この吸引間(磁石(230)と第2構成の磁石231)再整列して、前記対象物の第2の構成の磁石(231)に対して磁石(230)、新規な全係合力。したがって、ユーザがオブジェクトを回転させるだけで、半分よりも隣り合う永久磁石(231)の変更を達成するため配向ではなく、解放するために必要なオブジェクト(によって提供解除力の線に沿って係合le)再係合対象の装置(再び、線に沿って係合le)を達成するために、同じ変化の向きである
実施形態は、ユーザが対象物を操作()例えば、スライド、以上説明したように、又はそうでなければ、)及び/又は、前記オブジェクトまたはオブジェクト。インターフェースと相互作用する磁気力の範囲内の装置又はシステムで物体を係合または半係合させる装置(、特に、これらの相互作用の状態を変化させる係合および/または状態をオブジェクトまたはオブジェクトのインタフェース)-内かシステムの上記の例のように、または(前述のように、)-ことを可能にし得る取付装置の機能に加えて、またはそれを相補的にすることができる、取付装置の機能又はシステムのこの追加の機能は、非常に貴重であるユーザ。例えば、システムに示されている図(7c)、中間面(212)が設けられてもよい第1取付け磁石(230)が構成された(6つ)の磁石(230b)、(230c、)230d、(230f)(図示せず)、(230g)(図示せず)(230h)と第2物体面(224)を含んでもよい第3の装着マグネット(231)は、8個の磁石(231a)、231b、(231c、)231d231e、(231f)(図示せず)、231g(図示せず)(231h)を(6つ)の磁石231b、(231c、)231d(231f)、231g、(231h)は8個の磁石が第2物体面(224)に相当してもよく、(6つ)の磁石(230b)、(230c、)230d230f、(230g)、(230h)を中間面(12)の搭載物を好ましい搭載向き()たとえば、本実施形態、この回転方向の相対的なオブジェクトの中心軸xと実装装置(210)は、ユーザが希望するオブジェクトに完全に取り付けられる、例えば、ユーザが希望するテレビのような位置に、下縁とテレビの画面が実質的レベルの代わりに回転斜め-例えば、屈曲-は中心軸に対するx)。図示の実施形態では図(7(c)の搭載向きに対応してもよく、係合前()例えば、解放)配向は、前述し図示した
さらに、システム(200)が示されているように構成してもよい磁石(231c)と(230c)と磁石231g(図示せず)(230g)(図示せず)が相関する磁石と、磁石(231a、)231b、(231c)は、231e、(231f)(図示せず)(231h)と磁石(230b)(230d、)230f(図示せず)、(230h)を永久磁石とした。相関付けられた磁石(231c、)(230c、)231g、(230g)は係合するよう構成され永久磁石(230b)(231d)(230h)、(231f)と実質的に同じ方法では、永久磁石()例えば、実質的に同様に磁石(231c)、(230c、)231g、(230g)と係合することのできる磁石(230b)(231d)(230h)(231f)、磁石(231c、)(230c)、231g、(230g)を永久磁石の各極性と反対側のそれぞれの極性の前記磁石(230b)(231d)(230h)(231f))実装時に沿って()例えば、各係合軸に対応する中心軸xとなるので、ライン係合le)はまた、係合時に回転装着構成(上述のように、)なお、相関磁石(231c、)(230c)を構成してもよいように、互いに対してそれら互いに係合して回転オブジェクトインターフェース(220)が係合する実装装置を時計周りの移動中心軸xを、ファサード(285)が中間面(212)の磁石(231c)から移動させ、係合位置に磁石230b(例えば、離脱磁石(230b)を介して時計回りに動かす)係合位置(230c)()例えば係合して磁石(230c)の時計方向の移動)
同様に、相関する磁石231g、(230g)を構成してもよいように、互いに対してそれらが互いに係合して回転オブジェクトインターフェース(220)が係合する実装装置を介して同じ時計回りの移動を、前述したように、磁石231gから移動させ、係合位置に磁石230f(例えば、離脱磁石(230f)を介して時計回りに動かす)係合位置(230g)()例えば係合して磁石(230g)を介して時計回りに動かす)これにより、係合部のそれぞれの間の相関の磁石対が実質的に同時に生じることに応答して同じ時計回転運動を上述した。また、各構成相関磁石対231c、(230c)と231g、(230g)は、係合状態では、相関付けられた磁石対231c、(230c)と231g、(230g)の解放をそれぞれ、を介して実質的に反対の回転移動()例えば、反時計回り)の各相関対の磁石を得ることができない合理的に係合解除()例えば、非係合以外の手段によって、極端又は異常な力)ラインに沿った方向に係合leに応じて係合解除方向に加えられる力の線に沿って係合le。したがって、オブジェクトはインタフェース(220)ことができることから完全に係合解除実装装置(210)のみの後で実質的に逆の回転運動が発生した
したがって、上記のように構成され、ユーザは、対象物の取り付けを取付面利用システム(200)に図(7(c)の物体を回転させる反時計方向に僅かに対向したとき、装着装置(210)を磁石(231a)および231c、例えば、オブジェクトインターフェイス(220)は、実質的に整列して磁石(230h)と(230b)の実装装置。オブジェクトは、このように配置され、近接取付装置(210)と係合する装着装置(210)は、上述したように。係合後、ユーザは、オブジェクトを回転させる右回り、摺動第2物体面(224)を前記中間面(212)、相関の磁石対231c、(230c)と231g、(230g)が係合される。ユーザは知ることができる相関の磁石対が係合してあるため、できないこともあるさらに時計方向各係合および/または、このオブジェクトは、その好適な搭載向き。係止を解除する目的では、ユーザは、オブジェクトを回転させるまで反時計方向に相関された磁石対との係合が外れ、同様に、磁石隣接相関磁石が係合される。ユーザは、このように係合解除することによって対象物解除力より小さい全との係合力を対象インタフェース(220)と実装装置(210)は、上述のように。システム(200)に関して説明した図(7(c)は(1つ)の多くの可能な構成を用いて相関磁石、構成するこの相関の磁石対が近接して完全に係合すると、()例えば、を支持されたファサード(285)が中間面(212)よりも内面(286)、同様に第2物体面(224)は、例えば)も生じるのに有利である所望の結果が得られる
さらに、相関する磁石は符号化されてよい()例えばプログラムされる)ことが可能であるように応答するのみで他の符号化された磁石。例えば、上記実施形態では、相関付けられた磁石と相互作用するように構成した永久磁石付き実質的に同様の様式では、永久磁石の位置に相関する磁石(上で説明した)あるいは、実施形態は、相関する磁石が効果的に"無視"いくつかの実施形態の構成、このような永久磁石としては、上記、のみに応答する他の符号化された磁石を構成してもよい具体的には、それらと相互作用する磁気。したがって、符号化された磁石を提供することができるかなりの程度のカスタマイゼーションに対する所望の機能システム。
取り付けシステム(200)は、上述のように非常に有益であることをユーザに対して、セキュリティ及び安定性物体が大幅に向上する。例えば、いくつかの実施形態、ユーザは、装着可能なテレビまたは他の視覚表示内の壁にボート、値化する追加のセキュリティを与えることができるに対するデバイスの予測できない急激な力()例えば、ヨー等)に作用することがある装置のボートが海上。また、映画館の会社は値システムを迅速に、かつ容易に取り付ける仮設照明システムから天井の性能を使用することができる実装システムを知ら重力方向に作用するように実質的に整列する線係合leは実装装置210照明システムは安全で重力の力に逆らって取り付けた際に天井とする
同様の利点は、システム(200)を再び参照すると、図(7(c)、を使用するように構成できる電磁石の代わりに、またはそれに加えて、相関付けられた磁石上述。例えば、システム(200)を使用するように構成される電磁石を提供するための更なるセキュリティを実装システム、磁石(230c、)230d、(230f)(図示せず)(230g)(図示せず)、(230h)が電磁石であってもよいによって管理されうる電流ができるように、強化又は弱体化信号に応答して。磁石(231)を第2物体面(224)は永久磁石であってもよい、システム(200)のみを含むことができる(7つ)の第3取付マグネット(231)は、システムが含まれていない磁石(231c)図(7(c)。更に、構成要素(230b)により中間面(212)の図(7(c)は回路に応答して磁気を製造する信号()例えば、ホール効果センサ。この回路は、応答の有無によって、磁石製造(1つ)又はそれ以上の信号、前記回路は、効果的に強度を制御するための電磁石(230)の装着装置(210)に信号を送信することによって、電気機器の取付装置(図示せず)からの信号を受信する回路を調整することができる力は、電磁石(230)。また、回路が調整可能に構成することができるようにイネーブル又はディスエーブルされるユーザ。使用可能になると、ユーザは、実装対象物の実装装置(210)のわずかに傾斜配向、前述のように、磁石(231a)および231dは、例えば、二次対象面(224)と位置合わせすることができる磁石(230h)および230cは、それぞれ、中間面(212)を備えている
このようにして、回路と整列させることができる領域を磁石(231c)図(7(c)(、再度、が存在しないように構成)しないように、信号は生成され取付。したがって、全係合から生じる力は初期()例えばスキュー)の係合は、レベルlの間に、ユーザは、オブジェクトを回転させる時計、上述したように、時計回りの移動を配列し得る磁石(231b)と回路などの回路に対し第1信号を送信する電気機器。電気装置を構成することができる効果的に強化して磁気力を電磁石(230)に応答して、前記第1の信号。増加した磁気強度の電磁石(230)は合計を増大させる係合力によりシステム(200)はレベルhレベルhの全係合力対象物から外れてある方向に実質的に対応する方向の係合le。これにより、ユーザは、希望の係合を解除するオブジェクトは第1オブジェクトを回転させる反時計回りのように、以上説明したように、回転するのに要する力をオブジェクトより少なくてもよい全係合力hの反時計回りの運動で移動させてもよい磁石(231b)の近傍から、前記回路などの回路に信号を送り、電気装置。電気装置を構成することができる効果的に磁力を弱めた電磁石(230)の第2の信号に応答して。低減された磁気強度の電磁石(230)を減少させることができる全係合力をシステム(200)がlレベル、ユーザが印加可能な離脱力取り外しを介してオブジェクトへの逐次的段階の解放は、上述のように、
重要なことは、対応する取付け磁石システムのシステム(200)のような作用と同様に、制御構成要素は、先に説明した。システムもまた企図されるようにしてもよいすべての搭載磁石と制御部品が電磁石、相関磁石、プログラマブル相関磁石、これらの成分は、対話するように構成されて、互いに、および他の制御構成要素を移動させる、再配向または再配置に取り付けられた物体搭載装置。例えば、再び図を参照すると、システム(200)は、図(7(a)の磁石(230)、(231)、(240)、(241)が構成されている電磁石を調整可能とすることができる前述の方法を介して。これにより、オブジェクト自体を介してオブジェクト。インターフェース、に影響を及ぼすことができるそれ自身の移動状態又は位置ように信号を送る装置のいずれかを対話的に()例えば、動的に)ユーザまたは事前にプログラムされた様式で操作する磁気力の便益のために、ユーザ。従って、装置(210)は、システムを生成することができる装置制御力、オブジェクトインターフェースを生成することができるオブジェクトの制御を介して力の構成磁石。したがって、オブジェクトインターフェイスは吐出可能自体の制御力を装置。また、オブジェクトインターフェースを適用することができる制御力を部分的に係合解除するようにオブジェクトのオブジェクトを調整してもよい
深さの調整を行なうことができる深さと中間面、の深さの調整よりも少なくてもよい装置の係合の深さは、物体が部分的にのみから外れた場合に、装置の調整することができる。このような容易に機能を中央物体面または前記複数の二二の物体表面を構成することができるが、少なくとも(1つ)の電磁石、少なくとも(1つ)の相関された磁石、または少なくとも(1つ)のプログラム可能な磁石。また、係合部材および/または中間面で構成されてもよい少なくとも(1つ)の電磁石、少なくとも(1つ)の相関された磁石、または少なくとも(1つ)のプログラム可能な磁石。
図(7a)乃至7cを示しており、対象インタフェースが(2つ)の面を有する係合、オブジェクトのインターフェースを構成することができ(数に依存して、面実装装置、例えば、)(3)、(4)、(5)、以上のプレーン係合追加収容するため段係合/非係合に設けられ装着装置。
説明の目的で、特定の外部の構成要素の実施形態の取付装置(10)、(210)に示される上述の図(7(a)-(c)は、図示しない他の記述された構成要素を示す。このように、装着装置(10)、(210)に様々な形態で利用できる。例えば、一つ以上の係合部材、中間面、磁石などを配置してもよい及び/又は可動ハウジング内。ハウジング自体は、様々な方法で構成される収容アタッチメント取付装置に様々な種類及び構成の実装面である
上記した実施形態の使用を必要とする2段の磁石()例えば(2つ)のプレーンp1、p2)同じ原理をつくってもよい取付装置(10)を有する、(4)、(5)、又はそれ以上の段の係合および/または係合。たしかに、大きい面数を磁性係合、小さい方の必要な増分の係合および/または解放力として必要な全係合力の間で分散できるより多くの面。また、係合/離脱力面に分散することができる実質的に等しく()例えば、全係合に要する支持力を目的のオブジェクトの合計数により平面)が不均一に分布し、例えば、一実施形態において、初期の離脱力要求よりも後続の増分の分離力解除に要する後続段。
本発明のある実施形態では、第2の搭載磁石は可動であってよい、複数の第2磁石内でサポートすることができる複数のそれぞれの第2の平面。また、第2の磁石を配置してもよい入れ子構成及び/又は入れ子式構成。したがって、いくつかの実施形態では、係合部材は、複数の係合部材部品、及び少なくとも(1つ)の係合部材の構成要素が応答するように構成できる磁気。次に、本実施の形態では図(8(a)に示されている、前記係止部材(14)は、複数の係合部材成分14'、14'、前記複数の第2の取付け磁石40'、40′′で支持され得る各第2平面上に各係合部材成分である
分割の係合する力が第2取付け磁石(40)のうち複数の第2の取付け磁石40'、40'を複数のそれぞれの第2の平面が可能に係合する力が二二の取付用磁石は、克服すべき大きな距離にわたって経由及びより多数の各締結力。従って、この係合に関連する力を各々のそれぞれの二二の面はより少ない力で、第2のマグネット取付支持する単一の第2平面、各係合の力を各々必要とする、より小さいそれぞれの離脱力は、全係合力を克服できるより徐々に。克服する全係合力と第2のマグネット取付より徐々に大きな距離にわたって可能にすることができる対象物をより容易かつからスムーズに離れる取付装置を保持しながら、実質的に同一の全係合維持のための力が係合対象物搭載装置の係合時、。
複数の係合部材成分(14'、14'')を構成してもよいように互いに関連して後退状態、前記複数の係合部材の構成要素が入れ子式の構成では、実質的に面一である中間面(12)、図(8(b)に示すように。従って、本実施の形態に示されている図(8(a)はより円滑かつさらに漸次的なリリースを物体を保持しながら、視覚的に魅力的な美観を同一の一面の実装装置である
拡張状態では、複数の係合部材部品14'、14′′を形成してもよく、入れ子式係合部材に向けて延びる物体に沿って取付けられる係合部材の軸()例えばx軸)。さらなる利益を配置する係合部材部品14'、14′′では、ネストされた及び/又は入れ子構成とすることができる係合部材部品14'、14''に適応することができる様々な面は、実質的に異なる深さを有していてもよい。このようなどの実施例は、装置(10)が示されている図(8a)-dを用いてもよい実装装置、及び/又は、その物体に取り付けられた取付用のオブジェクトを他の面。また、同様の装置を入れ子状の形状は相互に装着され得る高度の融通性及び容易さを剥離。
さらに、入れ子式の構成で係合部材構成要素は選択的に受けても伸びの異なる吸引力。例えば、図(8(a)に示された実施形態に適合するように構成できる相対的に小さい物体の小さい係合部材(14)"を収容できるよう構成される、比較的大きな物体を係合部材14'は、構成されてもよい異なるウェイトを互いに対して、および装置(10)の小さい係合部材14'が延在しても良い応答を比較的少ない吸引力、と大係合部材14''が必要とするより強い吸引力から延長させる装置(10)は、一例では、ユーザは使用したいと望む(1つ)に実装する実装装置は、(2つ)のデバイス、携帯電話やタブレットコンピュータである
ユーザがこれを達成するには、装置(10)は図(8(a)に示すように、より小さい係合部材14'が延びるように構成され得るこれに応答して、磁気吸引により近接する携帯電話機を装着する携帯電話機、との間の吸引力は電話と搭載装置の移動させる程度には強く大きな係合部材14'のように構成されている。しかしながら、より大きい係合部材14'を延びるように構成され得る、大きい方のタブレットコンピュータが接近させられる、タブレットコンピュータを適用することができる大きな吸引力(いずれかに起因して金属含有量の装置と比較して、携帯電話機、ので、或いは装置を取り付けてよいオブジェクトインターフェイス)これに対応して、オブジェクトのインタフェースを使用するために形成される入れ子装置選択階層機構一貫しての追加の利点としては、この装置。
場合によっては、装着装置(10)のように構成してもよい少なくとも一つの係止部材の構成要素が応答するように構成される磁気(例えば、少なくとも一つの係止部材の構成要素は、それぞれの第2装着磁石(40)は、上記のように。複数の係合部材の構成要素は、互いに対して、ただし、このような、引っ込め状態、前記複数の係合部材成分(3個の係合部材部品14'、14′′、14'の実施例において図(9(a)-C)入れ子式の構成で形成する伸縮容器(190)を受信するように構成され少なくともその一部が、被装着物の図(9(a)に示すように。拡張状態では、複数の係合部材成分14'、14'、14′′を形成してもよく、入れ子式係合部材(14)に向かって延びる被装着物の図(9(b)に示すように。実施形態の分解図である図(9(a)、(b)は図(9(c)に
従って、面強度、大きさ、配置、間隔、深さ、許容動き、前記第1及び第2の磁石を互いに、他の部品の実装装置、前記対象物は、様々な方法で構成するために、特定の所望の機能、能力、および/または美観。例えば(図2-4)、一部の実施形態、各限界位置の少なくとも一つを装着する磁石を可動するようにしてもよい第1および第2の磁石が可動位置へと第1及び第2の平面に実質的に一致する。
また、図(10)の実施形態は、係合部材(14)、(214)は、上述のように描いているが、平坦な外側面()例えば、面(88)が図(6a))実施形態に係る実装装置(10)も企図されている外側面(45)の湾曲または傾斜。この点に関して、いくつかの実施形態では、(1つ)または複数の面が係合()例えば、一つもしくはそれ以上の第1または第2の面)が湾曲面によって規定された。言い換えると、(1つ)または複数の中間面又は前記係合部材は、湾曲面によって規定された、図(10)に示すように、係合部材(14)をこのようにして、前記係止部材(14)に係合するように構成できる対応する湾曲部品オブジェクトインタフェース。また、曲率は係合部材(14)に()あるいは中間面では、いくつかの実施形態)できるように、更なる自由度の係合においてオブジェクトのインターフェースを実装装置、ことを許すようにオブジェクト。インターフェースが取り付けられ、ある角度()例えば、必ずしも中心軸と一致する係合部材)
次に、図(11(a)では、システム(300)が設けられているが、装着装置(310)においては、中間面(312)を応答するように構成できる磁気係合部材(314)にも応答するように構成される磁気。中間表面(312)を画定することができる第1の平面、その係合部材(314)は第2の平面を規定するように構成することができる移動の線に沿って係合leは、第1の平面と交差する。図に示すように、第2の面は、湾曲面によって規定された。システム(300)はさらに、オブジェクトインターフェイス(320)に取り付けられるように構成され、物体(図示せず)装着及び装着装置(310)、前記オブジェクトのインタフェースは、中央オブジェクト表面(322)を画定することができる第3の平面。中央物体面(322)が応答するように構成できる磁気を構成してもよい合致させる係合部材(314)。
係合部材(314)を構成してもよいとの間で移動する外側限界位置olとベース限界位置bl。また、係合部材(314)は、拡張部(398)と面(388)に接合されている拡張部(398)をサポートし得る第2取付用磁石(340)と二二の面。本実施形態では図(11(a)に示す、面(388)係合部材(314)は、湾曲した表面に第2取付磁石(340)は拡張部(398)ストップ機能(350)の外方への突出延長部(398)をよりも大きな直径を有する開口部(394)を中間面である
一部の拡張部(398)が滑動可能に収容するガイド面(396)は中間部材312上の停止機構(350)を制限してもよい係合部材(314)から離間させる方向に中間面(312)の線に沿って係合leとを接触させて、内側表面386中間面(312)、このように定義してもよい外側限界位置olが係合部(314)は係合部材(314)が外側限界位置、間の距離と第1および第2の面を画定してもよい装置の係合の深さda。
中間面(312)を支持してもよい第1取付け磁石(330)の第1の面、第1装着磁石(330)を制限することができる係合部材(314)から離隔する方向に中央物体によって表面(322)に接触して二二の取付用磁石(340)と係合部材(314)、このように定義してもよいベース限界位置は係合部材(314)を
上述したように、中央の被写体面(322)を構成してもよい合致させる係合部材(314)を介して面開口(304)と接触面(302)の表面の開口(304)を構成してもよい()例えば、成形)実質的に同一平面にて係合面(388)が係合部材(314)と、相応する、前記第2装着磁石(340)の直径は表面開口部(304)の直径よりもその面(388)係合部材314(、これに対応して、直径よりも第2取付磁石(340)。直径表面開口(304)及び深さ()例えば、厚)中央物体面(322)を構成してもよいに対して対象(図示していない)の径に対して面(388)()例えば径が二二の取付用磁石340)接触面(302)と実質的に同一平面にて係合面(388)係合部材(314)は、例えば、実質的に平坦又はほぼ平坦な部分に前記オブジェクト、に付着してもよいオブジェクトインターフェイス(320)の表面に中央物体面(322)から最も遠い装着装置(310)のブロック又は他の一部を占める開口(304)を占有することができる係合部材(314)と係合するときに、中央物体表面(322)、ことを必要とする大きい深さ()例えば、厚)中央物体表面(322)よりもない物体のブロックまたは他の部分を占有し開口部(204)にあって、
中間面(312)に取り付けることができる取付面()たとえば、壁)締結具を介して、皿孔307。中央物体面(322)に取り付けることができる、物体(図示せず)装着ファスナにより座ぐりした開口部355。中間面(312)を適用することができる吸引力を介して)第1のマグネット取付330)係合部材(314)を係合部材(314)がベース限界位置()すなわち後退)また、装着装置(310)を解放()例えばアイドル)。
このため、被装着物の取付面に置くことができる近接取付装置(310)、との間に吸引力を係合部材(314)と中央物体表面(322)よりも吸着力を係合部材(314)を中間面312上に係合部材を移動させて外周側限界位置ol。中央物体面(322)が装置内での係合深さda、前記係合部材(314)に到達することができる外側限界位置olに保持され、外側の限界位置との間の吸引力は中央物体表面(322)と係合部材(314)まで中央物体面(322)を移動させることができる装置内での係合深さda。中央物体面(322)は装置内での係合深さda、前記係合部材(314)を係合することのできる中央物体表面(322)は()例えば、第1段の係合)
近接する中央物体面(322)を中間面(312)は、結果として吸引力前記中央物体表面(322)と中間面(312)で係合部材(314)、中央物体表面(322)、物体方向に移動する中間面(312)、となり、全体の間の嵌合力を実装装置(310)およびオブジェクトインターフェイス(320)は増加度のような時点まで係合部材(314)に移動してもよいベース限界位置bl。ベース限界位置bl、との係合力を中央物体表面(322)と中間面(312)を生成することができる()例えば、第2の段階の係合)全体的な係合力が全係合力を、物を載置する載置面。
図(11a)において、中央物体表面が物理的に係合し、ファサード(385)と中間面(312)、係合の間に生じる力の中間面(312)および中央物体面(322)は、磁気締結力。このように、オブジェクトに自由に移動できる顔に関する(388)が係合部材(314)を()例えば、回転枢等)前記オブジェクトを操作することができる好ましい配向である(Fig.11B)に確実に取り付けられた時を介し全係合力を実装装置10である
取付装置(310)を構成し得るように、係合解除力の合計よりも少ない締結力に適用可能に取り付けられた物体物体インターフェース(320)は、係合が解除できるオブジェクトインターフェース実装装置から段階的に順次に抗して各係合に付随した力により、係合部材と中間面。
に示された実施形態に関して図(11a)、離脱力印加されるオブジェクトは、十分な強度を係合解除する搭載物、解除力が大きい間の係合力は、中間面(312)と中央物体面(322)において、全係合力によって、克服される度に亘って距離装置によって規定される係合の深さda、解放力を第1の克服の間の係合力は、中間面(312)及び前記中央物体面(322)は運動を開始する係合部材(314)と物体が外周側限界位置ol。外側限界位置では、離脱力は必要とする強度よりも強い係合力前記中央物体表面(322)と係合部材(314)を係合解除するオブジェクトの実装面からの。
次に、図(12)の実施形態は、装着装置(10)を示す。装着装置(10)の図示(12)が一一の装着マグネット(30)に支持され、一一面と二二取付マグネット(40)に支持された第2の平面。第1の取付け、磁石(30)は、(6つ)の磁石(30)に支持され、中間面(12)、第2取り付け磁石(40)から構成されてもよい(1つ)の磁石(40)に支持され、係合部材(14)の
また、係合部材(14)が移動可能に構成された線に沿って係合leとが交差するように、第1及び第2の平面。また、係合部材(14)は、延長部(98)と面(88)に接合されている内線。
中間面(12)は固定位置に存在する。中間面(12)を受けるよう構成され得る部分の延長部(98)が係止片(14)を介してガイド面(96)の開口(94)の一部によって画定される中間面(12)、(2つ)の突起の内表面(86)を中間面(12)に侵入開口部(94)によって受け取ることができる溝(58)の延長部(98)が係止片(14)をさらにガイド移動係合部材(14)の回転を防止する係合部材(14)の係合部材(14)を移動させる間に延伸状態と後退状態と。
係止部材(14)の間を動くよう構成されベース限界位置blと外側限界位置ol。係合部材(14)に限定されることもあり、方向外側限界位置ol、ストッパ機構(50)によって提供され得る外方への突出延長部(98)が係止片(14)、及びストッパ機構(50)が接触しても、内表面(86)の中間面(12)に溝(58)と係合部材(14)が伸長状態。収納状態では内面(59)と係合部材(14)を接触させてもよいガイド。ストップ(87)の移動を制限する係合部材(14)を基台側限界位置bl。また、沈胴状態において、ファサード(85)の中間面と面(88)と係合部材(14)は、実質的に面一、の間の深さまでファサード(85)とガイド。ストップ(87)とほぼ同じでよいとの深さの面(88)と内側面(59)と係合部材(14)の
ストッパ機構(50)の係合部材(14)を支持することができる複数の制御部品60(6本実施の形態)とほぼ一致する第1取付磁石30(均等に6本実施例では)可能に支持される中間面。これによって、制御構成要素(60)は可動であってよい、の移動及び制御構成要素(60)は実質的に対応する二二のマグネット取付40。前記異なる、前記複数の制御構成要素(60)で支持され得る第3の平面に対して移動可能である係合部材(14)は、実質的に第2の平面に平行な。
制御構成要素(60)の力を印加してもよい取り付け磁石30(6個の磁石図12)バイアスし得る係合部材(14)に向けて退避状態()例えば、反発力)へ移動し、係合部材(14)に向かって退避させた状態で停止させてもよいガイドストップ(87)を中間面(12)の内周面(59)と係合部材(14)を当接させるガイド停止87。、目標実装面積(先に説明した)とが同一面取付装置(10)が非係合の状態()例えば、アイドル状態)は、上述のように、
取付装置(10)が取り付けられるように構成される取付面(図示せず)(4つ)の取付支持体(107)は、被取付対象物の取付面に置くことができる近接載置装置(10)は、少なくとも(1つ)の吸引力と前記対象物間の少なくとも一方の取り付け磁石(30)、(40)は、少なくとも(1つ)の吸引力よりも大きくすることができる抑制力は中間面12上に、制御構成要素(60)は、係合部材(14)は物体側に移動すると係合するオブジェクト。オブジェクトと第2装着磁石(40)を生成することができる係止力()例えば、第1段の係合)前記対象物は、このような近接する中間面(12)で、物体に向かって移動する中間面(12)物体に係合する第1取付磁石30(と、これに対応して、中間面12)第2段階中に、係合を生成することができる全係合力の物を載置する載置面。
オブジェクトから係合解除され得る載置装置(10)の適用により離脱力の合計よりも少ない締結力、全係合力を克服できる段階を順次に抗して各係合に付随した力により、前記第1及び第2の取付用磁石を解放する目的である
制御部(60)は力を与えるように構成する中間面(12)を付勢することができる係合部材(14)に向けて延長状態。実際には、係合部材(14)に沿ったどの点にでも位置ライン係合leの間であり得る外側限界位置olベース限界位置blを構成することで、制御構成要素(60)を()例えば、サイズ、強度、形状、タイプ等)第1装着磁石(30)を互いに対して所望の位置に係合部材(14)が達成される。例えば、制御成分と第1取付磁石とすることもできるように互いに構成さの顔は係合部材が実質的に面一の中間面装置がアイドル()例えば、解放状態にある)また、制御成分と第1取付磁石を構成してもよい相対的別のそのような、前記係合部材が延長取付装置がアイドル()例えば、面(88)と係合部材(14)が位置していてもよいが、線に沿って係合方向に前記装着対象物よりも中間面(12)、面(88)との間に配置することができるオブジェクトと中間面(12)、装着装置が解放状態にある)あるいは、いくつかの実施形態では、制御構成要素及び第1の搭載磁石とすることもできるように互いに構成さ、前記係合部材が短縮し、実装装置がアイドル状態()例えば中間面(12)は、の位置のラインに沿って係合方向に前記装着対象物よりも面(88)と係合部材(14)の装着装置が非係合状態)
様々な磁石を選択することができる実装装置これを容易にするために、または他の所望の装置の機能及び/又はその成分、一一の取付用磁石(30)と、第2実装用磁石(40)、および/または、制御構成要素(60)は、電磁石、プログラマブル磁石、相関磁石等、例えば、第1取り付け磁石は、少なくとも(1つ)のプログラム可能な磁石および制御コンポーネントは、少なくとも(1つ)のプログラム可能な磁石。これにより、第1取付磁石と前記制御成分はそれぞれ、プログラムされたこのような協働する生成所望の位置に係合部材取付装置が解放状態の際に()たとえば、装着装置がアイドル状態である)。
さらに、または代替として、磁石を選択することができるので、取付装置の追加機能を提供する。再び図(12)のいくつかの実施形態において取付装置(10)では、第2のマグネット取付部(40)は、相関する磁石。さらに、オブジェクトインタフェース(図示せず)は、対応する相関する磁石は、実質的に整列して第2取付マグネット(40)の係合中には。相関付けられた磁石は、一旦係合した状態(全係合力を介して取り付けられる、上述の)オブジェクトの回転のインターフェース()例えば、時計回り方向の回転)前記一対の相関する磁石の生成と相互作用する係止力の対象から外れることもなく、装着装置(10)の方向に対応する方向にライン係合leとなる
ロック係合の力が、係止力に加えて、全係合力達成の取付時に対象インタフェースを取付装置。これに対応して、ユーザが希望する解除から物体搭載装置、ユーザがオブジェクトを回転させると略反対様式()例えば、反時計回り)係止を解除する係止力は、ユーザが、間違った約印加解除力を物体の合計よりも少ない締結力を解放して体を段階は、上述のように、
実施形態の対を用いて相関磁石は非常に有益であることに起因するユーザの度の追加のセキュリティ機能が設けられている。例えば、ロック係止力がレジスト重力物体重力の力に実質的に整列した線係合leを離脱する方向、全係合力(ロッキング係合力)しなくてもよい。このように、付加的な回転が使用者により実行され()例えば、時計回りに上記の例では、)が不用意に係止解除実装装置における物体及び装置のような位置に移動させる重力さもなければ意図しない離脱を生成する。また、ロック係止力がレジスト内におけるオブジェクトの移動の係合解除方向の線に沿って係合le、ユーザは、オブジェクトを回転させるおよび/またはオブジェクトインターフェースをロック係止力させたいときに、操作または調整対象物を解放することなく対象機器からの場合のように、再配置するオブジェクトを継続して使用する。言い換えると、ユーザの意思を移動させる搭載物体を自身の側に向けではなく、離脱するオブジェクト、ユーザが回転させるオブジェクト/オブジェクトインターフェースを事前に"ロック"し、実装装置との意図しない解放を防ぐため対話しながら、対象。これにより、ユーザは自由に動いて方向における物体の線係合le心配なく意図しない係合解除。
ロッキングは、上述の機能を作成することができる多くのタイプの磁石および/または様々な構成の磁石の異なる実施形態である
次に図(13)、システム(400)が示されている実装オブジェクトインターフェイス(420)を装着装置(410)をシステム(400)は実装装置(410)を含むことができる中間面(412)に応答するように構成される磁気及び係合部材(414)に応答するように構成する磁気。中間面(412)は第1の平面を規定し、該係合部材(414)は第2の平面を規定する。また、係合部材(414)は、ラインに沿って移動可能の係合leと交差する第1の面を支持することができる第2のマグネット取付(440)の第2面。中間面を支持し得る第1取付マグネット(430)の第1の平面、第1装着磁石(430)は、6個の磁石30。システム(400)には、物体を含むことができるインタフェース(420)を取り付け可能に構成され、被装着対象物(図示せず)この実装装置(410)をオブジェクトインタフェース(420)は、中央オブジェクト面(426)を応答するように構成される磁気とを規定することができ、第3の面。オブジェクトインターフェイス(420)を含んでいてもよい二次対象面(424)から間隔を置いてもよい中央物体表面(426)および第4の面を規定してもよい。第2のオブジェクトの表面(424)をサポートしてもよいし、各第3のマグネット取付431(のうちの1つでよく、複数の第3磁石と、複数の第3の平面はこの実施の形態)、及び第3搭載磁石(431)から構成されてもよい(2つ)の磁石(431)に支持され、それぞれの第3の面。中央物体表面(426)を支持することができるそれぞれの第3取付磁石(441)、で構成することができる、(1つ)の磁石(441)は、各第3の面である
少なくとも(1つ)の係合部材(414)や中間面(412)との間で移動可能に外側限界位置olとベース限界位置bl。装置係合深さdaがとの距離で定義される第1および第2の面の前記少なくとも(1つ)の係合部材(414)や中間面(412)の移動が各外側限界位置。
図示の実施形態の図(13)では、係合部材(414)との間で移動可能に外側限界位置ol基地限界位置blとが滑動可能に収容する中間面(412)をガイド面に沿って(496)の開口(494)、内線(498)に沿って摺動し得るガイド面(496)を中間面(412)と中間面(412)、固定位置を有してよい。この係合部材(414)をさらに含んでいてもよい拡張(498)及び二面(488)に接合する延長、移動係合部材(414)は、限定された方向は、被装着対象物を停止特徴部(450)に形成されている外方への突出延長498。停止機構(450)は、内周面に接触させ(486)に中間表面と、を定義するのに役立つ外側の限界位置と第2の装着マグネット(440)に加えて、ストッパ機構(450)を支持することができる複数の装置制御コンポーネント460(6個の磁石(460)は本実施形態)平面内において相対移動する第2の平面。移動係合部材(414)に向かって退避状態によって制限されてもよい内側面(459)を係合部材(414)との接触により、ファサード(485)の中間面である
中央物体表面(426)はリード面(429)に係合するよう構成され顔(488)は係合部材(414)の実装プロセスにおいて。第2のオブジェクトの表面(424)は、間口(427)とハンガー(477)に取り付けられた間口427。、第2物体面はファスナー穴(479)を装着する被装着対象物()例えば、ピクチャフレーム等.)。
図示の実施形態では図(13)、磁石(431)、(441)、(430)、(440)、(460)は、希土類磁石。取り付け磁石(431)に支持され、二次オブジェクト面(424)は、北(N)磁極が対向する実装装置(410)を装着磁石(430)に支持され、中間面(412)、のs極に対向して対象インタフェース(420)は北(N)極を向け制御成分(460)に支持されている停止特徴部(450)と中間部材414。制御成分(460)は北(N)極を向け対象インタフェース。取付マグネット(440)により支持され得る面(488)と中間面とを有していてもよい南(S)との対向磁極と対象インタフェース(420)と取付磁石(441)によってサポートすることのできる中央物体表面(426)および北を有していてもよい(N)との対向磁極と実装装置(410)。
したがって、制御成分(460)を構成してもよい弱く反発し磁石(430)、前記係合部材(414)は、後退位置に離脱時()例えばアイドル)及びそのから離れる向きの移動オブジェクトインターフェイス(420)を停止させてもよい接触するファサード(485)の中間面を内側面(459)を係合部材。磁石(431)に設定してよいが適度に吸着される磁石(430)、前記磁石(441)を構成してもよいが強固に磁石に吸着された440である
2017534305.tif 000003
これによって、内側面(459)は、係合部材が接触するハンガー(477)の第2次物体面(424)、効果的に保持できるハンガー(477)に対するファサード(485)の中間面。
ユーザは適用解除力を上昇させることができるオブジェクトのスライド間口(427)の第2次物体表面をファサード(485)は中間部材(412)との係合を解除させる磁石(430)、431。引上げ力よりも小さくすることができる合計との係合力を磁石(430)、(431)、磁石(430)、(431)としていた方向に引かれた線に沿って係合le。係合解除する磁石(430)、(431)は原因に加わる反力は制御構成要素(60)を低減することができる。近接する磁石(441)liftingをオブジェクトには係合部材(414)が伸びて離型ハンガー477。、被写体を係合から完全に解かれ実装面。
例えば、いくつかの実施形態では、第2取り付け磁石を可動とすることができる、複数の第2磁石内でサポートすることができる複数のそれぞれの第2の平面。この点に関して、図(14)を参照すると、いくつかの実施形態では、係合部材(14)は、複数の係合部材、(4つ)の係合部材(14a、)14b、(14c、)14dに図示された実施の形態。少なくとも(1つ)の係合部材(14a、)14b、(14c)と、(14d)が応答するように構成できる磁気の()例えば、(1つ)または複数をサポートしてもよいそれぞれの第2のマグネット取付)各係合部材が移動するように構成されるとともに独立してそれぞれのラインを係合する他方の係合部材。従って、各係止部材(14a、)14b、(14c)と、(14d)の間を動くよう構成され、各ベース限界位置bl及びそれぞれの外側限界位置olに実質的に依存しない他の係合部材である
また、二二の取付用磁石を構成してもよい各基地限界位置blと各第2マグネット装着が実質的に同じ平面にある。この実施形態の図(14)では、例えばベース面(80)を設けてもよいのは、停止特徴部分(55a)、(55a、)55b、(55c、)55dに対応して係合部材部品(14a、)14b、(14c、)14d。各ストッパ機構(55a、)55b、(55c、)55dは、高さ()例えば、長さから離れる延長部のベース面80)に実質的に対応する深さは、対応する係合部材部品(14a、)14b、(14c、)14d。例えば、最も深い係合部材成分(14d)の実施形態図(14)に対応するように、ストッパ機構(55d)と、最小の高、最も浅い係合部材部品(14a)が対応するように構成されるストッパ機構(55a)の高さが最も大きくなる。この構成では、ストッパ機構の高さと対応する係合部材深さに加算すると、同一寸法の全てにわたって係合部材部品、これらの各基の制限位置blの各第2の磁石は実質的に同じ面()例えば、組立てられた外面に前記係合部材は、実質的に面一)。
各係合部材部品(14a、)14b、(14c、)14dは、延長部(98a、)98bは、(98c、)98dと面(88a、)88b、(88c、)88dに接合されている内線、各延長部は、制限するように構成されている物体の移動する方向に沿って(1つ)の軸に応答して破壊的または離脱力印加、上述したように被写体。これにより、内線(98a、)98b、(98c)、(98d)は各係合部材部品(14a、)14b、(14c、)14dの深さを規定することができる、上述のように、その深さは、少なくとも(2つ)の係合部材の構成要素が異なっていてもよい、実施形態に示すように、図(14)には、
しかしながら、他の実施形態で示す実施形態のように、図(15)では、各係合部材(14n)と実質的に同じ深さを規定することができる、複数の係合部材が近接配置された集合を形成する。例えば、複数の係合部材(14n)の複数の第2の磁石組み付け(40n)を複数の第2の面に配置されてもよい比較的近接して集合を形成する(140)。各係合部材(14n)は、延長98n及び面(88n)接合延長、各締結部材(14n)にセット(140)は、独立に移動する他方の係合部材。従って、各係止部材(14n)が滑動可能に収容する中間面(12)開口部94nとはガイドに沿って移動面96n開口94n。このように、移動係合部材(14n)との間の限定されベース限界位置blと外側限界位置ol、移動係合部材(14n)の方向に向かって装着対象物により制限してもよい停止特徴(50n)を形成し、外方への突出延長98nを接点内表面(86)を中間面(12)ベース限界位置bl係合部材(14n)によって定義してもよい深度拡張98n係合部材(14n)の前記ベース面(80)には、
さらに、またはあるいは、ベース限界位置blの各係合部材(14n)が定義されてもよい制御構成要素(60)を適用するように構成できる制御力を集合(140)または、いくつかの実施形態では、別個の制御力の特定の各係合部材(14n)。例えば、制御構成要素(60)から構成されてもよいプログラム可能マグネットをのアレイを持つ磁石の個数に対応して係合部材(14n)。これによって、制御構成要素(60)を得ることができるが、複数の吸引力と反発力が同時に作用して別々に各係合部材(14n)にセット(140)を生じ得るが、係合部材(14n)を後退させながら、他の係合部材(14n)が延びる。さらに、延長係合部材(14n)を拡張してもよい度(例えば、異なる長さの構成に応じて、プログラム可能な磁石)前記セット(140)は、可能な種々の形状をとる。このように、セット(140)に合わせることができ、対象物の形状や収容することができる搭載物特定方法。
さらに、いくつかの実施形態では含んでいなくてもよい制御構成要素(60)、セット(140)は係合させることができる載置装置(10)の物体、不規則な面を有する()例えば、非垂直あるいは傾斜線や曲線)のピンのセット(140)の形状と合致するオブジェクト()またはオブジェクトインターフェイス)に取付けることもできる物体及び/又は少なくとも一部分を支持する重量ことなく対象物のために構成された前記オブジェクト。したがって、装置(10)は、セット(140)は、適応することができる物体を取り付けることは、他の実施形態はそうではない
装置10であって、セット(140)は、図(15)に係合することができる、体を段階的に上述のように、オブジェクトの一部分に係合し、中間面(12)の一部の物体に係合する中間面(12)を圧縮してよい()例えば、完全に後退させる)前記係合部材(14n)の一部に接触して前記物体、と非圧縮係合部材(14n)に引き寄せられることができる複数の深度の対象物を実質的に"充填"キャビティの物体に係合しない中間面(12)へ物体が係合支持されているより広い表面積に比例して被写体の全体表面積と比較して、他の実施形態。
また、実装装置10であって、セット(140)は係合部材(14n)を取り付けてもよい取り付けられる対象物と係合することができる異形面が応答するように構成される磁気。
上述したように、開示された方法の各種の態様をとりうる。図(16(a)及び(b)は、実施形態の実装装置を使用することができる最小限の数の構成要素に適用する方法を発明。図示の実施形態では、制御構成要素から吊下することができる構造を備えていてもよく、中間面の他の実施形態、前記制御コンポーネントは、可動装置を装置および係合部材。係合部材は同様に構成することができる係合部材(14)は、図(12)には、
図(17a)および17bは、ハウジング(500)に関して示す実施例に係る取り付け装置(10)の実施形態と同様に、図(1)のハウジング(500)の前側部分(510)と、後方部分(520)の前方部(510)および背面部(520)は互いに適合し、クラムシェル構成では、図(17(b)に示すように。また、前面部分(510)を収容することができる移動通係合部材(514)、後端部(520)が取り付けられるように構成される実装面を備え、ボールジョイント型の取り付け部材(550)にソケット部品(540)の実装装置(図(17a))前記ソケット部品(540)は、例えば、によって定義され、構成する後部分(520)は実装装置(500)に示すように。このような実施形態では、ボール。ソケット取付550-540は実装装置(500)に対して移動自在とした取付面、例えば、回転()例えば、ピッチ、ヨー、ロール等)例えば、ボールジョイント型の取り付け部材(550)は装着対象(図示していない)は、手動調整によりユーザ(上、下、左、右等)。この点で、ボールジョイント型の取り付け部材(550)を設けることができる延長壁、テーブル、または他の面、ユーザによる調整は、ボール及びソケット取付550-540を容易にすることができるユーザーの画面を見る角度(例、)搭載物の調整を通して取付位置を装置に対してボールジョイント型の取り付け部材(550)。
図(17b)は、例えば、その後方部(520)は、ベース面の実施形態を図1、この前部(510)として機能してもよい中間面と前記係合部材(514)は、移動可能に構成し、両者間。前後部(510)、(520)が取り付け可能に構成され、互いにコーナー。フランジ(530)およびファスナ(図示せず)
次に、図(17(c)に示す正面図であるハウジング(500)、中間表面実装装置を有するように構成できる近接縁pと遠端qに近い縁pに対して定義することができる遠端qを最小限の短い距離ds、測定する至近端pから係合部材(514)よりも少ない最小長距離dl、から測定した遠端qと係合部材514。いくつかの実施形態、その最小短距離dsと最小長距離dlは同等であってもよい()すなわち、ds=dlでは、円形の板状の中間面)本開示の目的のために、実施形態の実装装置の最小短距離dsは、等しい最小長距離dlであるとみなされる少なくとも(1つ)の遠方エッジまでqおよびno近接縁p。
いくつかの実施形態において、装置および/またはシステム構成とすることができるオブジェクトは、回動自在の噛合を解除して装着装置。よって、辺の中間表面を画定することができる少なくとも(1つ)の回動軸、及び離脱オブジェクトに加える力が原因で、オブジェクト(及び/又はオブジェクトインタフェース)回動可能に係合する接触領域のエッジの中間面に、物体を移動させることができる回動軸のまわりでの端部の中間面。オブジェクトの移動軸を回動軸は、前記オブジェクトを枢動可能に係合解除実装装置からのアークに沿って解放。図(17(c)に示す回動軸paによって規定される近接縁pは前方部510(中間面)ハウジング500(実装装置)
このため、回動係合解除対象の弧に沿った解放adeはオプションとすることができるいくつかの実施形態では()例えば、の利用可能な代替例として、解放路解放経路線に沿って係合le)が好適に切断線に沿って係合le、離脱力を生成するのに必要な回動解除を装着対象とする円弧に沿って解放(ade)未満にすることができる解放力を解放するために必要なオブジェクト実装装置からの線に沿って係合le。どの経路を解除()例えば、弧に沿った解放adeまたは線に沿って係合le)、解放から前記対象物の装着装置が発生する段階である
図(17(d)に示すシステムの側面を構成するハウジング(500)と部分的に解放対象インタフェース(570)と一致する係合部材(514)を介してキャビティ(575)、前記オブジェクト。インターフェース(570)を構成してもよいに対して実装装置(筐体500)することができるように、回動自在の噛合を解除して取付装置。オブジェクトインターフェイス(570)の解除力が当該物体()または物体インターフェース570)と略直交する方向に、回動軸paの縁によって規定される中間面は対象インタフェース(570)を回動可能に係合する接触領域を規定する縁を回動軸pa(例えば、前記近接縁pは前方部(510)は、本実施の形態)その物体インタフェース(570)は、移動軸を回動軸pa及び枢着解放実装装置からのアークに沿って解放(ade)。従って、解除力を適用してもよいいずれの2方向の線で画定される係合le本実施形態()例えば、方向へ限界位置は係合部材(514)又はベースから離れる方向に限界位置は係合部材514)回動係合解除対象インタフェース(570)とを有している
また、回動係合解除により製造してもよく、複数の係合解除力ほぼ逆方向回線に対応する係合le部と対象インタフェース(570)()又は物体)実質的に互いに反対の至近端pは、例えば、することを希望するユーザは枢動可能に係合解除から物体搭載装置を適用することができる離脱力の頂部付近にオブジェクト。インターフェースから離れる方向での実装装置(ベースから離れて限界位置は係合部材514)同時に、適用解除力の底部へ物体インターフェースの方向に向かって実装装置側(ベース限界位置は係合部材514)に回動可能に係合解除から物体搭載装置。
実施例の実装装置および/またはシステムは、容易にするよう構成される()例えば、容易化する)揺動離脱1つ以上のエッジに沿って前記取付装置、防止するように構成され()例えば、より困難)揺動離脱1つ以上のエッジに沿って前記取付装置、または、枢動係合解除のオブジェクト()またはオブジェクト。インターフェース)ができない。例えば、最小短距離ds、最小長距離dl、前記装置の係合の深さda、オブジェクトインタフェースの深さdoの形状の係合部材、及び/又は配置の第1のマグネット取付容易にするように構成可能又は防止に回動解除からオブジェクトの実装装置である
一実施形態では、対象インタフェースの深さdoを構成してもよい深さに対して係合部材(514)を回動解放の対象が可能でない。言い換えると、係合部材(514)は、長すぎると対象物に相対的に界面の深さdoを被枢支係合解除。
他の実施形態では、幅及び/又はサイズは中間面(dl、ds)を構成してもよい対象物の大きさに対して()又はオブジェクトインタフェース)容易にするかまたは防止する枢動解放対象。より多くの距離dl、dsの間の係合部材(514)及び各エッジqまたはpの中間面が必要とされ得るより大きい()例えば、より強い)離脱力を回動解除の各々に沿ってエッジpあるいはq、すなわち、回動係合解除対象インタフェースより困難である)との間の距離が短い係合部材(514)とエッジqまたはpの中間面が必要とされ得るより小さい()例えばより弱い)離脱力を回動解除の各々に沿ってエッジpあるいはq、すなわち、回動係合解除対象インタフェースはそれほど難しくない)これに対応して、揺動離脱に沿って遠方エッジまでqを必要とし得る比較的大きい離脱力より揺動離脱に沿って近接縁p
さらに、またはあるいは、装着装置を構成することができる()例えば、成形)との接触面積を前記対象インタフェースの縁との中間面がピボット軸は減少する、減少()例えば、より小さい)接触面積を画定するピボット軸がピボット係合解除対象にくいのがより困難である。例えば、図(17(a)-17(c、いくつかの実施形態の取付装置は、中間面のように構成され最小長の距離dlに沿って一定の遠い方の縁部qを有する実施形態は一定の最小長の距離dlは、湾曲した遠方エッジまでq
湾曲した遠方エッジまでqが回動解除に沿って遠方エッジまでqより難しい(および可能性のある意図しない外れにくくなる)湾曲遠端qを生成することができるより小さな接触領域ピボット軸よりは実質的に平坦な()例えば、直線)遠端qと小さな接触面積占有の小さい方の部分の枢動軸は提供しない同じてこおよび/または安定性を有する回動係合解除が、実質的に平坦な()例えば、直線)遠端qに沿って実質的に同一の回動軸。例えば、オブジェクトを支点として湾曲遠端q係合部分だけ遠方エッジまでqに応答して、離脱力および、は安定していない場合の揺動軸に関連付けられた遠方エッジまでqから全係合力物体との間の取付け装置が克服される。一方、オブジェクトのまわりに実質的に平坦な遠端q係合する全体までエッジq解除力となるので、より安定した枢軸に沿った軸に関連付けられた遠方エッジまでqの相対的な安定性の欠如に沿って湾曲遠端qが必要とされ得る集中する()たとえば、より慎重に定常、または標的化された)離脱力を克服するために全係合力を搭載装置またはシステムを製造する回動係合解除、尤度の意図しない脱落を低減することができる。また、このような濃縮離脱力が必要とされ得る、ユーザが見つけると、回動係合解除に沿う曲面は、その取付装置を生成することができる体験をあまり望ましくない()例えば、より困難である)体験に関連する枢動解放に沿って実質的に平坦な()例えば直線的)には、その取付装置に関する
これに対応して、最小の短距離ds、最小長の距離dl、および/または形状をエッジ(S)している取り付け装置の構成とすることができる最も簡単な回動解除()例えば、最小の抵抗の経路)が顕著に()例えば、直感的な)ユーザのための取り付け装置またはシステム。そのため、中間の表面実装装置を促進するように構成できる揺動離脱されるオブジェクトまたはが実質的に妨げられる枢支係合解除対象の1つ以上のエッジに沿って前記取付装置/アプリケーションである
オブジェクトインターフェイスはまた、促進するように構成できることを防止する、または変更する回動解除からオブジェクトの実装装置。例えば、いくつかの実施形態、円弧を解放(ade)によって変更することができるギャップ深さgdとの間にオブジェクト。インターフェース(570)および中間表面実装装置における物体インタフェースおよび実装装置が係合装着構造。例えば、このシステムの実施形態は、前記対象インタフェースには突状のダイアル(図(29)では、以下に説明する)、ギャップ深さgdとの間で前記中間面と中心対象表面にオブジェクト。インターフェース、ギャップ深さgdが大きく乖離するアークを解放adeとライン係合leを解除距離()例えば、するために必要な距離と完全に係合解除するオブジェクトインターフェース実装装置から)回動解除よりも対象する場合に生じるギャップ深さgdを、実質的にヌル。図(17d)は、ギャップ深さgdが実質的にヌルである()すなわち、存在しないギャップ深さgd)オブジェクト。インターフェース(570)は、実質的に同一平面にて係合する中間表面-前部部510-完全に係合すると、電子部品実装装置による
いずれの場合()例えば、か否かを定義するギャップ深さgd前記中央物体面と取付け装置は、システムが係合される)、コンポーネント及び/又は特徴的な実装装置及びオブジェクト。インターフェース()例えば、装置係合深さda、深さ及び/又は形状の係合部材；前記深さ及び/又は直径が係合部材成分。深ダイヤル；径してこの物体の空洞内にインターフェース；等)を構成してもよいと最小短距離dsを容易に解放経路に対応する円弧を解放(ade)。例えば、図(17(d)に示すように、(1つ)または複数の前縁には係合部材(514)は、を容易にするように揺動係合解除に沿って所望のアークを解放(ade)。
次に、図(18)の別の実施形態である装着装置(10)が係合するように図示及び取付対象物。図示の実施形態の図(18)、前記オブジェクトとは、インターフェース(20)を取り付け可能に構成され装着対象物。
取付装置(10)は、第1実装用磁石を支持する第1平面p1及び第2のマグネット取付が支持されている第2平面p2。第1平面p1は公称平面とにより画成される中間面(12)に取付装置(10)、第2の面p2は、公称平面である係合部材(14)の装着装置では、前述のように。従って、中間面(12)と係合部材(14)は、それぞれ対応するように磁気
第1の実装用磁石は複数の磁石を幾つかの実施形態。同様に、第2のマグネット取付は、複数の磁石。図示の実施形態の図(18)、第1の取付け磁石(1つ)の磁石(30)と第2取付磁石構成は、(4つ)の磁石(40)は、図示のように、設けられている。量、種類、強度、配置、間隔、等の磁石を、互いに対しての他の構成要素に対して実装装置に合わせて選定することができる被取付対象物のユーザの要求仕様。
少なくとも(1つ)の磁石()又はグループ(S)磁石の内、取付磁石の場合のように、図示された実施の形態)を実現させることができる他方の装着マグネット線係合leとが交差するように、第1及び第2の平面p1、p2。この点に関して、移動取り付け磁石を移動可能、一部の実施形態においては、第1および第2の両方の磁石組み付け)制限されてもよく、このような、各取付磁石を可動できるのみである移動それぞれの外側限界位置olと各ベース限界位置blに
外側限界位置olが定義されてもよい例えば、、停止部(56)から延びる部品実装装置(10)の図示の実施形態において図(18)、前記係止部材(14)に対して移動可能に固定した中間面(12)により係合部材(14)が摺動可能に受け、シリンダ(35)が中間面(12)との接触によりブロック面(36)、(56)を設け、内方からの延長部は側壁(52)を中間面。停止部(56)が今度、接触するように構成される対応する棚部(51)により係合部材(14)の移動を停止させる係合部材(14)と、外側限界位置olの位置により規定される第2の装着マグネット(40)の棚部(51)を接触停止(56)の他の実施形態、しかし、ストッパ(56)、ベース限界位置bl外側限界位置ol、線路の長さを係合leが定義されてもよい他の構成要素により実装装置(10)及び/又は他の構造部品。
取付磁石(30)、(40)は協働して装着対象物()例えばオブジェクトインタフェース20)の全係合力を発生させて、磁石とオブジェクトインターフェースを保持するのに役立つオブジェクトを実装装置。したがって、前記各外側の限界の取付位置を磁石が可動式()例えば、前記第2装着磁石(40)の図示の実施形態において図18)する構成とすることができる離脱力の合計よりも少ない締結力の印加を取付け対象物に克服する全係合力により段階的に順次に抗して各係合に付随した力により、前記第1及び第2の取付用磁石を解放する目的である
図(18)において、少なくとも一方の係止部材(14)又は中間面(12)の間で移動可能に構成し、拡張状態と格納状態と。また、沈胴状態では、少なくとも(1つ)の係合部材または中間面可動が離れる方向に付勢され前記装着対象物()例えば、側に付勢してベース限界位置bl)延伸状態において、少なくとも(1つ)の係合部材または前記中間面とを可動側に付勢して装着対象物()例えば、側に付勢して外側限界位置ol)このようにして、近接するオブジェクト()例えば、オブジェクトインタフェース20)係合部材(14)は吸引力を発生させた物体との間の係合部材と、係合対象の係合部材。同様に、近傍のオブジェクト()例えば、オブジェクトインタフェース20)から中間面(12)は吸引力を発生させた物体との間の中間面を係合させる目的と中間面、それぞれの取付装置(10)は、係合するように構成し、取り付ける対象物ステージを介して各吸引力。
図示の実施形態の図(18)には、例えば、前記オブジェクト。インターフェース(20)を含み、第1物体の磁石(31)と第2オブジェクト磁石(41)、図示の例のように、第2のオブジェクトのマグネットは、複数の磁石)第1の物体磁石(31)と第2オブジェクト磁石(41)を構成してもよい()例えば、位置及び面積)を吸引または吸着することができる、対応する前記第1又は第2の実装磁石(30)、(40)に取付装置(10)
図示の実施形態では、第1物体磁石(31)が応答すると相互に作用する第1のマグネット取付(30)、第2オブジェクトの磁石(41)を応答するように構成され作用し、磁石は、二二の取付磁石(40)が、図(18)の第1と第2の対象物の磁石(31)、(41)がほぼ同じ面に位置決めされ()例えば、(1つ)の物体面22)、幾つかの実施形態では、オブジェクトインターフェイス(20)は、中央の物体表面に応答するように構成する磁気と2次物体面から離間した中央被写体面と対応するように磁気。このような実施形態では、中央の被写体面を規定することができ、第3の面、前記二次対象面を規定することができ、第4の面は、前述のように、。
種々の実施形態の装着システムによって、ユーザ選択的に相互作用する搭載物()例えば選択オブジェクトを移動させるべく意図的に離脱対選択オブジェクトを移動させるべく意図的に相互作用し、)比較的微妙な調整をする物体()例えば、作成することによって、ロック係止力は、上述のように、)いくつかの実施形態では、取付装置及び対象インタフェースを構成してもよい一致をユーザが選択的に操作するオブジェクトを作成する必要がなく、ロックの係合力を
次に、図(19)は、システム(600)が提供され、該実装装置(610)と、対象インタフェース620。本実施形態、前記係合部材(614)を示している拡張状態である、前記中央物体面(626)と一致する係合部材(614)の中央物体面(626)はの少なくとも一部分を受け入れる係合部材614。、延長(698)と係合部材(614)は、チャネル(608)、前記中央物体面(626)と対象インタフェース(620)は、リップ609。係合部材(614)と中央物体表面(626)は、ように互いに構成された部分がリップ(609)に座ることができるチャネル内(608)により対象インタフェース(620)に完全に係合して()即ち、装着する)取付装置(610)と、装着装置がどの向きで線接触leとは整列していない重力。着座するリップ(609)を確保できる構成とすることにより、強度を第1取付。マグネット(630)(6個の磁石を本実施形態の図19)その第3取付磁石(641)(鉄系金属板、添付、永久リング磁石本実施形態)前記最終オブジェクトの移動インターフェース(620)の装着時に、プロセスは、移動する重力方向と座席リップ609内のチャネル(608)()すなわち、構成する取付け磁石を保証するために、全係合の力が重力より小さく実質的に垂直な方向に線の係合le)
また、ベース面(680)に実装装置(610)は、取り付けられるように構成され、可動支持アーム(図示せず)この装置は可動。したがって、オブジェクトを実装し、前記リップ(609)が着座すると、ユーザは移動対象物(および装置)ラインに沿った方向に係合leを解放することなくオブジェクト、オブジェクトインターフェース(620)は、構造的に係合する取付装置(610)に沿った両方の方向線の係合を介してチャネル(608)から離れる方向へ実装装置()すなわち、方向が通常なら解除方向)そのファサード(685)が中間面(612)の方向に向かって装着装置()すなわち、係合方向)したがって、ユーザは、操作対象物の双方に向けて自身から遠ざかるように(様々な他方向構造的に支持する取付装置(610)では、オブジェクトに対してインターフェース(620)は、前述のような)を解放することなくオブジェクト。また、ユーザが希望する離脱するオブジェクト、自分が移動物体と反対方向に重力を離座させるリップ(609)とチャネル(608)を提供する前に離脱力の合計よりも少ない締結力を解放して体を段階(前に説明した)このように、ユーザは、選択的に相互作用して搭載物及びか否かを判定する物体が係合したままである実装装置を微妙な、さらに意図的な動きの相対的なオブジェクトの実装装置である
システム(600)はまた、充電機能を提供するように構成され、被装着物。これに対応して、システムを構成してもよいし、電気接続を確立することができる取付装置および装着対象物を。システムを構成することができる、電力および/またはデータをやり取りしてもよいオブジェクト、実装装置、オブジェクトインタフェース、および/または実装面()またはこれらの任意の組み合わせ)これに対応して、システムがサポートするように構成される複数の電気的接続部および/または複数の電気的接続のタイプ()例えば、dc電力接続、usb接続、マイクロusbコネクションなど)実装装置及び/又は対象インタフェースをサポートするよう構成され得る1つ以上の種類の電気的接続である。
図20aでは、システム(600)が提供される物体を載置する載置面。システム(600)は、取付装置(610)と、オブジェクト。インタフェース(620)との構成とすることができる電気的接続を確立することができる取付装置(610)および前記装着対象物(図示せず)被搭載物は携帯電子機器()例えば、タブレットコンピュータ、スマートフォン、gps装置等)及びオブジェクトインターフェース(620)は、ケースに取り付けられるように構成される携帯電子装置及び実装装置610(前側筐体を携帯装置のケースを図示しない例示の目的のために、)取付装置(610)は、取り付けられるように構成され載置面()例えば壁、フロントガラス台等；図示せず)
取付装置(610)は図(20a)は中間面(612)と、係合部材(614)、ベース面(680)を取り付けられるように構成されるを取付面(図示せず)中間面(612)は第1の平面を規定し、応答するように構成できる磁気を支持する第1取付け磁石、6個の磁石(630)、第1平面。係合部材(614)は、複数の係合部材成分(614'、614")と、少なくとも(1つ)の前記複数の係合部材の構成要素が応答するように構成できる磁気。複数の係合部材の構成要素を配置してもよい伸縮および/または入れ子にされた構成。図(20a)は、係合部材(614)は、(2つ)の係合部材成分614'および614"、、応答するように構成される磁気を介して複数の第2の取付け磁石(磁石640"640"はそれぞれ、)複数のそれぞれの第2の平面(この実施例では、(2))前記係合部材成分614'および614"が入れ子と入れ子式構成。係合部材(614)は、の間で移動可能に構成し、外側の限界位置(延設状態)ベースの限界位置(沈胴状態)の線に沿って係合leは、第1の平面と交差する。この中間面(612)を画定することができるように構成された開口を摺動可能に受け入れる係合部材(614)とは実質的に位置合わせする線係合leに沿って中心軸x係合部材(614)を係合部材(614)の間を移動させる延伸状態と後退状態と。ベース面(680)は支持装置制御コンポーネント(660)を適用するように構成できるし、機器制御力を係合部材(614)のバイアス係合部材(614)に向けて退避状態。係合部材(614)を示している拡張状態で図(20(a)に
オブジェクトインターフェイス(620)を図(20a)は、中央オブジェクト面(626)は、応答するように構成されて磁気を支持する第3取付磁石(641)の三三の平面にある。第3実装用磁石(641)は、複数の磁石(鉄系金属板と、取り付けられた永久磁石)本実施形態。中央物体面(626)を構成してもよい合致係合部材(614)を介してキャビティ(675)との構成により磁石(641)に対して磁石(630)、640"640"()すなわち、オブジェクトインタフェース(620)に近接させる実装装置(610)、吸引力が発生すると磁石(641)と磁石(630)、(640)の"640")これに対応して、中央物体面(626)を受信するよう構成され得る少なくとも一部の係合部材(614)を介してキャビティ675オブジェクトインターフェース(620)に完全に係合して()即ち、装着する)取付装置614。各係合部材成分(614'、614")は、拡張(698"698")と顔(688"688")接合される延長および拡張が支えるように構成された少なくとも一部の物体の重量の。この実施形態において、延長面(623)を中央物体面(626)係合するよう構成され延長(698)"係合部材コンポーネント(614)は"、前記係合部材(614)は、支えるように構成された少なくとも一部の物体の重量のこの実施の形態
オブジェクトインターフェイスは、実質的に自己整合させて装着装置の係合に先立って。この実施形態では、第3の搭載磁石(641)とキャビティ(675)は、対象インタフェース(620)相対的に前記第2取付マグネット640'及び係合部材(614)の実装装置(610)のキャビティ(675)は、実質的に自己整列した中心軸xに係合部材(614)との係合前に係合部材(614)の実装プロセスにおいて。また、オブジェクトインターフェースを構成してもよい軸線に対して対称に配置されて被装着物、前記装着対象物は、実質的に対称に配置された中心軸を中心に少なくとも(1つ)の係合部材または中間表面実装装置における物体界面が部分的に又は完全に係合する取付装置。対称軸が交差するように存在するオブジェクトの重心()又は重心の組み合わせによるオブジェクト。インターフェース及びオブジェクト、異なる場合には、重心よりも物体)本実施の形態を図(20a)、オブジェクトインターフェース(620)を構成してもよい相対的対称軸yを被装着物。対称軸yと整列することができる中心軸xを係合部材(614)のオブジェクトインターフェース(620)を係合させる取付装置。
したがって、オブジェクトの周りを回転し得る内における中心軸x係合部材(614)と、対象物が係合される取付装置(610)、ユーザが、前記物体が回転自由に応答よりも少ない労力でいる場合対象インタフェース(620)を整列しない対称軸線yに沿って対象。さらに、システム(600)は、必要とされ得るより小さい全係合状態維持のための力()例えば、ホールド)オブジェクトを種々の再配列位置によってもたらすことができる対象物の回転の全量に対する係止力を維持するのに必要な物体の等価の再配向位置オブジェクトインターフェース(620)を構成されていない相対的対称軸yのオブジェクトである
上述したように、システムを構成してもよいし、電気接続を確立することができる前記物体と前記実装装置、対象インタフェースが係合する取付装置。従って、少なくとも(1つ)の係合部材または中間面は、少なくとも(1つ)の接続インタフェース、前記中央物体表面は、少なくとも(1つ)の接続インタフェースのいくつかの実施形態。少なくとも(1つ)の接続インタフェースにより構成される実装装置送信するよう構成され得る少なくともデータまたは電気の場合にはオブジェクトが係合する取付装置。これにより、実装装置は、少なくとも(1つ)の電気コネクタ及びオブジェクトインターフェイスは、少なくとも(1つ)の電気コネクタ。少なくとも(1つ)の電気コネクタを構成する対象インタフェースを構成してもよい一致を対応する(1つ)の少なくとも(1つ)の電気コネクタを構成する実装装置、対象インタフェースが係合する取付装置。他の実施形態において、システムを構成してもよいように、少なくともデータまたは電力の間で伝送され得る取付装置および物体のインタフェースのみに結合し()例えば、にのみ電力を供給し、当該被写体の特徴をインターフェースおよび対象とされない)したがって、接続インターフェースを構成するシステムは、種々の態様を採る
図20aでは、中央の被写体面(626)は、支持するように構成される帯電器支持体(601)に加えて第3実装磁石641。中央物体面(626)は、表面開口(678)をスライド可能に受け入れるように構成されている状態で、帯電支持(601)、と充電器支持体(601)の間に位置決めされ得る第3取付磁石(641)とキャビティ(675)を中央物体面(626)で、充電器支持体(601)が完全に受信される中央物体面626。、前記オブジェクトのインターフェースは、モジュール及び/又は取外し可能な構成要素。同様に、帯電器支持体が取り外し可能に構成されたいくつかの実施形態。そして、帯電器支持体(601)が完全に受信される中央物体面(626)、帯電器支持体(601)の一部を占有するキャビティ675。対応、前記対象インタフェースの深さdoを低減することができる。したがって、いくつかの実施形態では、オブジェクトインタフェース深さ調整可能とすることができる。また、続けて参照すると、図(20a)、帯電器支持体(601)が交差する対称軸yの装着対象物は、完全に受信されたオブジェクトインタフェース(620)、と充電器支持体(601)と交差してもよいライン係合le及び前記中心軸xを係合部材(614)の中央物体面(626)が係合する実装装置610である
オブジェクトインターフェイスは、少なくとも(1つ)のインターフェースコネクタと、前記少なくとも(1つ)のインターフェースコネクタは、電気コネクタ。また、オブジェクトインターフェイスは、複数のインターフェースコネクタ。また、オブジェクトインタフェースは、共通のプラグ()例えば、マイクロusbコネクタ等)ように構成されているポートに取り付けられ被装着物。オブジェクトインターフェイスはまた、インタフェース伝送路を取り付け可能に構成され共通のプラグとをインターフェース。コネクタ(S)に接続するプラグ及びインタフェースコネクタ(単数または複数)。これにより、インタフェース伝送路送信するよう構成され得る少なくともデータまたはの間の電気インターフェースコネクタ(単数または複数)と共通のプラグ。例えば、オブジェクトインターフェイスは、ケーステーブル用のコンピュータを備えてもよいマイクロusbコネクタをを取り付けるように構成されたマイクロusbポートはタブレットコンピュータ()例えば、代わりにマイクロusbケーブル)前記インタフェース伝送パスを対象インタフェースは、複数の導電路、前記複数の導電路のうちの(1つ)に対応する複数の電線は、共通のマイクロusbケーブル。このように構成されるインタフェース伝送路は、少なくともデータまたは電気マイクロusbポート及びインターフェースコネクタの対象インタフェース。それに対応して、少なくとも一部分前記複数の機器のコネクタと装置内伝送経路を実装装置が対応できる構成のマイクロusb電力/データ規格にタブレットコンピュータを介して充電し得る取付装置及び/又はデータを交換することができる取付装置を、対象インタフェースが係合する実装装置である
図20aでは、帯電器支持体(601)はオブジェクトインターフェース(620)は、(3つ)のインターフェースコネクタ(606)および共通のプラグ(604)に取り付けるように構成されたポートを前記装着対象物(図示せず)前記複数のインタフェースコネクタ(606)は、コネクタのピン(以下、"コネクタのピン。グループ")複数のインターフェース接続606(コネクタ用ピン)の間で移動自在に構成するそれぞれの拡張コネクタ位置と退避コネクタ位置。帯電器支持体(601)は、各複数のインターフェースコネクタ606(コネクタ用ピン)が偏って各拡張コネクタの位置()例えば、離間した状態で、帯電支持(601)に向かって取付装置610)各コネクター延長部によって加えられる力が各コネクタ延長部品()例えばばねなど)(コネクタピン。グループによって構成される帯電器支持体(601)が図(20b)。)、インタフェース伝送路(607)に接続してもよく、共通のプラグ(604)とインタフェースコネクタ(606)、前記インタフェース伝送路(607)は、複数の導電路()例えば、ワイヤ、等)導電路を構成するインタフェース伝送路(607)を取り付けられるように構成されるそれぞれの複数のインターフェースコネクタ(606)(この実施例では(3つ))対応する電気接点()例えばコネクタまたはこれに相当する)を構成する共通のプラグ(604)はインタフェース伝送路607内に埋め込まれてもよい充電器支持体(601)、と充電器支持体(601)は、部分的には、非導電性材料を絶縁することもできる各導電路は、インタフェース伝送路(607)の互いに対するおよびの他の構成要素に対してオブジェクトインタフェース(620)
他の実施形態において、インタフェース伝送路(607)は別個の構成要素であるオブジェクトインタフェースを含むことができる、絶縁電線又は電線束、充電器支持体(601)は、前記共通プラグ(604)が実質的に位置合わせされる口を被搭載物の充電器支持体(601)が摺動可能に受けられた表面開口(678)を中央物体面(626)に共通のプラグ(604)によって受信することができ、搭載対象物の充電器支持体(601)が完全に受信される中央物体面626。、帯電器支持体(601)は、アダプタポート(603)、前記アダプタポート(603)を受け取るように構成され得る共通外部接続ケーブル()例えば、usb、マイクロusbなど、図示せず)を送信するために用いられ得る少なくともデータ或いは電気を介して前記被充電器支持体(601)この共通プラグ(604)が受信()たとえば、接続)されたオブジェクト。帯電器支持体(601)は、オブジェクトは、データおよび/または電力のいずれか一方からのみ共通外部接続ケーブル等を実装装置(610)、両共通外部接続ケーブル及び取付装置(610)が接続されている充電器支持601。アダプタポート(603)は、実質的に同一の構成でポートのオブジェクト()たとえば、オブジェクトは、micro-usbポート、アダプタポート(603)は、マイクロusbポート)、又は、アダプタポート(603)をサポートするよう構成され得る異なるコネクションの種別もポートのオブジェクト()たとえば、オブジェクトは、micro-usbポート、アダプタポート(603)は、usbポート等)アダプタポート(603)を支持するよう構成される異なる接続タイプのポートと前記オブジェクト、帯電器支持体(601)として働くことができるが、アダプタのようにオブジェクトのオブジェクトに適合することができる異なる接続型充電器を通して支持601。
これは、更なる恩恵を提供するユーザ、具体的には、ユーザーが使用することを好んでいる異なるタイプの外部共通コネクタにケーブルを充電対象物よりがネイティブに適合するポートオブジェクト。そして、アダプタポート(603)は、対象インタフェースが実質的に同一のポートオブジェクト、アダプタポート(603)に利益を提供し得る、ユーザにおいて、ユーザーが接続可能な共通外部接続ケーブル、例えば、送信電力及び/又はデータをオブジェクトなく充電器支持体(601)から対象インタフェース(620)には、。
あるいは、または、さらに、帯電器支持体(601)は、前記共通プラグ(604)を除去してもよいポートから物体の位置は、帯電器支持体(601)がほぼ不変のままであるキャビティに対して(675)と実装装置610(すなわち、インタフェースコネクタ(606)をキャビティに対して(675)は変わらない)例えば、充電器支持体(601)は、継手(602)と継手(602)は柔軟性である。継手(602)は、機械的ジョイント又は部分であってもよい充電器支持体(601)は、可撓性の材料()例えば、ゴム、シリコーンなど))これにより、共通のプラグ(604)から除去してもよいポートオブジェクト回動ジョイントを介して(602)へのアクセスを許可するポートを対象。このような機能が望ましいこともあるしたい場合に、迅速かつ容易にアクセスする対象のポートを除去することなく充電器支持体(601)からオブジェクトインタフェース(620)
さらに、いくつかの実施形態では、帯電器支持体(601)のように構成してもよい可撓性()例えば、全体的に可撓性材料を含む)することができ、したがって、少なくとも部分的に適合する形状及び/又は輪郭をオブジェクトおよび/またはオブジェクト。インターフェース。例えば、充電装置本体と支持体(601)が(1つ)又は複数の可撓性材料()例えば、ゴム、シリコーンなど))、インタフェース伝送路(607)のように構成することができる可撓性を有する。これにより、共通のプラグ(604)が接続されてもよいオブジェクトおよび充電器支持体(601)は、実質的に巻き付けた周辺部()例えば、コーナー)に物体に所望。さらに、いくつかの実施形態では、帯電器支持体(601)を構成することもできる接着剤材料()例えば、ナノ発泡体層、マイクロ吸着パッド、非永久粘着性の接着剤など)帯電器支持体(601)は剥離可能に接着するオブジェクトあるいはオブジェクトインタフェース。
さらに他の実施形態では、充電器を含んでもよいアダプタのコンタクト(に加えて又はその代わりに、共通のプラグ604)アダプタコンタクトが取り付けられるように構成され、外部ポートアダプタと互換性がある()すなわち、に取り付けるように構成される)ポートと前記被搭載物。図(21)では、システム(700)が示されるを備えることのできる実装装置(710)は、オブジェクトインタフェース(720)、前記オブジェクトインタフェース(720)は、帯電器支持701。充電器支持部(701)は、アダプタコンタクト(703)を取り付け可能に構成され、外部ポート。アダプタ(図示せず)外部ポートアダプタが取り付けられるように構成されポートを前記装着対象物()例えば、プラグを介してと同様とすることができる共通のプラグ604)を受信することと、接点を取り付けるように構成されたアダプタコンタクト(703)は充電器支持体
さらに、いくつかの実施形態では、アダプタの接触帯電器支持及び受信接点と外部ポートアダプタが取り付けられるように構成される磁気。このように、アダプタ接点はオブジェクト。インターフェースは、(1つ)または2つ以上の磁石。さらに、別の実施形態では、中央の被写体面を構成してもよいに対して物体及び外部ポート。アダプタ(対象物に取り付けてのポート)アダプタコンタクトは充電器支持体と該受容接点と外部ポートアダプタ磁着して充電器の支持を受信する中央物体面。磁性アタッチメントのアダプタコンタクト(充電器支持体)受接点(externalポートアダプタ)間の電気的接続を確立対象インタフェースと物体(、これに対応して、物体との間の取付装置は、対象インタフェースが係合する実装装置)
再び図20aでは、係合部材(614)の実装装置(610)をサポートするように構成できる複数の装置コネクタ605。対応、1つ以上の前記複数の係合部材成分(614'、614")をサポートするよう構成され得る少なくとも(1つ)の電気コネクタ()すなわち、少なくとも(1つ)の前記複数の機器用コネクタ)様々な実施形態。このように、前記装置のコネクタ(605)と電気コネクタ。図示の実施形態では図(20a)、前記装置のコネクタ(605)によってサポートすることのできる面688'は係合部材コンポーネント(614)"を定義することができる外側の限界位置olに係合部材(614)の係合部材(614)が拡張状態()すなわち、前記係止部材成分から最も遠いベース面(680)に係合部材が拡張状態)前記装置のコネクタ(605)は、複数のリング接点を配置する同心円の形態で、導電性材料(以下、"同心リングセット")及びフェース688'から構成されてもよい非導電性材料。同心リングのセットは面と面一になって前記係止部材は、凹面内の係合部材、は表面から突出する係合部材、または画定することができる曲面異なる実施形態。(リング接点は、実質的に面一面688'は係合部材図(20a)、図(26)に示す同心リングセット湾曲面によって規定された。)この実装装置(610)は、装置内伝送経路(689)を取り付けられるように構成される前記装置のコネクタ(605)および公称成分681。前記公称成分(681)は電力アダプタ、帯電装置、電気及び/又はデータポートやプリント基板など
この装置は伝送路(689)は、(1つ)またはそれよりも多い導電路()例えば、ワイヤからなるワイヤ束図(20a))各導電性経路がそれぞれ(1つ)に取り付けられている複数の装置コネクタ605。装置伝送路689機器間の接続コネクタ(605)は、1つ以上の電気的接触点()例えば、電気ピン又は同様の等)公称成分681。前記複数の第2磁石組み付け640'、640"本実施の形態では図に示す(20a)がリング状を通して通路を提供するように本装置は伝送路(689)公称成分681。前記装置伝送路(689)は、柔軟性()例えば、ワイヤ束)ように構成することができる最小限の影響を係合部材(614)を係合部材(614)の間で移動する外側限界位置ol(extended状態)ベース限界位置bl(退避状態)線に沿って係合le(例えば装置伝送路689構成とすることができるスラック)
上述のように、インターフェースコネクタの対象インタフェースを構成してもよい装置に対するコネクタの実装装置電気的接続を確立することができるオブジェクト間インタフェースおよび実装装置における物体インターフェースが係合する取付装置。従って、オブジェクト。インターフェースは、インターフェースコネクタが可能である実装装置空洞部を介して前記中央物体面。再び図20aでは、インターフェースコネクタ(606)によって構成される帯電器支持体(601)を入手可能とする実装装置(610)を介してキャビティ(675)を中央物体面(626)で、充電器支持体(601)が完全に受信される中央物体表面626。インタフェースコネクタ(606)を構成してもよいが一致する機器用コネクタ(605)に支持される面688'は係合部材(614)の実装装置(610)における物体インターフェース(620)を係合させる取付装置(610)、前記中央物体面(626)はの少なくとも一部分を受け入れる係合部材(614)を介してキャビティ675。の間に生じる吸着力第2の装着マグネット640'と第3取付磁石(641)はインターフェースコネクタ(606)と装置コネクタ(605)と係合する、前記インターフェース。コネクタ(606)と装置コネクタ(605)との間の電気的接続を確立する実装装置(610)およびオブジェクト。インターフェース620(、これに対応して、装着対象物)
上述のように、システム(600)は、複数の装置コネクタ(605)と係合してもよい対応する複数のインターフェースコネクタ(606)は対象インタフェース(620)との電気的接続を確立することができる前記オブジェクト。インターフェース(620)および実装装置(610)において対象インタフェース(620)を係合させる取付装置(610)の構成要素はオブジェクト。インターフェースと取付装置と係合することができる電気的接続を図る様々な形態で利用できる。
図示の実施形態では図(20(a)の装置コネクタ(605)とから構成されている同心リングセット(上述のように、)およびインターフェースコネクタ(606)を構成してもよいコネクタのピン。グループは、(上述のように、図(20(b)に示すように、)によって支持することができる帯電器支持601。オブジェクトインターフェース(620)を係合させる取付装置(610)、前記複数のインタフェースコネクタ(606)(各接続ピンをコネクタのピンをグループ化する)の対応する一つと係合する装置コネクタ(605)(対応する接触リングは同心リングセット)との電気的接続を確立することができるオブジェクト間インターフェース(620)および実装装置(610)の間に生じる吸着力の第2取付マグネット640"係合部材(614)と第3取付磁石(641)のオブジェクトインターフェイス(620)は係合部材(614)と充電器支持体(601)に係合する、係合の間に生じる力の第2取付マグネット640'と第3取付磁石(641)は、より大きいように構成された複数のコネクタ延長力が印加される複数のインタフェースコネクタ606(コネクタ用ピン)によって構成される帯電器支持部(601)には、上記複数のインタフェースコネクタ(606)に向けて移動させる退避コネクタ位置係合部材(614)(係合部材を介してコンポーネント(614)は")が係合した状態で、帯電支持(601)とする
言い換えると、係合の間に働く力は充電器支持体(601)と面688'係合部材(614)を圧縮することができるインターフェースコネクタ(606)との間に充電器支持体(601)と装置コネクタ605。、物体インターフェース(620)に完全に係合して()例えば、取り付け)取付装置(610)、前記装置のコネクタ(605)(同心リングセット)及びインタフェースコネクタ(606)(コネクタのピンをグループ化する)を係合させることができるので、電気接続を発生させて、実装装置(610)及び対象インタフェース(620)、システム(600)を構成してもよいので、電気的接続の間に生じる対象インタフェース(620)と取付装置は、中に維持できる回転移動少なくとも一つのオブジェクトインターフェイス(620)または実装装置(610)の他の一方に対して少なくとも一つの物体インターフェース(620)又は取付装置(610)。
それに対応して、他の実施形態では、役割は、システムのコンポーネントは、有効に逆転：前記装置のコネクタは、コネクタのピンのグループ化、及びインターフェースコネクタは、対応する同心リングセット。いずれの場合でも、インターフェースコネクタ(606)と装置コネクタ(605)は電気的接続を確立した対象インタフェースと取付装置を維持できる少なくとも(1つ)のオブジェクト。インターフェース又は取付装置が他方に対して回転する少なくとも一つの物体インターフェース又は取付装置に関する
いくつかの実施形態はシステム(600)の図示(20a)を構成してもよいし、係合部材コンポーネントを装置コネクタ(605)は回動中心軸xを係合部材614。かかる実施形態、取付装置(610)は、スリップリング6890取り付け可能に構成された装置内伝送路(689)、スリップリング6890構成であってもよく、装置の伝送路(689)はもつれず又は捩れ回転移動係合部材(614)の前記ベース面680。他の実施形態、係合部材(614)を有するように構成できる固定位置で中間面(612)及び/又はベース面(680)、実装装置(610)を設けない構成としても良いスリップリング6890。
さらに、いくつかの実施形態において、装置コネクタ(単数または複数)および/またはインターフェースコネクタ(S)が応答するように構成できる磁気。そのため、装置コネクタ(単数または複数)および/またはインターフェースコネクタ(S)の間を移動可能とする退避コネクタ位置及びそれぞれの拡張コネクタ位置を1以上のコネクタ制御によって印加される力が(1つ)または2つ以上の磁気システムの要素である。例えば、本実施形態では図(20(a)及び(b)、前記インターフェース。コネクタ(606)が応答するように構成できる磁気に移動退避コネクタ位置間。に生ずる吸引力によって前記インターフェース。コネクタ(606)と第3取付磁石641。(対応、いくつかの実施形態において、インタフェースコネクタ(606)は、面一または凹帯電器支持体(601)は充電器支持体(601)が完全に受信される中央物体面(626)。)の間に生じる吸着力の第2取付マグネット640'及びインタフェースコネクタ(606)を構成してもよいよりも強い間に生じる吸着力のインターフェースコネクタ(606)と第3取付磁石(641)、前記インターフェース。コネクタ(606)に向かって動かされてもよい拡張コネクタ位置と係合することができる機器用コネクタ(605)、オブジェクトインターフェース(620)を係合させる取付装置610である
さらに、いくつかの実施形態において、インタフェースコネクタ(606)と装置コネクタ(605)を構成してもよい相対を相互に電気的接続を維持することができる()例えば、実質的に途切れのないまたは妨害されない)物体インターフェース(620)をスライド又はスリップ等に対して実装装置(610)のようなスリップ運動を定義してもよいリニアスリップ距離とに応じて生じる外力によりシステム(故意であれ故意ではない)例えば、ユーザは、オブジェクトが意図的に外力を加えるシステムと相互作用する際にオブジェクトスリップしている物体の移動に対するインターフェースの実装装置(同様に、図(19)には、)、又はスリップ運動が発生し、意図しない外力()例えば、振動など)の適用をシステム(600)を介して、意図しないヒットまたはスワイプ。さらに、システム(600)は、ように構成することができるスリップ運動に応答して起こり得る重力実施形態システムをこのような滑り移動が好ましいと測定の機能()またに関して説明した図(19)には、)したがって、最大線形スリップ距離s(図22)は、予測可能な()すなわち、計算できる)他の選択されたコンポーネント及び公差のシステム()例えば、差を計測し、キャビティの周囲を675vs外周係合部材(614)。したがって、幅が前記リングコンタクト(S)によって構成されるオブジェクト。インターフェース及び/又は取付装置を構成することができる最大値に対して線形スリップ距離s-との相対的な幅()例えば接触表面領域)が対応するコネクタのピン(複数可)の電気的な接続を維持することができる()例えば、実質的に途切れのないまたは妨害されない)スリップしている物体の移動インタフェースオブジェクトインターフェースが係合する実装装置である
他の実施形態において、装置コネクタ(605)は、コネクタのピンをグループ化する、インタフェースコネクタ(606)は、同心リングセット。次に、図(23)、インターフェースコネクタ(606)(同心リングセット)によって支持することができる前面(6015)、インターフェースディスク(6013)、と充電器支持体(601)を受信するように構成できるインターフェースディスク(6013)に供給され、インタフェースディスク(6013)は、独立して回転する帯電器支持(601)およびオブジェクト。インターフェース。オブジェクトインターフェース(620)は、インタフェースディスク(6013)と整列させることができる空洞(675)を中央物体面(626)で、充電器支持体(601)が完全に受信される中央物体面(626)、インタフェースディスク(6013)と係合できる係合部材(614)の実装装置(610)においてオブジェクトインターフェイス(620)が装着される装着装置(610)インターフェースディスク(6013)は、複数のthroughpins(図示せず)各複数のthroughpinsを取り付けるように構成された対応する(1つ)のインターフェースコネクタ(606)とからはみ出していてもよい、後方面6017のインタフェースディスク6013。充電器支持体(601)はさらに少なくとも(1つ)の幅広リングも同様に構成されているリングコンタクト)複数の広いリング(6060)は同心に配置される。複数のthroughpinsインタフェースディスク(6013)が接触するように構成され、対応する(1つ)の広いリング6060。さらに、前記複数の広いリング(6060)を画定することができる幅よりも大きい幅の中の対応する(1つ)のインターフェースコネクタ606(からなるリング接点本実施形態)各複数の幅広リング(6060)に取り付けられるように構成される対応する導電経路のインタフェース伝送路(607)には、
インタフェースディスク(6013)は移動可能な構成としてもよい内に薄いチャンバ(6065)の帯電器支持601。、前面(6015)はインタフェースディスク(6013)は移動可能な構成としてもよい範囲により定義された運動の境界エッジ6069充電器支持体(601)、移動インタフェースディスク(6013)を制限してもよいとの係合により境界エッジ6069充電器支持体(601)と隆起縁(6016)インターフェースディスク6013。、前記インターフェースディスク(6013)は移動可能な構成としてもよい(回転、横、等)帯電器支持601。境界エッジ6069、隆起したエッジ(6016)、前記各幅が各複数の幅広リング(6060)を構成してもよいに対して好ましいまたは許容最大線形スリップ距離s(以上説明したように、)電気的接続を確立したインターフェースコネクタ(606)と装置コネクタ(605)を通じて維持され、スリップしている物体の移動インタフェース(620)に対する取付け装置(610)、前記インターフェースディスク(6013)と係合できる係合部材(614)のオブジェクトインターフェース(620)に完全に係合して()例えば、に取り付けられている)取付装置(610)とは移動する係合部材(614)の()または係合部材成分、いくつかの実施形態)例えば、インターフェースディスク6013(及びインターフェースコネクタ606)にしたがって移動する係合部材(614)(と装置コネクタ(605)に亘って滑り移動する
これに対応して、throughpinsによって構成されるインターフェースディスク(6013)を構成してもよいと接触を保つように広いリング6060全体にわたってスリップ運動、回転運動等、電気的接続を維持できる前記オブジェクト。インターフェース(620)および実装装置(610)を通じてスリップ運動、回転運動等、同心リングのセットによって規定される広いリング6060最大値に対して線形スリップ距離s(例えば、ではなく、同心リングのセットによって構成されるインターフェースコネクタ606)から、表面積のそれぞれにより規定される複数のインタフェースコネクタ(606)を小さくしてもよい。このため、複数のインタフェースコネクタ(606)は、近接配置されているので、フットプリント()例えば、その部分はインタフェースディスク(6013)によって占有される複数のインタフェースコネクタ(606)は、この実施の形態)前記複数のインタフェースコネクタ(606)を小さくしてもよい、各リング接点によって構成されるインターフェースコネクタ(606)は定めていないが()例えば、必要とする)それぞれの幅を収容するように構成される最大線形スリップ距離sに対応する、前記フットプリントを対応する複数の機器用コネクタ(605)も小さくすることができる、機器用コネクタ(605()例えば、コネクタピン)近接配置されている位置に対応する複数のインタフェースコネクタ606。さらに、表面積のそれぞれにより規定される複数のインタフェースコネクタ(606)を小さくしてもよい、前記インターフェースディスク6013を含んでいてもよい()例えば、室を有していてもよい)複数のインターフェース接続606()すなわち、それ以上の合計のリング接点)同様に、係合部材(614)は、多くの複数の装置コネクタ(605)内()例えば、同一の利用可能な空間)
インタフェースディスク(6013)図示(24)に対して移動可能であってよい充電器支持体(601)、対象インタフェース(620)は中心軸の周りを回転しx係合部材(614)のインタフェースディスク(6013)が完全に係合する面(688)"係合部材(614)の先端面(6015)はインタフェースディスク(6013)が押下により受け付け(689)と電気的接続が確立すると、インタフェースコネクタ(606)と装置コネクタ(605)。また、各インターフェースディスク(6013)とフェース688'係合部材(614)の図(24)は、応答するように構成される磁気、前記インターフェース。コネクタ(606)と装置コネクタ(605)を構成してもよい()例えば、互いに対して)実質的に自己整列係合の前に、インターフェースディスク(6013)と係合部材(614)の
いくつかの実施形態では、インターフェースディスク(6013)をサポートすることができる少なくとも(1つ)の相関された磁石、面688'は係合部材(614)は、支持体の少なくとも(1つ)の相関された磁石。少なくとも(1つ)の相関された磁石のインタフェースによってサポートされるディスク(6013)を構成してもよい少なくとも(1つ)の相関によって支持された磁石面(688)"係合部材(614)のこの界面付近のディスク(6013)を顔688'はインタフェースディスク(6013)移動位置を前記インターフェース。コネクタ(606)及びフォア面(6015)と整列させることができる機器用コネクタ(605)と凹部(689)にインタフェースコネクタ(606)と装置コネクタ(605)と係合してもよいし、電気接続を確立することができるオブジェクト間インターフェースおよび取付装置。
さらに、いくつかの実施形態では、面688'は係合部材(614)の移動可能な構成としてもよい()例えば、回転、又は回転左右等と同様の構成において、前記界面ディスク(6013)、以上説明したように、)が応答するように構成できる磁気装置コネクタ(605)及びインターフェースコネクタ(606)は実質的に自己整列実装プロセスにおいて。したがって、オブジェクトインターフェースを構成してもよいに対して実装装置に供給され、インタフェースコネクタ及び前記装置のコネクタが、実質的に自己整列係合の前に、インターフェース。コネクタと装置用コネクタである
これに対応して、システムを構成してもよいし、電気接続を確立することができる取付装置および物体インターフェイスの向きにかかわらず、設定対象のインターフェースが係合する実装装置のラインに沿って係合する
さらに他の諸実施形態では、オブジェクトのインタフェースに係合しうる実装装置に第1の係合位置が確立される、電気的接続が確立されていない前記対象物間のインタフェース及び実装装置は、第1の係合位置にある。搭載物体を移動させることができるので、第2の係合位置が確立されてもよい、及び電気的接続が確立されてもよいオブジェクト間インタフェース及び実装装置第2係合位置にある。例えば、充電器支持体(601)はコネクタを有してもよいピン。グループに支持された前方表面充電器支持601(と同一でよいが、前方面(6015)図示24)、および、したがって、インターフェースコネクタ(606)は、固定された位置()例えば、移動できない)帯電器支持601。、前記複数のインタフェースコネクタ(606)が取り付けられており、対応する導電経路のインタフェース伝送路607。このような実施形態において、帯電器支持体(601)と面688'は係合部材(614)(と同一でよいが、係合部材を示す図24)が係合する第1係合位置、前方面と帯電器支持体(601)と凹部(689)は整列されておらず、第1の係合位置である
したがって、オブジェクトインターフェース620(と充電器支持体601)を回転させてもよい中心軸xを係合部材(614)の第2の係合位置が確立される、前方面と帯電器支持体(601)と整列させることができる凹部(689)の第2の係合位置にあり、その先端面が押下により受け付け689(すなわち、位置に回転して先端面に嵌合凹部(689)を含む。このように、インターフェースコネクタ(606)と装置コネクタ(605)に係合できる第2係合位置にある、及び電気的接続が確立されてもよいオブジェクト間インターフェースおよび取付装置。それに対応して、そのような実施形態では、小口面の帯電器支持体(601)相対押下(689)は、一方のオブジェクトインターフェイス又は取付装置相対的に回転できる他方のオブジェクトインターフェイス又は取付装置を移動させるシステムを第1係合位置から第2の係合位置との電気的接続を確立することができる。例えば、形状を選択することができる前方面と帯電器支持体(601)とこの窪み部(689)を可能にする回転運動を生じ()例えば、前記第1の係合位置から第2の係合位置)までの間、位置合わせおよび適合が確立された電気的接続を確立するためである
機器用コネクタおよびインターフェースコネクタは、異なるシステムの様々な実施形態。図(25)において、装置コネクタ(605)の取付装置であってもよい支持の拡張によって、698係合部材(614)に延長状態である)前記インターフェース。コネクタ(606)のオブジェクトインターフェイスによって支持することができる延長面(623)を中央物体面626。(いくつかのコンポーネントはオブジェクトインターフェイスは図示していない例示の目的のために。)、インターフェースコネクタ(606)は、複数のコネクタ用ピン(この実施形態では3)前記複数のインタフェースコネクタ(606)()すなわち各コネクタのピン)の間で移動可能に構成し、それぞれの拡張コネクタ位置と退避コネクタ位置(前述のように、)前記複数のインタフェースコネクタ(606)は、付勢されて各拡張コネクタの位置()例えば、離れて支持面から延長面(623)と反対側部分の延長面623)各コネクター延長部によって加えられる力が各コネクタ延長部品()例えば、スプリング)。
物体が係合される取付装置、係合部材(614)によって受信することができ、延長面(623)において対象インタフェース(620)、インタフェースコネクタ(606)を移動させてもよい引き込み位置に向けた接触を介して、面(688)は、係合部材(614)の係合部材(614)が受信される延長面623。、面688(会合場所間の面(688)と延長698)係合部材(614)を構成してもよい()例えば、形、丸み状、等)の移動を容易にするインターフェースコネクタ(606)に引き込み位置に向けた係合中には、いくつかの実施形態である
さらに、いくつかの実施形態において、前記複数のインタフェースコネクタ(606)を画定することができるそれぞれの拡張位置、各の延在位置に定義されたインタフェースコネクタ(606)は異なっていてもよい。これに応じて、各複数の装置コネクタ(605)は凹内でそれぞれのチャネルは拡張698(各チャネルと同等とすることができるチャネル(608)は図(19)に示す。各チャネルを定義することができる深さの深さが、各チャネルに対応することができる深さが対応する装置コネクタ。また、各深さはチャネル()及び対応、各深さは複数の装置コネクタ)が異なっていてもよい。各突出位置を前記インターフェース。コネクタ(606)を構成してもよいそれぞれに対して溝深さが延長(698)に電気的接続を確立することができるオブジェクト間インタフェースおよび実装装置における物体インターフェースが係合する取付装置。このような凹状及び千鳥状の装置コネクタ(605)との望ましくない接触を防止および/または構成要素間の接続対象インタフェース()例えば、一定のインターフェースコネクタ)部品実装装置()例えば、一定の機器用コネクタ)pは、上記複数のインタフェースコネクタ(606)を移動させてもよい部分を通過して、前記複数の装置コネクタ(605)と係合する
本実施の形態の図(25)、中央物体面(626)を含んでいてもよいインタフェース伝送路607(図示せず)前記共通プラグ(604)の他の実施形態、帯電器支持体を支持するように構成されるインターフェースコネクタ(606)に示される構成では、図(25)に、いくつかの実施形態、前記インタフェース伝送路(607)を取り付けられるように構成される回路基板等の電気部品を構成するオブジェクト、例えば、実施形態においては、オブジェクトインターフェイス(620)が内蔵されているケーシング又はエンクロージャは、電子デバイス()例えば、タブレットコンピュータ、スマート。フォン等.)。
さらに他の実施形態では、顔の部分を係合部材に画定することができる曲面、湾曲した表面は、支持体、少なくとも(1つ)の装置コネクタ。図(26)は、取付装置を示すアイドル()例えば、開放状態とする)構成する係合部材を後退位置に。フェースの一部は係合部材の取付装置を画定することができる曲面、湾曲した表面は、複数の装置に設けられたコネクタに、同心円の形態で()たとえば、同心リングセット)オブジェクトインターフェースを構成してもよいに対して実装装置図(26)に帯電支持、中央物体面、または別のコンポーネントのオブジェクトのインタフェースをサポートすることができる対応する湾曲面に合致する曲面からなる係合部材、対応する曲面支持される帯電器支持、前記中央物体面又は他の成分は、対象インタフェースをサポートすることができるが、対応する複数のインタフェースコネクタ()例えば、同心円状のリング組、ピン。グループなど)との電気的接続を確立することができるオブジェクト間インタフェースおよび実装装置における物体インターフェースが係合する実装装置である
前述のように、この実装装置は、少なくとも(1つ)のワイヤレス充電装置。したがって、開示されたシステムは、対象物を搭載する搭載面実装装置およびオブジェクトインターフェイスはワイヤレス充電間で成立しても良い被取付対象物の取付装置と、対象物が係合される取付装置。さらに、システムは、対象物を搭載する搭載面を備えた実装装置およびオブジェクトインターフェイスはワイヤレス充電間で成立しても良い対象インタフェースと取付装置を充電するときの前記物体を係合する取付装置。
構成オブジェクトインタフェースによって構成されるシステムに応じて変えることができるワイヤレス充電相溶性前記装着対象物()すなわち、するか否かは、無線充電成分；例えば、コイルオブジェクト対非コイルオブジェクト)構成と同様、物体()例えば、ワイヤレス充電部品が配置されている、か否かを応答するように構成され磁気等)例えば、オブジェクトインターフェースを付加する構成としてもよいワイヤレス充電機能、実装機能性()例えば、オブジェクトのない磁気に応答するように構成される)または無線充電機能と取付機能をオブジェクトの構成に応じて、オブジェクト。さらに、いくつかの実施形態では、オブジェクトのインタフェースを適応させるように構成するワイヤレス充電機能、被搭載物で様々である
図27aでは、システム(800)が設けられている取付用ワイヤレスで充電するオブジェクト。システム(800)は、実装装置(810)とオブジェクトインターフェース(820)を実装装置(810)は中間面(812)、ベース面880(図(27b))、及び係合部材814。係合部材(814)は、複数の係合部材部品、814'および814"入れ子と入れ子式構成、その係合部材(814)を移動させるように構成すると、拡張状態と格納状態と。図(27(a)に示すような係合部材(814)は拡張状態である。
図に示すように、図(27b)の断面図を示している。このシステム800、装着装置(810)が完全には係合されて対象インタフェース(820)、複数の第2の磁石組み付け、840"840"、によって支持することができる係合部材成分814'および814"にそれぞれ。第2のマグネット取付840"から成っていてもよい環によって鉄系金属、第2取り付け磁石840"を構成してもよい永久リング磁石。中間面(812)をサポートし得る第1のマグネット取付構成は、(4つ)の磁石830。ベース面(880)は支援制御構成要素(図示せず)および制御成分をバイアスするように構成される係合部材814(すなわち、各係合部材成分814'および814")に向けて退避状態にする
取付装置(810)は、ワイヤレス充電装置、ワイヤレス充電装置が近傍に配置されたターゲット載置領域無線充電装置は、充電範囲の互換性のあるワイヤレス充電部品と、対象物が係合される取付装置。いくつかの実施形態では、ワイヤレス充電装置を構成する実装装置は、複数のコンポーネントを含み。図示の実施形態では図(27(a)&；(27b)、前記ワイヤレス充電デバイスの送信機を含むことができるコイル部品8401および送信機の回路基板(図示せず)従って、無線充電装置に支持されている実装装置(810)は、無線通信により出力可能な充電互換性の電子デバイスを近接させるワイヤレス充電装置。送信コイル部品8401によってサポートすることのできる係合部材(814)と、送信回路基板(図示せず)は、ベースによって支持されて表面(880)、前記送信コイル部品8401と送信回路基板を介して接続できる装置間伝送路889(例えば、ワイヤ又はワイヤ束)。
取付装置(810)は、第1のシールド部品(741)、と前記第1のシールド部品(741)によってサポートすることのできる係合部材814。前記第1のシールド部品(741)の構成であってもよく、送信機コイル部品8401は、部分的に囲まれた第1のシールド部品(741)、
オブジェクトインタフェース(820)はケース、携帯電子機器()例えば、タブレットコンピュータなど)参加するように構成されたワイヤレス充電の関係()すなわち、非コイルオブジェクト)及びオブジェクトインタフェース(820)は、中央オブジェクト表面(826)のを取り付けるように構成された携帯電子機器()即ち、被装着物)前記中央物体表面(826)をサポートするよう構成され得る第3のマグネット取付、および第3実装用磁石は複数の磁石、(831)、841。磁石(831)は、丸、鉄系金属板を、中央の開口()即ち、孔中央板)及び磁石(841)は、永久リング磁石を取り付けられるように構成されており、鉄系金属板をこの実施形態。オブジェクトインタフェース(820)は、二二遮蔽成分(8412)、第2遮蔽成分8412が取り付けられるように構成される第3取付磁石831&；(841)、本実施の形態。
オブジェクトインタフェース(820)は、ワイヤレス充電装置、ワイヤレス充電装置によって構成されるオブジェクト。インターフェース(820)は複数のコンポーネントを含む。この実施形態では、ワイヤレス充電デバイスは受信機を備えるコイル部品(8402)と受信回路基板(図示せず)、インタフェース伝送路(807)()例えばワイヤ)が接続するように構成される受信コイル成分(8402)と受信回路基板。第2遮蔽成分8412構成であってもよく、受信機コイル部品(8402)は、部分的に囲まれた第2の遮蔽成分(8412)を
ワイヤレス充電装置によって構成されるオブジェクト。インターフェース(820)を構成してもよい相対無線充電装置を構成する実装装置(810)にワイヤレス充電間で成立しても良い対象インタフェース(820)と取付装置(810)と、対象物が係合される取付装置810。言い換える、ワイヤレス充電装置によって構成されるオブジェクト。インターフェース(820)は対応できる構成の無線充電装置を構成する実装装置810。例えば、各無線充電装置に従って構成することができるワイヤレス充電仕様()例えば、qi、powermat等)の互換性を確保する。
ワイヤレス充電装置によって構成されるオブジェクトのインタフェースを構成してもよい相対無線充電装置を構成する実装装置、無線充電関係の間で維持することができる実装装置前記オブジェクトの少なくとも(1つ)がオブジェクト。インターフェース又は取付装置が他方に対して回転する少なくとも一つの物体インターフェース又は取付装置。例えば、受信コイル部品(8402)により構成される対象インタフェース(820)および前記送信コイル成分8401によって構成される実装装置(810)略対称に配置された中心軸を中心として前記係合部材(814)は、対象インタフェース(820)が係合する実装装置(810)を備えている
磁石(831)を構成してもよいに対する磁石(830)および840"磁石の吸引力を生成することができる磁石間(831)および磁石(830)および840"オブジェクトインタフェース(820)に近接させる実装装置(810)、磁石(841)を構成してもよいに対する磁石840"の吸引力を生成することができる磁石間(841)および磁石840"オブジェクトインタフェース(820)に近接させる実装装置810。、図(27(b)に示すように、間に生じる吸着力第2のマグネット取付840"(複数の第2の磁石組み付け本実施形態)第3のマグネット取付(具体的には、磁石(841)本実施形態)合状態と、上記第2のマグネット取付840'および第3実装用磁石、によって画定される深さの係合部材814'を構成してもよい相対的に帯電領域定義前記送信コイル成分8401の受信コイル部品8402内にあってもよい充電範囲送信コイル成分8401即ち、第2マウント磁石840'および第3実装用磁石が係合される。近接受信機コイル部品(8402)を送信器コイル部品8401内の充電範囲送信コイル成分8401を確立することができるワイヤレス充電関係前記送信コイル成分8401と受信コイル部品8402。ワイヤレス充電同士の間に成り立つ関係を送信コイル成分8401と受信コイル部品(8402)は、誘導充電の関係、係合の間に生じる力の第2取付磁石840"、第3取付磁石位置を維持し得る受信器コイル部品8402内の充電範囲送信コイル成分8401の
中央物体表面(826)をサポートするように構成できる受信回路基板(図示せず)共通のプラグ()例えば、マイクロusbプラグ等、図示せず)及び共通プラグとしてもよいポートに取り付けられ被搭載物オブジェクトインターフェース(820)を物体に取り付ける。インタフェース伝送路(807)が取り付け可能に構成され、各受信コイル部品(8402)、前記回路基板及び前記共通のプラグ。したがって、オブジェクトはインタフェース(820)は、エネルギーを介して転送された無線充電の関係に変換されてもよいにより電流が受信回路基板とに転送してもよい物体を介して共通のプラグを充電するオブジェクト。このように、オブジェクトインタフェース(820)は、無線充電アダプタにおけるオブジェクトについてのいくつかの実施形態である
図(27(a)、(b)、第2遮蔽成分(8412)を構成してもよいが一致する第1のシールド部品(741)、受信コイル部品(8402)および送信コイル部品8401は、実質的に完全に囲まれた第2の遮蔽成分(8412)と第1遮蔽成分(8411)前記オブジェクト。インターフェース(820)が完全に係合する装着装置810。の実質的に完全に取り囲む受信コイル成分(8402)および送信コイル部品8401内筐体を構成する第2遮蔽成分(8412)と第1のシールド部品(741)を分離してもよいワイヤレス帯電電界()例えば、磁界)ワイヤレス充電の関係で他の強磁性成分及び/又は磁界又は支持されている関連する実装装置(810)及び/又は対象インタフェース(820)を前記異なる、第2遮蔽成分(8412)と第1遮蔽部材(741)を構成してもよいし、エンクロージャーを構成する第2遮蔽成分(8412)と第1遮蔽成分(8411)が案内するように構成される、ブロック、進路変更、等磁場および/または磁束線と関連付けられるの強磁性構成要素取付装置()例えば、取付用磁石など)と干渉する可能性がある無線充電電界のワイヤレス充電間で成立しても良いオブジェクトと実装装置(810)と、対象物が係合される取付装置810。、前記筐体を構成する第2遮蔽成分(8412)と第1遮蔽成分(741)は完全性を保護するためのワイヤレス充電に関連する場のワイヤレス充電の関係にある
システムの他の実施形態では、ワイヤレス充電装置を構成する実装装置は、受信装置()例えば、は、受信機を備えるコイル部品)及び前記無線充電装置によって構成されるオブジェクトインターフェイスは、送信装置()例えば、送信機を含むことができるコイル部品)。
別の実施形態においては、オブジェクトインタフェースを取り付けるように構成されるコイル体。オブジェクトインターフェイスを構成してもよいに対して実装装置互換性のあるワイヤレス充電構成要素を構成するオブジェクト内に位置決めしてもよい充電の範囲が前記少なくとも(1つ)の無線充電装置を構成する実装装置と、対象物が部分的に又は完全に係合する取付装置。
さらに他の諸実施形態では、オブジェクトのインタフェースが取り付けられるように構成されコイル体およびを含んでもよい複数のワイヤレス充電構成要素を適応するように構成し機能無線部品を構成するコイル体上の所望の位置にオブジェクト。インターフェース。例えば、被装着物がコイル体受信コイル部品が整列していない対称の軸がコイル体、前記オブジェクト。インターフェースは、第1のワイヤレス充電デバイスと第2の無線充電装置。第1の無線充電装置はワイヤレス送信装置と合わせてもよく、受信機コンポーネントにより構成されるコイル体、第2の無線充電装置はワイヤレス受信装置を取り付け可能に構成され、第1のワイヤレス充電装置。これにより、第2ワイヤレス充電装置を構成することができる機能性をエミュレートする受信コイル部品を構成するコイル体を占有したまま所望の位置、例えば、ワイヤレス充電装置を構成する実装装置である
システムの他の実施形態では、ワイヤレス充電装置を構成する実装装置は、受信装置()例えば、は、受信機を備えるコイル部品)及び前記無線充電装置によって構成されるオブジェクトインターフェイスは、送信装置()例えば、送信機を含むことができるコイル部品)。
別の実施形態においては、オブジェクトインタフェースを取り付けるように構成されるコイル体。オブジェクトインターフェイスを構成してもよいに対して実装装置互換性のあるワイヤレス充電構成要素を構成するオブジェクト内に位置決めしてもよい充電の範囲が前記少なくとも(1つ)の無線充電装置を構成する実装装置と、対象物が部分的に又は完全に係合する取付装置。
さらに他の諸実施形態では、オブジェクトのインタフェースが取り付けられるように構成されコイル体およびを含んでもよい複数のワイヤレス充電構成要素を適応するように構成し機能無線部品を構成するコイル体上の所望の位置にオブジェクト。インターフェース。例えば、被装着物がコイル体受信コイル部品が整列していない対称の軸がコイル体、前記オブジェクト。インターフェースは、第1のワイヤレス充電デバイスと第2の無線充電装置。第1の無線充電装置はワイヤレス送信装置と合わせてもよく、受信機コンポーネントにより構成されるコイル体、第2の無線充電装置はワイヤレス受信装置を取り付け可能に構成され、第1のワイヤレス充電装置。これにより、第2ワイヤレス充電装置を構成することができる機能性をエミュレートする受信コイル部品を構成するコイル体を占有したまま所望の位置、例えば、ワイヤレス充電装置を構成する実装装置である
別の実施形態においては、オブジェクトインターフェースが適合するように構成されたコイル体を非ワイヤレス充電装着装置、実装装置(610)を図(20a)に示されている。例えば、オブジェクトインターフェースをサポートすることができる充電器支持体、の第1の側に帯電器支持は、無線送信装置。無線送信装置を構成してもよい近接する無線受信機コンポーネントにより構成されるコイルと、設定対象のインターフェースが取り付けられているコイル体。第2の側は充電器支持体には、複数のインターフェースコネクタ、前記複数のインタフェースのコネクタが構成された複数の装置コネクタによって構成される装着装置との電気的接続を確立することができる取付装置および物体インターフェースオブジェクトインターフェースが係合する取付装置。したがって、オブジェクトインターフェースを係合させる取付装置および電気的接続が確立される、帯電器支持するよう構成することができるワイヤレス充電コイルオブジェクト、前記無線送信装置によって構成される帯電器支持によって電力を供給され得る電気的接続。このような機能が望ましいこともあるが、例えば、携帯型電子機器は、充電ポートと無線充電及び取り付け解決策が利用可能でない
様々な実施例では、磁石によって構成される装着装置またはオブジェクト。インターフェース()例えば、マグネット取付、調整成分の公称鉄系金属成分など)を構成してもよい少なくとも(1つ)のワイヤレス充電デバイスの無線充電間で成立しても良いオブジェクトと取付装置と、対象物が係合される取付装置。言い換えると、コンポーネントを実装装置を妨害し得る無線帯電電界()例えば、電磁場)に関連付けられた前記少なくとも(1つ)の無線充電装置を構成することができる少なくとも(1つ)のワイヤレス充電装置に、無線充電用電磁場が乱されない()すなわち、適切に機能する)例えば第1取付マグネットと第2のマグネット取付が前記少なくとも(1つ)の無線充電装置磁場のそれぞれの(1つ)に関連する第1のマグネット取付または第2のマグネット取付を実質的に妨害しない()例えば、オーバーラップ)前記ワイヤレス充電関連する磁界の少なくとも(1つ)のワイヤレス充電装置。あるいは、または、さらに、実装装置及び/又はオブジェクトインターフェースを構成してもよい()例えば、を介して遮蔽構成材料、磁束ガイド、キャップ等)からの干渉電力を強磁性成分及び/又は磁界により構成される実装装置および/またはオブジェクトのインターフェースは、実質的に防止できる
さらに他の実施形態では、実装装置は、複数のワイヤレス充電装置、前記複数のワイヤレス充電デバイスに従って構成することができるワイヤレス充電仕様()例えば、qipowermat等)このため、実装装置は、複数のワイヤレス充電デバイスをサポートすることができる複数の無線充電規格()例えば、取付装置と互換性があり得る両qiとpowermat装置)例えば、ワイヤレス充電装置に支持されている係合部材に従って構成できる第1のワイヤレス充電仕様()例えば、qi)ワイヤレス充電装置に支持された中間面に従って構成することができる第2のワイヤレス充電仕様()例えば、powermat)。
いくつかの実施形態において、前記複数のワイヤレス充電デバイスに配置されてよいそれぞれの複数の実装目標領域に複数の無線充電の関係との間に確立できる取付装置と複数の移載対象物。すなわち、実装装置は、複数のオブジェクトを搭載してもよい。無線で同時に充電する、各オブジェクトに適合することができる異なる無線充電規格。
他の実施形態では、コンポーネントの開示された実装装置に組み込まれてもよいまたは既存のワイヤレス充電ベースステーションを追加実装機能をワイヤレス充電ベースステーション。
取付装置又はシステムは、モジュール式構成要素。したがって、いくつかの実施形態では、実装装置は、少なくとも(1つ)のモジュール部品。同様に、オブジェクトインターフェイスは、少なくとも(1つ)のモジュラ。コンポーネントである
任意のコンポーネント、機能、構成要素のグループ、部等の取付装置を構成することができるモジュール式。例えば、係合部材と、中間面、基底面、制御構成要素と、第1取付マグネット、第2マグネット取付、ハウジング、複数の装置コネクタ及び/又は公称成分で構成することができるモジュール部品の搭載装置。同様に、任意の構成要素、特徴、構成要素のグループ、部分、前記オブジェクト。インターフェース構成とすることができるモジュール式の様々な実施形態。例えば、帯電支持、ダイヤル(以下でより詳細に説明する)、インタフェース制御成分第3実装用磁石、中央物体面、二次対象面、複数のインターフェースコネクタ、および/または公称成分で構成することができるモジュラコンポーネントのオブジェクトのインタフェースである
機能の実装装置、オブジェクトインタフェース、またはシステムに依存して異なり得る数および/またはタイプのモジュール式の構成要素と共に存在する実装装置、オブジェクト。インターフェース、またはシステムの構成と同様ように、(S)()例えば、相対的な位置決め等)のモジュラコンポーネント(単数または複数)。例えば、実装装置は、第1のモジュラ装置部品は、第1の装置の機能を。第1のモジュラ機器部品を構成する実装装置が除去され、代わりに第2のモジュラー装置部品、第2のモジュラー装置コンポーネントと異なっていてもよい第1のモジュラ装置部品。これにより、実装装置()すなわち、同じ実装装置)前記第2のモジュラー装置部品は、第2の装置の機能を、前記第2の装置の機能は、第1の装置とは異なる機能性。同様に、オブジェクトインターフェイスは、第1のモジュール式インターフェース部品は、第1のインターフェース機能、前記オブジェクト。インターフェースを含む、第2のモジュール式インターフェース部品は、第2のインターフェース機能。また、システムを構成する実装装置及びオブジェクトインタフェース(上述のように、)は、第1のシステムの機能()例えば、実装機能の係合を有する実装装置を第1の装置の機能性及びオブジェクトインターフェイスの第1のインターフェース機能)と、第2のシステム機能()例えば、第1の装置の機能と第2のインターフェース機能)、第3のシステム機能()例えば、第2の装置の機能性及び第1のインターフェース機能)又は第4のシステム機能()例えば、第2の装置の機能と第2のインターフェース機能)の構成に応じて実装装置とオブジェクト。インターフェースを含むシステムである
一実施形態では、第1のシステムの機能に対応してもよい第1の全係合力オブジェクトのインタフェース及び実装装置、対象インタフェースが係合(装着する)取付装置と、第2のシステムの機能に対応してもよい第2の全係合力、第3のシステム機能に対応することができる第3の全係合力、従って、全係合力をシステムは調整可能でもよい。同様に、全係合力を実装装置は調整可能でもよい。
さらに、いくつかの実施形態では、取付装置とせず機能できる少なくとも(1つ)のモジュール式の装置構成要素()例えば、有用である、望ましくは、および/または、所定の方法で、機能性の実装装置において、上記位置決め機能が異なっていてもよい)同様に、ある実施形態では、オブジェクトのインタフェースとせず機能できる少なくとも(1つ)のモジュール式インターフェースコンポーネント。更に、システムは、機能しない少なくとも(1つ)のモジュラ装置部品なしに及び/又はその少なくとも一方のモジュラインタフェース部品である
いくつかの実施形態では、実装装置は、少なくとも(1つ)のモジュール部品。この係合部材を構成することができるモジュール部品の搭載装置。あるいは、または、さらに、面係合部材又は面係合部材コンポーネントを構成することができるモジュール部品の搭載装置。いくつかの実施形態では、係合部材コンポーネントを構成することができるモジュール部品の搭載装置。例えば、少なくとも一部のモジュールのような係合部材が係合部材コンポーネント、メッシュを備え得る材料()例えば、メッシュ構成金属チェーン。リンクまたは布、及びメッシュ材料は、移動することを可能にする面を係合部材及び/又は第2のマグネット取付を実質的に固定された構成では、係合部材成分はない。
また、二二の取付磁石で構成することができるモジュール部品の搭載装置。いくつかの実施形態では、第2のマグネット取付構成することができるモジュラコンポーネント係合部材。また第1実装用磁石で構成することができるモジュール部品の搭載装置。いくつかの実施形態では、第1のマグネット取付構成することができるモジュール部品を中間面。
さらに、いくつかの実施形態では、ベース面に構成してもよいモジュール部品の搭載装置。更に、又は、あるいは、制御部品を構成することができるモジュール部品の搭載装置。制御部品を構成することができるファスナーのいくつかの実施形態である
取付装置は、ベイのベイ構成することができるモジュール部品の搭載装置。また、本発明の取付装置は、複数のベイをいくつかの実施形態。
取付装置は、モジュラハウジング。いくつかの実施形態では、モジュールハウジングのように構成することができる滑動可能に収容する少なくとも一部の実装装置、モジュールハウジングを構成してもよいに対する該少なくとも一部の実装装置に摩擦力が生じるモジュラハウジングの前記少なくとも一部は、前記搭載装置、モジュラハウジングの前記少なくとも一部の実装装置。また、摩擦力は、モジュラハウジング取り外し可能に取り付けられる前記少なくとも一部の実装装置の締結具を用いないで、。
図(28(a)には、実装装置(910)が示されており、実装装置(910)は、複数のモジュール式の構成要素。取付装置(910)は、モジュール係合部材(914)、その係合部材(914)がその内部に取り外し可能に取り付けられた中間面912。例えば、モジュール式係合部材(914)は、滑動可能に収容する中間面(912)を介して第1の上部開口(991)の中間面(912)に係合させたとき、部材(914)の収納状態では。同様に、係合部材(914)を介して、取り外し自在に第1上部開口991。あるいは、いくつかの実施形態、前記係止部材(914)にねじ込むことができる、スナップ嵌めなど中間面(912)に
図(28(a)、(b)、前記係止部材(914)は、複数の係合部材の構成要素(本実施例では5個)入れ子、及び入れ子式構成、と第2取付磁石(940)によってサポートされてもよい面(988)'は、係合部材部品。そのため、第2取付磁石(940)は取り外し可能であってもよいこの実施形態では、支持されているので係合部材(914)、とで構成し、モジュール部品の搭載装置(910)では、上述のように、。
いくつかの実施形態では、取付装置は、モジュール式の第2取付磁石、第2のマグネット取付がに取り外し可能に取り付けられた係合部材。例えば、係合部材コンポーネントを第2取り付け磁石に取り外し可能に取り付けられた他の前記複数の係合部材を含むコンポーネント係合部材。あるいは、または、さらに、面係合部材を支持する部品第2のマグネット取付構成することができるモジュール部品の搭載装置。例えば、モジュラ面は、ねじ、スナップ嵌めなどを伸長係合部材の成分である
中間面(912)を実装装置(910)を支持することができるモジュラ第1取付磁石(930)、第1装着磁石(930)は、保持板を支持するよう構成された複数のマグネット(6本実施の形態)保持板材料から構成することができるが、応答しない磁気本実施形態()例えば、ゴム、プラスチックなど)中間面(912)を構成してもよいをスライド可能に受け入れる第1のマグネット取付(930)を介して第1上部開口(991)の中間面912。、第1のマグネット取付(930)を介して、取り外し自在に第1上部開口(991)、これに対応して、第1のマグネット取付(930)で構成することができるモジュラコンポーネント実装装置(910)は、本実施の形態。他の実施形態において、第1取り付け磁石であっても、複数のモジュール保持板を支持する複数の磁石。
取付装置(910)は、ベイ(913)がに取り外し可能に取り付けられた中間表面(912)のこの実施形態。これに対応して、ベイ(913)に構成してもよいモジュラコンポーネントは実装装置910。取付装置(910)は、モジュールベース面(980)、ベース面(980)はに取り外し可能に取り付けられたベイ913。で示された実施形態において図(28a)、ベース面(980)に解放可能に取り付けられるベイ(913)を介して制御部品960。、この実施形態では、制御部(960)に構成してもよいファスナー。また、制御要素部(960)を適用するように構成できる制御力を第2取付磁石(940)をバイアスするように構成される係合部材(914)に向けて退避状態にする
取付装置(910)は図(28a)は、モジュラハウジング982。モジュールハウジングは完全にまたは部分的に囲む他の部品実装装置/アプリケーション。図(28b)に示した実装装置(910)に係合させたとき、部材(914)が拡張状態及びその他の構成要素の実装装置(910)は、実質的に完全に包囲されたハウジング982。顔(988)'は係合部材であってもよいハウジングと同一平面にする(982)に係合させたとき、部材(914)の収納状態では。追加モジュール式筐体は、様々な方法で構成する当たりアプリケーション。例えば、モジュラハウジングを定めるように構成できる少なくとも(1つ)のアクセス開口モジュラハウジングがアクセスできるように(1つ)または複数の特徴または構成要素()例えば、ポート、入力デバイス等)可能に支持される搭載装置。いくつかの実施形態では、モジュールハウジングの追加の特徴、機能をサポートすることができる、および/または部品の搭載装置などの無線データをアンテナ、無線ラジオ、入力装置、および/または追加の構成要素を実質的に同じであり得るか、または支持するように構成されている要素の機能は、取付装置()例えば、任意の特徴または構成要素により実装装置、より詳細に以下に列挙した)他の実施形態では、モジュラハウジングで構成してもよく、比較的柔軟で曲げやすい材料、例えばゴム、モジュールハウジングを保護するよう構成される実装装置に対する突然の衝撃などのドロップ、ノッキングや振動。さらに他の実施形態において、モジュールハウジングに支持する構成としても良いファスナ取付装置と取付面/アプリケーションである
再び図(28(a)ベイ(913)をサポートするよう構成され得る、交換部品(981)、ベイ(913)はスライド可能に受け入れるように構成された交換部品(981)を介して第2の上部開口(992)はベイ(913)。そのため、交換部品(981)は、取り外し可能に構成されたビア第2頂部開口(992)(交換部品(981)を示す、部分的に挿入された状態で図(28(a)に例示の目的のために、)いくつかの実施形態では、ベイは、支持するように構成された複数の交換部品。一実施形態では、ベイ受け取るよう構成することができる任意のフィールド操作部品、カード、または第1取付磁石、ベイに適応することができる交換可能な構成部品の1つ以上の構成要素の取付装置。例えば、ベイは、複数の電気コネクタ機能性をサポートする交換部品を必要とする電気的接続装置の伝送路()例えば、カード、等)また、ベイのように構成することができるプラグ、コネクタ、入力-出力ポート等当たりアプリケーション。他の交換可能な構成部品を必要としない電気接続フィールドなど、操作コンポーネントまたは第1のマグネット取付、を構成してもよいとの接触を避けるための複数の電気コネクタを構成するベイ又は構成してもよく、非導電性成分又は材料に機能性は、装置内伝送経路を実装装置は実質的に影響されない非電気交換。いくつかの実施形態では、交換可能なモジュール型の装置部品は、共通の部品実装システムである
したがって、オブジェクトインタフェースをサポートするよう構成されうる交換可能なモジュール型の装置部品。同様に、いくつかの実施形態では、取付装置をサポートするように構成できる、交換可能なモジュール式インターフェース部品。例えば、実装装置をサポートするように構成できるモジュール式の充電器支持体、モジュール式充電器支持体が共通の部品実装システム。
交換部品(981)は、全係合に関連する力で装着装置またはシステムが変化する交換部品(981)を取り付け装置910(すなわち、受信された場合に第2のトップ開口992本実施形態)例えば、交換可能な部品(981)は、フィールド操作部品、フィールドの型により操作コンポーネントが変化当たりの前記アプリケーション。例えば、フィールド操作部品は、鉄系金属板、プラスチック板を支持するように構成された少なくとも(1つ)の磁石、アルミニウム板を支持するように構成される複数の鉄金属キャップ等当たりアプリケーション。そのため、交換部品(981)を構成してもよい第1のマグネット取付(930)における磁場関連第1のマグネット取付(930)が実質的に変化し、交換部品(981)が着信側の第2頂部開口(992)、実質的な変化に伴う磁場の第1のマグネット取付(930)の変化に対応し得る全係合力を搭載装置またはシステムにおいて、オブジェクトまたはオブジェクトのインターフェースが係合する実装装置である
他の実施形態では、交換部品(981)を構成してもよい他の構成要素に対する実装装置910(例えば、前記第2装着磁石(940)、制御成分960等)構成とすることができる機能性を変更する前記構成要素()例えば、前記移動係合部材(914)、強度制御力等)
いくつかの実施形態では、交換部品(981)を移動可能な構成としてもよい間前限位置と後方限界位置のラインに沿って係合le。例えば、交換可能な部品を移動可能に構成され得るフィールド操作部品。オブジェクトが完全に係合する取付装置(910)とフィールド操作部品が前記前方限界位置、係合の間に生じる力は第1のマグネット取付(930)および物体()または物体インターフェース)より大きくてもよく、係合の間に生じる力は第1のマグネット取付(930)および物体()または物体インターフェース)と、対象物が完全には係合されて取付装置(910)とフィールド操作部品が前記後方限界位置。したがって、いくつかの実施形態では、全係合力は調整可能でもよい運動を通して交換部品(981)と前限位置と後方限界位置。また、実装装置(910)の構成であってもよく、交換可能な部品(981)は可動であってよい前記対象物を嵌合させた取付装置910。を構成した上で、ユーザが、例えば、移動させるフィールド操作部品を前記前方限界位置にあり、その目的は、より確実に取付装置()例えば、総係止力が大きくなるので、係止力が生成されてもよい、等)、ユーザは移動フィールド操作コンポーネント後方限界位置前に係合解除するようにオブジェクトの解放をオブジェクト実装装置から(910)は少ない労力を必要とする
取付装置および/またはオブジェクトのインタフェースは、少なくとも(1つ)のカード、入力装置、フィールド操作部品、電池、電源、電源アダプタプラグアダプタ、電源ポート、電気機械装置、ドアラッチ、オーディオスピーカ、及び/又は光()例えば、led等が挙げられる)と、前記少なくとも(1つ)のカードのカードコンポーネントである入力装置、フィールド操作部品、電池、電源、電源アダプタ、プラグアダプタ、電源ポート、電気機械装置、ドアラッチ、オーディオ。スピーカ、及び/又は光()例えば、led等が挙げられる)構成することができるモジュラコンポーネント実装装置や目的インターフェースまたはによって支持することができるモジュラコンポーネント実装装置及び/又は対象インタフェース。これに対応して、装着装置、オブジェクトインタフェース、および/または実装システムであってもよい。スマート。いくつかの実施形態。また、任意のモジュール部品の搭載装置、オブジェクトインタフェース、及びまたは取付けシステムを構成してもよいスマート/アプリケーションである
例えば、上記実施の形態図示(28a、)28bでは、交換部品(981)は、バッテリ、電源、電源、電源アダプタ、カード、カード構成、記憶ドライブ、メモリカードリーダ、データポート、電源ポート、無線データ。モジュール()例えば、wifiモジュール、bluetoothモジュール、携帯モジュールなど)、及び/又はフィールド操作コンポーネント(上述のように、)と、ベース面(980)は、支持するように構成される電源アダプタ、プラグアダプタ、バッテリー、電力源、電源、メモリカード読取装置、データポート、出力ポート、取付締結具、及び/又は取付アダプタと係合部材(914)をサポートするよう構成され得る少なくとも(1つ)のワイヤレスデータ成分、無線データ。モジュール、触覚センサ、及び/又は光；中間面(912)をサポートするよう構成され得る少なくとも(1つ)の近接センサ、触覚センサ、動き検出装置、デジタルカメラ、無線データ成分、携帯データコンポーネント、無線データ。モジュール、周囲光センサ、および/または光であり、第1のマグネット取付(930)をサポートするよう構成され得る少なくとも(1つ)のワイヤレスデータ成分；ハウジング(982)をサポートするよう構成され得る少なくとも(1つ)の近接センサ、触覚センサ、動き検出器、デジタルカメラ、無線データコンポーネント、無線データ。モジュール、環境光センサ、及び/又は光による
また、実装装置及び/又は対象インタフェース構成であってもよい第1のモジュラコンポーネント第1の機能と交換することができる第2のモジュラコンポーネントは、第2の機能。例えば、各第1天井開口部(991)及び第2上部開口(992)を受け取るように構成されるいずれか一方の第1のマグネット取付(930)または交換部品981。、いくつかの実施形態では、中間面(912)、ベイ(913)、および/または交換部品(981)は、フィールド操作部品を遮蔽するように構成されるカード又はカード部品を磁気影響から第1取り付け磁石(930)、前記第2装着磁石(940)及び/又は他の構成要素の実装装置910。同様に、オブジェクトのインタフェースは、フィールド操作コンポーネント、及びフィールド操作コンポーネントは、オブジェクト、オーディオスピーカから遮蔽による磁気の影響を電子部品実装装置による
いくつかのモジュラー構成要素取付装置または物体インターフェースは、電力を必要とする。したがって、モジュール型の装置部品を構成してもよい載置装置との電気的接続を確立することができるモジュール型の装置部品と実装装置、モジュール型の装置部品の取付装置。同様に、モジュール式インターフェース部品を構成してもよい対象物に相対的インタフェース、電気的な接続を確立することができるモジュール式インターフェースコンポーネントとオブジェクトインターフェースモジュール式インターフェースコンポーネントを対象物に取り付けてインターフェース。これに対応して、モジュール型の装置部品またはモジュール式インターフェースコンポーネントは、少なくとも(1つ)の電気コネクタ、実装装置またはオブジェクトインターフェイスは、少なくとも(1つ)の対応する電気コネクタ。あるいはまたは加えて、モジュール型の装置部品またはモジュール式インターフェースコンポーネントであってもよい電力または充電をワイヤレス。例えば、モジュラ装置コンポーネントまたはモジュール式インターフェースコンポーネントは、受信機を備えるコイル部品のモジュラー装置部品またはモジュール式インターフェースコンポーネントに参加することができるワイヤレス充電の関係のように、誘導充電の関係。また、上述したように、装着装置またはオブジェクトインターフェース送信機を含むことができるコイル部品、前記送信コイル部品を構成する実装装置又はオブジェクトインタフェースするよう構成することができるワイヤレス充電モジュール型の装置コンポーネント及び/又はモジュール式インターフェース部品を構成する実装装置、前記対象インタフェース及び/又は取付システムに関する
いくつかの実施形態において、モジュラ装置コンポーネントまたはモジュール式インターフェースコンポーネントできるように構成され、共通のモジュラ部品実装システム。取付装置及びオブジェクトインターフェースを構成してもよいが互いに対して相対して構成される共通モジュールコンポーネントは、共通のモジュラコンポーネント取り外し可能に取り付けることができるいずれかの装着装置またはオブジェクト。インターフェース。これに対応して、共通のモジュール部品であってもよい、対象物からの取り外しインターフェースおよび取付装置及びその逆も同様である。例えば、モジュラカード、モジュール方式の取付け用磁石、及び/又はモジュール式充電器支持体は、共通のモジュラコンポーネント実装システムいくつかの実施形態。
また、モジュラカードにおいて、前記モジュラカード取り外し可能に取り付けることができる実質的に同一のモジュラカード、ベイをサポートすることができる実装装置及び/又は対象インタフェース()例えば、共通のベイ)を受信するよう構成され得る(1つ)のモジュラカードおよび/または複数のモジュラカードを取り外し可能に取り付けられた構成。例えば、各複数のモジュールカードは、少なくとも(1つ)の複数の電気コネクタをに装着されるものである対応する複数の電気コネクタに支持された実質的に同一であるモジュール式カード。いくつかの実施形態では、複数の電気コネクタもに取り外し可能に取り付けられた磁気。
同様に、いくつかの実施形態では、各複数のモジュール装置の構成要素を構成してもよい取り外し可能に取り付けられる磁気的である
モジュール式充電器支持体には、カード、伝送路、の複数の電気コネクタがいくつかの実施形態では、モジュール式充電器支持体をカード、伝送路及び複数の電気コネクタを構成することができる共通のモジュラコンポーネント実装システム。例えば、共通の充電器を支持するようにしてもよいし、交換部品の対象インタフェース及び実装装置、前記共通の帯電支持によって支持されてもよい中央物体オブジェクト表面のインタフェースによってサポートすることができる表面実装装置。
モジュラコンポーネント実装装置においては、対象インタフェース、又は取付システムを構成してもよい機能を変更する取付装置、前記オブジェクトのインターフェイスまたはシステム/アプリケーション。例えば、ハウジング(982)材料から構成することができるいずれもない影響や応答する磁性()例えば、アルミニウム、プラスチックなど)あるいは、いくつかの実施形態では、ハウジング(982)が応答するように構成できる磁気。いずれの場合にも、ハウジング(982)を構成してもよい影響を及ぼす機能搭載装置を所定に/アプリケーションである
例えば、ハウジング(982)を構成してもよい第1のマグネット取付(930)に前記関連する磁界は、第1のマグネット取付(930)が実質的に変化させ()例えば、変化する磁束線が、力曲線の強度等を有する)一実施形態では、プラスチックハウジング(982)をサポートすることができる少なくとも(1つ)の磁石、前記少なくとも(1つ)の磁石ハウジングによって支持される(982)は協働して、第1のマグネット取付(930)の間に生じる吸着力は第1マグネット装着(930)および物体()または物体インターフェース)ハウジング(982)に取り付けた装置(910)の間に生じる吸着力は第1マグネット装着(930)および物体()または物体インターフェース)前記ハウジングが装着されていない実装装置910。対応、全係合力を実装装置又はシステムは、それ以上である
あるいは、幾つかの構成ではハウジング(982)を生成してもよいかかる全体との係合力を取付装置および物体。例えば、比較的厚いハウジング(982)は距離が長く第1のマグネット取付(930)および物体()または物体インターフェース)物体が係合する実装装置(910)、との間のより大きな距離と第1のマグネット取付(930)および物体がより少ない()すなわち、より弱い)全係合力。同様に、ハウジング(982)を画定することができる曲面、曲面ハウジングにより画定される(982)はとの間隔が増大する第1のマグネット取付(930)および物体()または物体インターフェース)物体が係合する実装装置910。言い換える、モジュールハウジング構成とすることもできることとの間のエアギャップによって支持された磁石装着装置とによって支持された磁石をオブジェクトまたはオブジェクトインタフェースの方が大きい。さらに他の実施形態では、ハウジング(982)材料から構成することができる応答の磁化()例えば鉄系金属)ハウジング(982)は、磁石で定義されたように。さらに、またはあるいは、ハウジング(982)は、鉄系金属のキャップは、構成を部分的に取り囲む第1のマグネット取付930(又は少なくとも(1つ)の複数の磁石は、第1のマグネット取付(930)。従って、全係合力を実装装置や実装システムは、調整可能な取付具を介して、取外し又は交換するモジュラハウジング(982)が形成されている
実際に、全係合との間に生じる力の取付装置および物体()または物体インターフェース)を決定してもよい全部または一部、相対的に近いことから磁石により構成される実装装置や実装方式()例えば、距離、深さ、エアギャップなど磁石間)並びにそれぞれの磁界に関係付けられる(複数の)磁石()例えば相対強度、形状等の磁場に関連する(1つ)の磁石及び/又は磁石群)、全係合力を実装装置や実装システムは、実質的に介して変更アタッチメント、取外し、または交換など任意のモジュラコンポーネント実装装置や実装システム。
取付装置および/またはオブジェクトのインタフェース構成であってもよい第1のモジュラコンポーネントは、第1の機能と交換することができる第2のモジュラコンポーネントは、第2の機能。一実施形態では、各第1天井開口部(991)及び第2上部開口(992)を受け取るように構成されるいずれか一方の第1のマグネット取付(930)または交換部品981。、中間面(912)、ベイ(913)、および/または交換部品(981)が遮蔽するように構成されるカード又はカード部品を磁気影響から第1取り付け磁石(930)、前記第2装着磁石(940)及び/又は他の構成要素の実装装置(910)のいくつかの実施形態。
このようにして、トータルの係合力を搭載装置またはシステムによって変更することができる着脱、または置換のいずれか又は全てをモジュラ第1取付磁石(930)、モジュラ第2取付磁石(940)、モジュール制御部(960)、または交換部品(981)のいくつかの実施形態である
様々な実施形態は、係合部材又はモジュラー係合部材を構成してもよい機能を強化する実装装置や実装システム、取付システムにおいて、前記実装工程および関連の機能性の実装装置や実装システムは、様々な方法で実行されるアプリケーション毎。このように、システムの物体を載置する載置面が設けられている。システムは、実装装置およびオブジェクト。インターフェース、前記オブジェクトインターフェースが取り付け可能に構成され、被取付対象物の取付装置。取付装置は、中間面と中間面を規定することができ、第1の面。取付装置は、さらに、電気機械式係合部材、前記電気機械係合部材は、少なくとも(1つ)の係合部材成分入れ子と入れ子式構成。少なくとも(1つ)の係合部材成分は第2の平面を規定する。電気機械係合部材はさらに、装置係合ラッチ。オブジェクトインターフェイスは、中央の対象面中央物体表面を画定することができる位置合わせターゲット及びインターフェースラッチキャビティ。
少なくとも(1つ)の係合部材成分により構成される電気機械係合部材取付装置であってもよい間で移動可能に構成し、拡張状態と格納状態の線に沿って、係合は、第1の平面と交差する、前記装着装置が物体の近接をインタフェースする実装装置および実質的な位置合わせは、少なくとも(1つ)の係合部材成分及び前記位置合わせ標的によって規定される中央物体面が電気機械係合部材を付勢する少なくとも(1つ)の係合部材成分の線に沿って係合する
一実施形態では、物体の近接をインタフェースする実装装置及び実質的な位置合わせは、少なくとも(1つ)の係合部材成分及び位置合わせターゲット定義前記中央物体面は電気機械係合部材を付勢する少なくとも(1つ)の係合部材に向かう成分を伸長状態の線に沿って係合。あるいは、いくつかの実施形態では、物体の近接をインタフェースする実装装置及び実質的な位置合わせは、少なくとも(1つ)の係合部材成分及び位置合わせターゲット定義前記中央物体面は電気機械係合部材を付勢する少なくとも(1つ)の係合部材に向かう成分を退避させた状態でラインに沿って、係合。
装置係合支持されるラッチ電気機械的係合部材の間で移動可能に構成し、拡張装置係合ラッチ位置と退避装置係合ラッチ位置にラッチ係合線装置。取付装置において、前記装置は係合方向に付勢されて退避装置係合ラッチ位置にあり、装置係合ラッチ及びインターフェースラッチキャビティないに沿ってほぼ一直線に装置のラッチ係合線、装着装置を構成することができるので、装置係合ラッチに向けて付勢される拡張装置係合ラッチ位置にあり、装置係合ラッチ及びインターフェースラッチ空洞に沿って実質的に整列して装置のラッチ係合線。
前記少なくとも一つの係合部材成分の線に沿って係合が原因で、装置係合ラッチ及びインターフェースラッチキャビティに実質的に整列するように当該対象インタフェース及び実装装置はロック可能に係合する第1の係合力が物を載置する載置面である
いくつかの実施形態では、第1の係止力は、電気機械的係合部材を付勢する少なくとも(1つ)の係合部材に向かう成分を退避させた状態で第2の係止力を、物を載置する載置面。例えば、少なくとも(1つ)の係合部材をバイアスするように構成され物体インターフェースと係合する中間表面を実装装置に第2の締結力。
少なくとも(1つ)の係合部材成分により構成される電気機械係合部材は、延長部と面接合する延長。いくつかの実施形態において、面は、少なくとも(1つ)の係合部材コンポーネントをサポートするように構成できる複数の機器用コネクタ。あるいは、またはさらに、この延長部を前記少なくとも一つの係合部材コンポーネントをサポートするように構成できる複数の機器用コネクタ。
さらに、いくつかの実施形態では、装置係合ラッチサポートするように構成できる複数の機器用コネクタ。
さらに、いくつかの実施形態において、少なくとも(1つ)の係合部材成分を規定することができ、複数の第2の面。言い換えると、電気機械係合部材は、複数の係合部材部品；前記複数の係合部材の構成要素を配置してもよい入れ子と入れ子式構成；前記複数の係合部材の構成要素を規定することができ、複数の第2の面。
電気機械係合装置の係合深さを規定する、前記電気機械係合部材は、装置を定める係合深さの少なくとも一方に、拡張状態又は格納状態となる
いくつかの実施形態の装着システムにおいて中央物体表面を画定することができるキャビティを画定することができる位置合わせ標的。また、空洞部を画定することができるオブジェクト。インターフェース深。更に、インターフェースラッチキャビティに対して配置されてもよいキャビティーにインターフェースラッチキャビティを介してアクセスすることができるキャビティ。例えば、オブジェクトインタフェース、前記インタフェースラッチキャビティにアクセスできる装置係合ラッチを介してキャビティ内実装装置が係合する対象インタフェース。他の実施形態において、中央物体表面はオブジェクトを含み、拡張子を含む実質的に雄型である、前記オブジェクト伸張を構成する中央物体表面を画定することができる位置合わせ標的。オブジェクト伸張を構成する中央物体表面を画定してもよい対象インタフェース深。
実装装置はさらに少なくとも(1つ)の装置の入力装置、前記少なくとも(1つ)の装置は入力装置と通信するように構成可能電気機械係合部材。通信を行う電気機械的係合部材を画定してもよい制御少なくとも移動、又は機能性の、少なくとも(1つ)の係合部材コンポーネント。
少なくとも(1つ)の装置の入力装置は、近接センサ、カメラ、および少なくとも(1つ)の装置は入力装置によってサポートされることができる少なくとも(1つ)の係合部材の成分である
取付装置において、前記少なくとも(1つ)の装置の入力装置で検出し実質的な位置合わせは、少なくとも(1つ)の係合部材成分およびアライメント視標、前記取付装置は、座標移動電気機械係合部材に対する入力によって受信された少なくとも(1つ)の装置の入力装置前記少なくとも一つの係合部材コンポーネントを定義することができる予め定義された装置の係合深さでは、オブジェクトに対してインタフェースによって画定される深さをオブジェクト。インターフェース
また、実装装置は、座標移動を電気機械係合部材に対して入力された前記少なくとも(1つ)の装置入力装置、装置係合ラッチ及びインターフェースラッチ空洞に沿って実質的に整列して装置のラッチ係合線係止中のプロセス。
いくつかの実施形態では、装置係合ラッチは、ラッチ面を画定する。ラッチによって定義される平面装置係合ラッチに設定してよいが実質的に平行な第2平面で定義される少なくとも(1つ)の係合部材部品。いくつかの実施形態では、装置係合ラッチ移動可能な構成としてもよいに応じた方向線係合。
取付装置を構成することができるので、ラッチによって定義される平面装置係合ラッチ位置へ移動可能に前記ラッチ面は装置によって定義された係合ラッチおよび第2の面によって規定される少なくとも(1つ)の係合部材成分が実質的に一致する。
いくつかの実施形態では、装置係合ラッチは、複数の係合部材を係。複数の係合部材のラッチが、の間で移動可能に構成するそれぞれの拡張装置係合ラッチ位置と各退避装置係合ラッチ位置の個々に沿って装置のラッチ係合線である
オブジェクトインターフェイスを構成してもよい載置装置、装置係合ラッチが磁気的に付勢されている拡張装置係合ラッチ位置にあり、装置係合ラッチ及びインターフェースラッチキャビティがほぼ一致する。
オブジェクトインターフェイスを構成してもよい載置装置、装置係合ラッチを機械的に付勢されている拡張装置係合ラッチ位置にあり、装置係合ラッチ及びインターフェースラッチキャビティがほぼ一致する。例えば、電気機械係合部材は、機械的にバイアス装置係合ラッチに向かって延長装置係合ラッチ位置前記装置係合ラッチ及びインターフェースラッチ空洞が実質的に整列するように対象インタフェースと取付装置をロック可能に係合する。
取付装置をサポートするよう構成され得る第1の取付磁石と第1実装用磁石を支持してもよいまた、中間面。第1の実装用磁石は、複数の電磁石。により発生した磁界が、第1マグネット装着が調整可能に構成する。例えば、発生させた磁力で第1マグネット装着するよう構成することができる、動的に強化または弱化する。さらに、または代替的に、第1のマグネット装着するようにしてもよいオン、オフする
また、電気機械係合部材を支持するように構成される第2のマグネット取付。第2の実装によって支持された磁石電気機械係合部材は、少なくとも(1つ)の電磁石。磁界によって生成された第2の実装によって支持された磁石電気機械係合部材が調整可能に構成する。例えば、発生させた磁力で第2取付マグネット構成とすることができる動的に強化または弱化する。さらに、または代替的に、第2のマグネット装着するようにしてもよいオンとオフを切り替えられる。
電気機械係合部材を構成することができるモジュール部品の搭載装置。同様に、第1のマグネット取付構成することができるモジュール部品の搭載装置、第2取り付け磁石で構成することができるモジュール部品の搭載装置。
少なくとも(1つ)の第1の取付用磁石または第2取付磁石を案内するように構成され実質的な位置合わせは、少なくとも(1つ)の係合部材成分およびアライメント視標。
前述のように、いくつかの実施形態、前記実装装置や実装システムを構成してもよい準備するための実装装置を係合及び/又は変更するようにして、装着装置を係合することができる
オブジェクトインターフェイスはさらに少なくとも(1つ)の近距離無線データ転送装置。同様に、この実装装置はさらに少なくとも(1つ)の近距離無線データ転送装置。少なくとも(1つ)の近距離無線データ転送装置によって構成されるオブジェクトのインタフェースは、nfc装置。あるいは、または、さらに、この少なくとも(1つ)の近距離無線データ転送装置によって構成されるオブジェクトインターフェイスは、ブルートゥース装置。取付装置は、スマート、取付装置と通信するよう構成され、前記少なくとも(1つ)の近距離無線転送装置によって構成されるオブジェクトのインタフェース()またはオブジェクト)。
いくつかの実施形態では、取付装置を構成してもよいから覚醒低電力状態の近接に応じて少なくとも一つの物体インターフェース、前記装着対象物、または周辺装置。
さらに、オブジェクトインターフェースを構成してもよいに対して実装装置物体の近接によってインターフェースの少なくとも一つを動作させ第1のマグネット取付または前記第2装着磁石の少なくとも(1つ)の第1の取付磁石または前記二二のマグネット取付が応答するように構成される磁気。
したがって、少なくとも(1つ)の第1の取付用磁石または第2取付磁石を案内するように構成される実質的なアライメントはアライメント対象の少なくとも(1つ)の係合部材成分に応答して物体の近接をインタフェースする実装装置である
取付装置及びオブジェクトインターフェースを構成してもよいように、互いに対して装着装置を識別することができる被装着対象物()例えば、前記対象インタフェースの深さdoの重量は、オブジェクトなど)からの入力に基づいて少なくとも(1つ)の近距離無線データ転送装置によって構成されるオブジェクト。インターフェース。例えば、オブジェクトインタフェース()またはオブジェクト)を生成するように構成できる永続的符号化信号、物体を識別するインタフェース()またはオブジェクト)実装装置及び実装装置調整するよう構成され得る磁気力の少なくとも(1つ)に関連する第1のマグネット取付または第2取付マグネットを所定のレベルに対する被装着物とによって定義されるように、符号化信号。
取付装置は、実質的な位置合わせは、位置合わせターゲット及び前記少なくとも一つの係合部材が前記装着装置を動的に調節する磁気力の少なくとも(1つ)に関連する第1のマグネット取付または第2取付マグネットを所定のレベルに対する被装着物。
いくつかの実施形態では、取り付け装置は、近接する対象物へのインターフェイスは、実装装置は、実装装置を動的に調節する磁気力の少なくとも(1つ)に関連する第1のマグネット取付または第2取付マグネットを所定のレベルに対する被装着物。
いくつかの実施形態では、取付装置を構成することができるように係合前記オブジェクト。インターフェースと、実装装置は、実装装置を動的に調節する磁気力の少なくとも(1つ)に関連する第1のマグネット取付または第2取付磁石事前定義レベルに対象物に対して装着されている
電気機械係合部材により構成される実装装置が支持するように構成される複数の機器用コネクタ。複数の装置コネクタに支持されている電気機械係合部材は、複数の装置のコネクタの部分集合。これに対応して、装着装置が支持するように構成された複数の電気接続部。
オブジェクトインターフェースをサポートするように構成できる複数のインターフェースコネクタ。複数のインタフェースコネクタオブジェクトによりサポートされているインタフェースは、複数のインタフェースコネクタのサブセット。これに対応して、オブジェクトインタフェースをサポートするように構成できる複数の電気的接続部。同様に、実装システムを促進するように構成できる複数の電気的接続部と前記対象物間の取付装置。
取付装置は、座標移動を前記少なくとも一つの係合部材成分により構成される電気機械係合部材に対して入力された前記少なくとも(1つ)の装置の入力装置は、前記複数の機器用コネクタおよび複数のインターフェース。コネクタが実質的に係合して、少なくとも(1つ)の電気的接続が確立されると、取付装置および物体インターフェースと、対象物が装着される装着装置。
装着装置は、スマート。従って、電気機械係合部材であってもよいスマート。さらに、またはあるいは、装着装置が支持するように構成されるカードである
取付装置は、少なくとも(1つ)の認証通信を要する解放対象インタフェース実装装置から発生する。例えば、取り付け装置はロックするように構成され装置係合ラッチ拡張装置係合ラッチ位置まで第1認証通信が受信される。つまり、実装システムにおいて、前記物体にロック可能に係合する取付面までの少なくとも(1つ)の認証通信が受信されると、取付装置、装着装置準備状態にしてもよい解放の受信によって少なくとも(1つ)の認証通信に取付装置を効果的にロック解除されると、少なくとも(1つ)の認証通信。少なくとも(1つ)の認証通信を作製することができるオブジェクトは、インターフェイス、および/または周辺物体/アプリケーション。
例えば、一実施形態では、オブジェクトのインタフェースをサポートすることができる短距離無線データ転送装置、及び近距離無線データ転送装置は、第1認証通信で取付け装置近距離無線データ転送装置の所定の範囲内にある実装装置。近距離無線データ転送装置は、bluetooth装置。他の実施形態では、近距離無線データ転送装置は、nfc装置または同様の技術/アプリケーションである
また、オブジェクトインタフェースをサポートすることができるインターフェース入力装置、前記インターフェース入力装置に提供するように構成される第2の認証通信で取付け装置、インターフェース、入力装置は、所定の入力。例えば、インターフェース入力装置オブジェクトによりサポートされているインターフェイスは、触覚センサ、前記第2認証通信を介して送信され得る電気の間で確立される接続対象インタフェース及び実装装置。
第2の認証通信は、永続的信号は、永続的に送信されるオブジェクト。インターフェースと協働して、永続的触覚入力。例えば、持続的な信号を含む第2の認証通信が発生することができ、ユーザがそのオブジェクトインターフェース()例えば、を見越して解除から物体搭載装置)。
取付装置は、カード、前記カードによって構成される実装装置を受けるよう構成され得る複数の認証の中から通信対象インタフェース。カードによって構成される装着装置と通信するように構成可能電気機械係合制御部材を少なくとも移動、又は機能性電気機械係合部材。いくつかの実施形態において、カードによって構成される装着装置と通信するように構成可能装置係合ラッチ制御を少なくとも移動、又は機能性の装置係合ラッチ。例えば、実装装置を構成することができるアンロック装置の係合時にラッチ第2認証通信が受信されるので、装置係合ラッチに沿って可動できる装置のラッチ係合線。
いくつかの実施例において、電気機械式の係合部材であってもよいスマートである
取付装置は、永続的な離脱力印加される搭載物体は、装置係合ラッチ側に付勢して退避装置係合ラッチ位置にあり、その対象物から離すことができる実装装置。いくつかの実施例において、電気機械式の係合部材は、機械的にバイアス装置係合ラッチに向けて退避装置係合ラッチ位置に応答して永続的な離脱力。
これにより、実装装置を構成することができる区別する永続的な離脱力および非永続的な離脱力、急激な離脱力によるノック、ヒット、または他の意図しない離脱力印加されるオブジェクト()例えば、事故)言い換えると、スマート実装装置および/またはスマート電気機械係合部材を構成してもよい意図を認識する、例えば、ユーザを解放するオブジェクト。
なお、継続時間長は永続的な離脱力解放するために必要なオブジェクトの構成/アプリケーション。例えば、実装システムのために構成された、比較的脆弱なオブジェクト構成であってもよく、永続的な離脱力解放するために必要なオブジェクトを適用しなければならない10秒の意図しない外れが生じにくくなる。あるいは、実装システムのために構成されたオブジェクトに必要取り外し可能、迅速かつ手間をかけずにできるようにしてもよい永続的な離脱力解放するために必要なオブジェクトを適用しなければならない半-第2の離脱が比較的シームレスに経験するユーザである
被写体が離脱する実装装置、取付装置に戻すように構成される少なくとも(1つ)の係合部材コンポーネントをアイドル状態にする。例えば、電気機械係合部材をバイアスするように構成され少なくとも(1つ)の係合部材へ向けて後退状態後の装置係合ラッチが移動される拡張装置係合ラッチ位置から退避装置係合ラッチ位置。言い換えると、電気機械係合部材であってもよい自動時に後退して係合解除。
このような構成では、オブジェクトがロック可能に係合する取付面、を装着するユーザ機器などの周辺機器を装着可能な装置、に接近することができる搭載物、及び近接周辺装置実装装置は、第1認証通信で取付け装置。ユーザが、触覚入力装置オブジェクトによりサポートされているインタフェース処理において前記対象物を把持する、取付装置が受け付け、第2認証通信とのロックを解除する係合ラッチ装置。これにより、ユーザは、適用することができる離脱力を解放してから対象物載置面。あるいは、装着装置は自動的に後退させる装置係合ラッチおよび/または排出するオブジェクト。インターフェースから中間表面実装装置に応答して第2認証通信。
さらに、いくつかの実施形態では、取付装置をバイアスするように構成され装置係合ラッチ向け退避装置係合ラッチ位置と第2認証通信と永続的な離脱力を同時に受信する
いくつかの実施形態では、取付装置を構成することができる準備するために電気機械係合部材係合解除用の近接に応じて少なくとも一つの物体インターフェース、前記装着対象物、または周辺装置。
さらに、いくつかの実施形態では、インタフェース部分であるラッチキャビティ構成される構成としてもよいオブジェクトインターフェイスラッチ、前記オブジェクトインターフェースラッチに、沿って移動可能とされ、対象インタフェースラッチ係合線。
オブジェクトインターフェイスラッチが沿って移動可能に構成するインターフェースラッチ係合線でない位置のロック係合物間のインタフェース及び実装装置のいくつかの実施形態。例えば、被写体の動きをインターフェースラッチは効果的に閉鎖又はブロックインターフェイスラッチキャビティの幾つかの実施形態。
また、いくつかの実施形態では、取付装置を構成してもよい同一面に係合していないとき。これにより、実装装置において、前記第1平面及び前記第2の面に実質的に一致する取付装置が非係合の状態()例えば、アイドル)。
いくつかの実施形態では、第1平面が、公称面および中間面を画定することができる曲面。同様に、第2の平面は公称平面と面少なくとも(1つ)の係合部材成分を規定することができ、曲面のいくつかの実施形態である
図(28a、)28c、取付装置(910)を構成してもよいし、係合部材(914)と交換可能な電気機械式係合部材914R。上述したように、取付装置において、前記装置の伝送路が一体構造全体にわたって取付装置との電気的接続を確立することができるそれぞれの間に複数のモジュラー装置部品及び実装装置。言い換えると、複数のモジュール式装置の構成要素によって構成される実装装置を構成することができるように互いに相対必要な電気的接続のいずれか(1つ)によって複数のモジュラー装置コンポーネントによってサポートすることのできる実装装置。これに対応して、取付装置を構成することができるので、複数のモジュラー装置構成要素と通信することができる任意の他のモジュラー装置部品。再び図(28(a)、装着装置(910)を構成してもよいし、電気接続を確立することができる前記電気機械係合部材914Rと実装装置、電気機械係合部材914Rの取付装置。図示の実施形態では、中間面(912)をサポートしてもよく、少なくとも(1つ)の電気コネクタを確立するように構成されとの電気的接続を、対応する少なくとも(1つ)の電気コネクタに支持されている電気機械係合部材914Rの
図示(28c)に電気機械係合部材914Rを含んでもよい電気機械式アセンブリが複数の係合部材構成要素が入れ子と入れ子式構成。例えば、電気機械係合部材914Rで構成されてもよいと同様の電動式の伸縮式ズーム組立体デジタルカメラ、前記電気機械係合部材914Rように構成することができる予め定義された最大重量当たりアプリケーション。顔(988)'rの一方に複数の係合部材の構成要素が支持装置の入力装置、近接センサ。
電気機械係合部材914R構成とすることができるスマートで応答するように構成できる所定のやり方からの入力装置の入力装置。によって受信される入力装置の入力装置により処理することができるカード(交換部品(981)によって支持されている実装装置(910)に
顔(988)'rに対する電気機械係合部材914Rをサポートすることができる複数の装置コネクタ(905)、前記複数の装置コネクタ(905)をサポートするように構成できる。容易に複数の電気接続部との間には、被取付対象物の取付装置910。一実施形態、前記複数の装置コネクタ(905)の構成を動的に調整する電気接続型オブジェクトに対して、インターフェース/アプリケーション。いくつかの実施形態では、複数の機器用コネクタは、複数の装置のコネクタの部分集合。例えば、複数の機器用コネクタは、第1の装置のコネクタのサブセット及び第2の装置のコネクタの部分集合。第1の装置コネクタのサブセットをサポートするよう構成され得るパススルーを例えばusbタイプcの接続、前記第2の装置のコネクタのサブセットをサポートするように構成される幹線の電気接続()例えば、交流電力)これに対応して、電気機械係合部材は、電気接続を確立するための複数のオブジェクトのインタフェース支持インターフェースコネクタ及び/又はインターフェースコネクタのサブセットに対して構成さ、前記第1の装置のコネクタの部分集合、第2の装置のコネクタのサブセット、または両方。
取付装置(910)を構成してもよい位置となるように、電気機械係合部材914Rが自動的にかつ動的に相対して調整対象物が近接して搭載されている
電気機械係合部材914R、装置を含み得る係合ラッチ(915)、装置係合ラッチ(915)であってもよい電動および移動可能な構成としてもよいの退避装置係合ラッチ位置拡張装置係合ラッチ位置、電気信号に応答して発生する実装装置910。装置係合ラッチ(915)を示す拡張装置係合ラッチ位置は図(28(c)及び(d)。また、図(28(d)、オブジェクトインタフェース(920)を(その一部を図示する)は、空洞を画定する(975)およびインターフェースラッチキャビティ(974)、インタフェースラッチキャビティ(974)に対して配置されてもよいキャビティ(975)、インターフェース。ラッチキャビティ(974)を介してアクセスすることができるキャビティ(975)。
さらに、いくつかの実施形態では、電気機械式係合部材か又は非モジュール式モジュール、移動可能な構成としてもよいの延長状態と後退状態と、電気信号に応答してのみ、この電気信号によって伝送することができるカード支持され取付装置。例えば、電気機械係合部材を移動可能な構成としてもよいのみその結果によって生成される電気信号のカードは任意の他の影響、との間に生じる吸着力が、係合部材による物体が物体の接近を、上述の実施例で説明。言い換えると、電気機械式係合部材が応答するように構成できる磁気のいくつかの実施形態、前記電気機械的係合するように構成されたレジストの移動が、他の実施形態、に応答して行われ、間に生じる吸着力の電気機械係合部材と前記オブジェクト、前記電気機械係合部材であってもよいのみ電気的に作動する
上述したように、機能性および構成のモジュール式の係合部材が大きく変化当たりの前記アプリケーション。したがって、モジュール構成の実装装置によってユーザは、スイッチを第1の装置の機能性及び第2の装置の機能を交換機を介して第1のモジュール式の係合部材と第2のモジュール係合部材当たりアプリケーション。
モジュール構成の実装装置および/またはオブジェクトインターフェイスは、追加の柔軟性を提供できるとの利点も。例えば、装置の係合の深さda、オブジェクトインタフェースの深さdoおよび/または構成の向き()例えば、実質的に雄または雌構成など)実装装置又はオブジェクトのインタフェースを変更してもよい当たりを経由してアプリケーションの交換または入れ替えをモジュラー装置コンポーネント及び/又はモジュール式インターフェース部品。さらに、またはあるいは、サイズおよび/または形状の構成要素又は特徴取付装置又はオブジェクトインタフェース；前記視覚的美観を実装装置又はオブジェクトインタフェース；および/または機能性を実装装置および/またはオブジェクトインタフェース、等であってもよい、修正を実施するモジュール構成である
一実施形態では、第1のモジュール式のハウジングを画定する第1の開口部に置き換えられてもよい第2のモジュラハウジングの第2の開口部を画定する、幅()例えば、直径、断面積が、等)前記第2の開口とは異なってもよい前記第1の開口。したがって、深さ、幅、機能、及び/又は形状の突出部である係合部材前記係合部材が拡張状態を変化させてもよい取付用の第2のモジュラー筐体。例えば、第2のモジュール式のハウジングは、少なくとも(1つ)の複数のの係合部材を画定するコンポーネント係合部材が実質的に抑制される()例えば、移動できない)前記第2のモジュール筐体の第2のモジュラハウジングの取付装置、に拘束する少なくとも(1つ)の係合部材成分を第2のモジュラハウジングの深さを変更する、幅、機能、及び/又は形状を、係合部材を前記係合部材を付勢して延長状態である。言い換えると、第2のモジュール式のハウジングは、停止部として作用する特徴を少なくとも(1つ)の前記複数の係合部材部品、の移動を阻止する少なくとも(1つ)の係合部材の構成要素の線に沿って係合le。他の実施形態では、第2のモジュール式のハウジングを構成してもよい機能を変更する取付装置との相互作用を介して、少なくとも(1つ)の複数の係止部材に支持されている装着装置である
例えば、第2のモジュール式のハウジングを構成してもよい実質上抑止、ブロック、カバー、係合、少なくとも(1つ)の複数の係止部材/アプリケーションを実質的に変化させる機能の実装装置。さらに、またはあるいは、アタッチメントを第2のモジュラハウジングに変更してもよい外側限界位置olが第2装着磁石、これに対応して、装置の係合の深さda装着装置のいくつかの実施形態。さらに、視覚的美観を実装装置()例えば、色、材料-アルミニウムvsプラスチックvs木材-等)を変化させてもよい第1のモジュラハウジングと、第2のモジュール式筐体。
別の実施形態では、第1のモジュール係合部材を含む実質的に雄型である、前記係合部材は、実質的に面一の中間面待避状態、に置き換えられてもよい第2のモジュラ係合部材を含む実質的に雌構成、前記係合部材を形成するように構成できる伸縮時にレセプタクルが重なった状態で、
さらに他の実施形態では、この機能の実装装置や実装システムは、実質的に変更される交換モジュール装着磁石。例えば、第1の取り付け磁石を複数の永久磁石第1のマグネット取付は、複数の電磁石、機能性の実装装置は、実質的に変更された交換機を介してモジュール部品。例えば、第2の構成では、第1取付用磁石であって、複数の電磁石、できるようにすることができる関連する磁界は、第1のマグネット取付(930)の調整-強くなる、弱くオンおよびオフ等-第1の構成、は、第1取付磁石を複数の永久磁石でなくてもよい。また、モジュール式構成の実装装置またはオブジェクト。インターフェースが構成要素又は特徴は、例えば、電子構成要素または特徴、、アップグレード可能の価値を高め、装着装置または前記対象インタフェースの寿命にわたって実装装置又はオブジェクトインタフェース。
当業者には理解されるであろう多くの実施形態および関連の機能性を達成することができる実装装置や実装システムを介して様々な構成のモジュール式の構成要素が、類似のまたは同様に本明細書に開示したもの
さらに、いくつかの実施形態では、取付装置は、ドアラッチ部品、前記ドアラッチ部品構成とすることができる延長部をドアラッチ部品に沿って可動できるドアラッチ係合線。係合部材は、相対するドアラッチ部品の回転運動()例えば、時計方向、反時計回り)前記係合部材が移動するように構成され前記延在部はドアラッチに沿ってドアラッチ係合線。前記係合部材が応答するように構成できる磁気に移動可能な構成としてもよいのは、拡張状態と格納状態の線に沿って、係合。取付装置において、前記係合部材を付勢して退避状態となり、係合部材が突出しない実装装置、実装装置が係合しない。オブジェクトインターフェイスが取り付け可能に構成されたつまみを取付装置。オブジェクトインターフェイスが応答するように構成できる磁気には、空洞を画定する、前記キャビティを構成してもよいに対して前記係合部材に、前記係合部材を移動させることができる回転()例えば、時計回りおよび/または反時計回り方向)における物体インターフェースが係合する取付装置。例えば、係合部材は、八角形の延長部との接合面の延長、前記キャビティは、逆数八角形構造を受けるよう構成された係合部材は、上記ノブが装着される装着装置。の間に生じる吸着力対象インタフェース及び実装構成とすることができる近接ノブ取付装置は、係合の間にノブと装着装置に装着するノブ取付装置に関する
ノブが係合する取付装置、捻る力印加されるノブを操作することができるドアラッチ部品に移動してもよい前記延在部はドアラッチに沿った分力はドアラッチ係合線。それに対応して、一実施形態では、装着装置を構成することができる相対するようにドアをドアラッチ部品機能同様または類似の方法で標準のドア。ラッチ組立体は、ノブが係合する取付装置。別の実施形態では、実装装置を構成することができるのは、キャビネットドアのドアラッチ部品の機能を、同じまたは類似の方法でチャイルドプルーフロック前記延在部はドアラッチに沿って位置決めされ、ドアラッチ係合線の前記延在部はドアラッチに係合して、内側部分をキャビネット。いずれの実施例においては、ドアラッチ構成要素は、動作可能に構成された場合にのみ、上記ノブを係合する取付装置、装着装置であってもよい時に面一にノブが係合していない取付装置。これを受けてドアラッチ部品装着装置は、実質的に動作不能()例えば、ドアを開くことができず、筐体を開くことができない等)、装着装置が解放状態にある。したがって、ユーザが希望する積み込み、hide、払い出しの到達、つまみたいときには、ドア、キャビネットなどのままアクセスできない。
また、上述のように、いくつかの実施形態ではオブジェクトインタフェースをサポートするように構成できるモジュール式の構成要素の機能を追加または汎用性を増大させる対象インタフェース及び/又は取付システム。例えば、上述のように、帯電器支持体に構成してもよいモジュラコンポーネントオブジェクトインタフェース。同様に、オブジェクトインターフェイスは、種々の他のモジュラコンポーネントの影響または変更するシステムの機能性を様々な方法で。
図(29)において、オブジェクトインターフェイス(620)が示される、前記オブジェクトインターフェース(620)は、ケースを携帯電子装置。オブジェクトインターフェイス(620)を含むことができるモジュラダイヤル(6230)、ダイヤル(6230)によってサポートすることのできる中央物体面626。ダイヤル(6230)が取り付けられるように構成される延長面(623)を中央物体面。ダイヤル(6230)に永久に取り付けられ得る、または取り外し可能に取り付けられ、対象インタフェース620。、文字板(6230)は、取り外し可能に構成された()例えば、螺入/出、スナップイン/アウトによって結合されている留め具等を含む)本実施の形態の図(29)では、ダイヤル(6230)は、外面に螺設され(6232)に前記ダイヤル(6230)は取り外し可能に取り付けることができる()例えば、螺合可能な外)この延長面(623)と延長面(623)は、対応するネジを受信できるように、文字板(6230)の
に取り外し可能に取り付け又は恒久的に取り付けられ、ダイヤル(6230)は移動可能な構成としてもよい間最も外側の限界位置olpと最上限位置ilp移動ラインに沿ってlm。したがって、オブジェクトはインタフェース構成であってもよく、オブジェクトインタフェースの深さdoは調整可能である。同様に、オブジェクトインターフェイスは、全係合力が調整可能な。(用語の最も外側の限界位置と最も内側の限界位置となることはないか位置をダイヤル(6230)は内部または外部オブジェクトインターフェース(620)。)例えば、ダイヤル(6230)が最も外側の限界位置olp、第3取付磁石および少なくとも(1つ)の第1の取付磁石または前記二二のマグネット取付の間の距離よりも大きい第3実装用磁石および少なくとも(1つ)の第1の取付磁石または前記二二のマグネット取付ダイヤル(6230)が最内周の限界位置ilp、との間のより大きな距離と第3取付磁石および少なくとも(1つ)の第1の取付用磁石または第2取付磁石と対応することができるより少ない()例えば、弱い)全との係合力を対象インタフェースおよび実装装置における物体インターフェースに完全に係合して()例えば完全に取り付けられている)電子部品実装装置による
いくつかの実施形態では、ダイヤル(6230)を構成してもよい間を移動して、最下限位置olpと最下限位置ilpを介し回動ダイヤル6230。例えば、回転移動するダイヤル(6230)を時計回り方向に移動させることができるダイヤルに向かって最下限位置olp、回転ダイヤル(6230)は、反時計回り方向に移動させることができるダイヤルに向かってその最上限位置ilp。ダイヤル(6230)ように構成してもよいとの間の摩擦力がダイヤル(6230)と中央物体面626(例えば製造前記対応するネジの外表面(6232)ダイヤル(6230)と延長面(623)を中央物体面(626)は図29)を維持することができるダイヤル(6230)との間の位置で最上限位置olpと最も内側の限界位置ilp(ダイヤル(6230)が占有の間の任意の位置に最外側の限界位置olpと最も内側の限界位置ilp移動ラインlmに沿っ)また、文字板(6230)は、トルク力を生成するのに必要な回転運動をダイヤルより大きいに加えられるトルク力の摩擦力によりダイヤル(6230)と実装装置における物体インターフェース()またはオブジェクト)を回転させると係合するときに、この実装装置。したがって、ダイヤル(6230)を移動可能に構成されるように構成してもよい前記ダイヤル(6230)は固定位置を維持する、いずれかのオブジェクトインターフェース(620)又は取付装置(610)が他方に対して回転されると対象インタフェース(620)または実装装置(610)において対象インタフェース(620)を係合させる取付装置。
例えば、対応するネジ山は、ダイヤル(6230)と延長面(623)するように構成することがトルク力を生成するのに必要な回転運動をダイヤル(6230)よりも大きい場合にかかるトルク力の摩擦力によりダイヤル(6230)と実装装置との間の回転移動を対象インタフェースの実装装置。このように構成されるダイヤル(6230)はないへ移動できる最上限位置または最内周限界位置に生じる摩擦力が回転移動することによりオブジェクトインターフェイスと係合するときに、この実装装置。これにより、ダイヤルを構成してもよいして一定位置を維持する線に沿って移動lm(例えば、最も内側の限界位置、最外層の限界位置又は位置の間)回転移動するオブジェクトインターフェイスオブジェクトインターフェースが係合する取付装置。
他の実施形態において、トルク力を生成するのに必要な回転運動をダイヤル(6230)は、ダイヤル(6230)を回転させてもよい()および、これに対応して移動することが最も内側の限界位置又は最上限位置)との間に生ずる摩擦力ダイヤル(6230)と実装装置との間の回転移動を対象インタフェース()またはオブジェクト)と係合するときに、この実装装置。このような構成は、所望の全係合力をシステム動的に増大又は減少させる回転運動に応答して前記対象物又は対象インタフェースと係合するときに、この実装装置である
さらに他の実施形態では、ダイヤル(6230)を有するように構成できる保持力及び/又は伸長力、前記保持力や伸長力に影響を与え得る移動ダイヤルの移動ラインlmに沿っ。この保持力はバイアスダイヤル(6230)の奥方への限界位置ilp、この伸長力をバイアスし得るダイヤル(6230)は最表面側限界位置olp。一実施形態では、ダイヤル(6230)は、ばね負荷留め金機構。ばね負荷留め金機構を生成するように構成できる保持力に応答して、第1のアプリケーションの相互作用力をダイヤル(6230)とを生成するように構成される拡張力に応答して第2のアプリケーションは前記相互作用力をダイヤル6230。、文字板(6230)を移動させてもよい()例えば、トグル)最も内側の限界位置ilpと最上限位置olpに応答して連続するアプリケーションの相互作用力をダイヤル6230。相互作用力に直接適用してもよいダイヤル(6230)際にユーザにより対象インタフェースが係合していない取付装置、または、いくつかの実施形態では、相互作用力に直接適用してもよいダイヤル(6230)際にユーザにより対象インタフェースが係合する取付装置。また、相互作用力が間接的にダイヤル(6230)は、対象インタフェースが係合する取付装置。例えば、相互作用力を適用することができる搭載物()又はオブジェクトインタフェース)、および相互作用力を圧縮することができるダイヤル(6230)と前記対象物間のインタフェース及び実装装置は、ばね負荷キャッチ機構活性化されて、移動させることができるダイヤル(6230)の最も内側の限度位置ilpまたは最下限位置olpの
活性化は、ばね負荷キャッチ機構は、ダイヤル(6230)に移動させて、最下限位置ilp係合()例えば、取り付けられる)構成では、前記合計の係止力を高めることもできる(間の距離が短いため、第3取付磁石少なくとも(1つ)の第1の取付磁石または前記二二のマグネット取付を低下させることができる)活性化することと、ばね負荷留め金機構により前記ダイヤル(6230)に移動させて、最下限位置olp係合構成、全係合力を低下させることができる(間の距離が短いため、第3取付磁石および少なくとも(1つ)の第1の取付用磁石または第2取付磁石を大きくすることができる)従って、全係合力をシステムが動的に変化する対話オブジェクトに加える力インタフェース()またはオブジェクト)対象インタフェースが係合する取付装置。
さらに、いくつかの実施形態では、ばね負荷留め金機構により構成されダイヤル(6230)支援すべく構成され得る、強化、あるいは容易にする解放からオブジェクトの実装装置。例えば、拡張子が力を活性化は、ばね負荷キャッチ機構はダイヤル(6230)はとして効果的に役立つ排出力を克服することができる少なくとも一部の係合解除に要する力を解除(取り外し)から対象物搭載装置。したがって、いくつかの実施形態、文字板(6230)を生成するように構成できる、吐出力である
調整ダイヤル(6230)の最外側限界位置と最も内側の限界位置ilp、このシステムのユーザ(本実施形態では図(29)のユーザがタブレットまたはスマートフォンケースに対する取付装置)を調節することができる強度の全係合との間に生じる力の取付装置および物体インターフェース。したがって、ユーザは、値のセキュリティ()例えば、安らぎをより大きな全係合保持力を彼女のタブレットコンピュータで取付け装置)および希望に比較的強い全係合を保持する保持力を対象インタフェースで取付け装置を調整してもよいダイヤル(6230)に向かってその最上限位置ilpを容易にするために比較的強い全係合力。あるいは、ユーザは、値を容易に使用()例えば、より多くの努力をすることなく取り外し、タブレットコンピュータ)および希望に比較的弱い全係合力を調整することができるダイヤル(6230)に向かってその最上限位置を容易にするために比較的弱い合計との係合力を対象インタフェース及び実装装置。
さらに他の実施形態では、ダイヤル(6230)は、構造()例えば形状など)対象インタフェース(620)に変更することができる。たとえば、ダイヤル(6230)間を動くよう構成され、最下限位置olpと最上限位置ilp(上述のように、)位置に移動可能に一部がダイヤル(6230)から突出している対象インタフェース。突出ダイヤル(6230)を増加させることができるオブジェクト。インターフェースの深さdo、前記対象インタフェースが相対的に大きい部分が前記係合部材と係合するときに、この実装装置。したがって、オブジェクトインタフェース構成であってもよく、オブジェクトインタフェース深さは調整可能である。それに対応して、またはさらに、(1つ)または複数の係合部材要素で構成されていてもよい退避完全に係合すると、オブジェクトインターフェイス前()例えば、ダイヤルを突出位置に移動する)を拡張できると完全に噛合う時に対象インタフェースダイヤルが突出位置にある
実施形態では前記ダイヤル(6230)が取り外し可能である場合、前記オブジェクトの構造をインターフェース(620)により変更してもよい除去ダイヤル(6230)、除去したダイヤル(6230)のサイズを増大し得る()例えば、径寸法、容積等)前記キャビティ675および/または変更することのある構造()例えば、構成、形状、など)略雌レセプタクルを構成するオブジェクト。インターフェース。また、ダイヤル(6230)は、複数のダイヤル部品、上記複数の各ダイヤル部品が着脱可能に構成した。このように、オブジェクトインタフェース(620)によって変更することができ、アタッチメントの追加ダイヤル部品、とアタッチメントを一または複数のダイヤル部品は大きさを減少させるキャビティ(675)と、によって画定される開口キャビティ(675)、および/または構造を変える略雌レセプタクル。(ダイヤル(6230)、追加ダイヤル部品は、永久的にまたは取り外し可能に取り付けられる。)一部の実施形態では、複数のダイヤル部品を配置してもよい入れ子構成。例えば、再び図(29)、ダイヤル(6230)によってサポートされることができるオブジェクトインターフェイス(620)は以上説明したように、ダイヤル(6230)を受けるよう構成され得るダイヤル部品(6231)をに取り外し可能に取り付けられた内面(6238)を含んダイヤル(6230)()例えば両面がねじ切りされ、上述したように、)ダイヤル(6230)とダイヤル部品(6231)が入れ子状態に配置され。これにより、アタッチメントのダイヤル部品(6231)サイズを変更することができるキャビティ675および/または構造が雌レセプタクル。したがって、より多くの又はより少ない段を実装装置()すなわち、係合部材の成分)によって受信することができ、対象インタフェースの構成の結果として、ダイヤルやダイヤル成分によるものである
別の実施形態では、ダイヤル(6230)は、シャッタ組立体は、直径を変更するキャビティ(675)又はによって規定された開口部キャビティ675(例えば、部分的にまたは完全に閉鎖キャビティ(675)ダイヤル(6230)を回転させる。シャッタ組立体は、同じまたは類似の方法を用いて、絞り機構をカメラ。このため、ダイヤル(6230)は、キャビティ(675)は、対象インタフェース(620)は調整可能である。いくつかの実施形態では、ダイヤル(6230)とシャッター組立体を構成してもよいに対するチャネル(608)係合部材(614)の実装装置610(図示19)、及びダイヤル(6230)も移動させるように構成する()例えば、回転させる)シャッタ組立体と係合することのできるチャネル(608)により対象インタフェースが係合する実装装置である
追加ダイヤルコンポーネント(単数または複数)を定義することができる深さ及び追加ダイヤル部品(S)異なっていてもよい深ダイヤル6230。、によって画定される深さに追加ダイヤル部品(S)の深さよりも小さい文字板(6230)、前記キャビティの構造を変更することができるが、階段状の雌レセプタクルには入れ子式構成いくつかの実施形態。もしによって画定される深さに追加ダイヤルコンポーネントの深さよりもダイヤル(6230)、前記キャビティの構造を変更することができるが、階段状の雄望遠鏡には入れ子式構成()例えば、形状と同様とすることができる係合部材の取付装置は、係合部材は、複数の係合部材構成要素が延長状態で、前の実施形態で示し)これにより、アタッチメントの追加ダイヤル成分が変更()例えば、増加する/強化または低下/弱める)全係合力をシステムの距離が近いため、(S)第3取付磁石および少なくとも(1つ)の第1または第2の磁石に変更してもよい、上述したように、構成に応じて、追加ダイヤルコンポーネント(単数または複数)。さらに、各複数のダイヤル部品を移動可能な構成としてもよいそれぞれの最も内側の限界位置と各最上限位置である
重要なことには、ダイヤル(及び、必要に応じて追加ダイヤル部品)オブジェクトインターフェース(620)を構成することもできる、同様または類似のように、係合部材(を含むこれらの実施形態の係合部材を係合部材構成要素を含む)各複数のダイヤル構成要素が応答するように構成できる磁気に移動可能な構成としてもよい間の最も内側の限界位置と各最下限位置(上述のように、)また、上述したように、複数のダイヤル部品を配置してもよい入れ子構成及び/又は入れ子式構成。したがって、いくつかの実施形態では、オブジェクトのインタフェースは、いくつかのまたは全ての部品実装装置、および/または機能と同様に、装着装置。したがって、前述のように、同様のまたは類似の実施形態の実装装置にも適用することができる2以上の筐体()例えば、取付面と移動装置の場合、上記の例では、)互いに取り付けられてよく接合する体同士を、から明らかなように、考察の多くに開示された実施形態である
さらに他の実施形態では、対向面(6235)ダイヤル(6230)は、独立して旋回する構成中央物体面626(又は独立して他の全ての構成要素はオブジェクトインターフェース(620)、いくつかの実施形態)その対向面(6235)が周りを回転するよう構成される対称軸yのオブジェクト。(いくつかの実施形態において、対称軸線yに実質的に対応し得る中心軸xをの係止部材の取付装置は、対象インタフェースが係合する取付装置。)従って、オブジェクトインターフェイス(620)が低減するように構成され動摩擦前記対象インタフェース(620)及び少なくとも(1つ)の係合部材または中間面オブジェクトインターフェース(620)を回転対称軸の周りでyの場合にはオブジェクトインターフェース(620)を係合させる取付装置。言い換えると、対向面(6235)ダイヤル(6230)は維持するように構成できる固定された位置と係合されたとき実装装置を静摩擦力前記対向面(6235)ダイヤル(6230)と少なくとも(1つ)の中間面又は前記係合部材取付装置、対象インタフェースが回転対称軸を中心にy、前記対象インタフェースが低減するように構成され又は実質的に無くす摩擦摩耗の少なくとも一方に、オブジェクトインターフェイスまたは前記少なくとも(1つ)の中間面又は前記係止部材の取付装置、オブジェクトインターフェースを相対回転させる実装装置との係合時に取付装置に関する
さらに、いくつかの実施形態では、ダイヤル(6230)が応答するように構成できる磁気。例えば、ダイヤル(6230)をサポートすることができる少なくとも(1つ)の磁石、前記少なくとも(1つ)の磁石を構成してもよい吸着()又は反発する)1個以上の部品の実装装置。いくつかの実施形態では、ダイヤル(6230)は支持していてもよい第3のマグネット取付物体インターフェース(620)。
さらに他の実施形態では、オブジェクトインタフェース(620)に取り付けるように構成され実質的に同一面に応答するように構成される磁気。実質的に面一の表面であってもよい取付装置および/またはの一片の鉄金属、冷蔵庫、壁等。
第3実装用磁石を構成してもよいに対して実質的に同一面を支持するように対象物の重量にインターフェース(620)およびオブジェクトダイヤル(6230)が係合する実質的に同一面。一実施形態では、対向面(6235)ダイヤル(6230)は支持していてもよい第3のマグネット取付、および第3実装用磁石は、少なくとも(1つ)の相関された磁石。少なくとも(1つ)の相関された磁石が抵抗するように構成されスライド移動()例えば、実質的に平行移動する面と実質的に同一面に位置合わせすることができる重力は、いくつかの実施形態)対向面(6235)ダイヤル(6230)が係合する実質的に同一面、耐摺動運動は、支持物の重量のインターフェース(620)および物体の重力の力に逆らってダイヤル(6230)が係合する実質的に同一面。このような実施形態において、保持強度()例えば耐摺動)前記少なくとも(1つ)の相関された磁石を構成してもよいに対して実質的に同一面とは物体の重さ(とオブジェクト。インターフェース)その物体インターフェースの重量を支持して対象物と係合するときに実質的に同一面である
したがって、いくつかの実施形態では、オブジェクトインターフェイス(620)を含むことができる第3のマグネット取付支持するよう構成されて重量のと、設定対象のインターフェース(620)が実質的に同一係合させる装置()すなわち、係合部材が略面一となる、または凹内、中間面、および/または、そうでなければ、受信されていないキャビティ(675)は、対象インタフェース(620))。
また、ダイヤル(6230)は、前記少なくとも(1つ)の相関された磁石を構成してもよいとは独立に回転する中央物体面620。、オブジェクトインターフェイス(620)を含む第3取付磁石()例えば相関磁石)を支持するよう構成され、物体の重量を容易にすることができる回転運動の場合にはオブジェクトインターフェース(620)を係合する実質的に同一面。このような実施形態では、ダイヤル(6230)を占有してもよい実質的に相対的な固定位置実質的に同一面の係合を介して少なくとも(1つ)の相関された磁石と実質的に同一面、前記オブジェクトインターフェース(620)の回りを回転し得る略位置固定した状態でダイヤル(6230)オブジェクトインターフェース(620)を係合して()例えば、載置され)実質的に同一面である
さらに他の実施形態では、オブジェクト。インタフェース(620)を有するよう構成してもよい実質的に同一面をを取り付けるように構成された係合部材(614)の実装装置(610)において係合部材(614)の収納状態では、係合部材(614)は、支持体の少なくとも(1つ)の相関された磁石を係合するように実質的に同一面を対象インタフェース620。少なくとも(1つ)の相関された磁石前記係合部材(614)は、支持するように構成される物体の重量のインターフェースおよび物体()すなわちレジストスライド力は、以上説明したように、)物体インターフェース(620)を係合させる取付装置(610)、前記係合部材(614)は、回転するように構成され中心軸x待避状態。したがって、搭載物体の回りを回転し得る中心軸xを係合部材(614)に係合する少なくとも(1つ)の相関された磁石を係合部材(614)。
構成システム、装着装置、および/またはオブジェクトのインタフェースを可能にする回転移動搭載物体が望ましいこともある、背景技術多くの現代の携帯型の電子機器(タブレット型コンピュータ、スマートフォン、ディスプレイ等)特徴の自動再表示内容の変化に応じて配向()例えば回転移動)のデバイス。したがって、ユーザの最新の携帯電子デバイスも、慣れて日常的に回転させる装置の通常の使用の間、構成のシステム、実装装置、および/またはオブジェクトインターフェースを簡便、容易に回転装着されているオブジェクトは、よりシームレスな使用体験を携帯装置のユーザである
さらに、いくつかの実施形態では、ダイヤル(6230)が接合されてもよい第3取付磁石(641)、ダイヤル(6230)と第3取付磁石(641)を構成してもよいとは独立に回転する中央物体表面626(及び/又は他のすべての構成要素をオブジェクトインターフェース(620)、いくつかの実施形態)さらに他の実施形態において、ダイアル(6230)が取り付けられるように構成される第3取付磁石(641)と中央物体面(626)に前記ダイヤル(6230)は独立に回転できる第3の取付磁石(641)とは独立して回転し、中央物体面(626)()例えばダイヤル、第3取付マグネット及び前記中央物体面の全てを互いに独立して移動するにも拘わらず、互いに取り付けられる)他の実施形態では、ダイヤル(6230)を構成してもよいと結合する第3取付磁石(641)に回転ダイヤル(6230)は実質的に回転に対応する第3取付磁石(641)の()すなわち、一体的に回転可能である、又はオブジェクトインタフェース(620)を回転させることができるダイアル(6230)と第3取付磁石(641)は静止したままであると係合するときに、この実装装置(610)。このような構成()例えば、対応する間の回転ダイヤルおよび第3実装用磁石)が所望され得る例えば、第3取付磁石(641)は、複数の磁石を実質的に整列している対応する複数の磁石で構成される第1の実装によって支持された磁石の中間表面実装装置、前記配列された複数の第3磁石と、前記複数の第1磁石が生成するのに必要な全係合力オブジェクトのインターフェースを実装する実装装置である
なお、ダイヤル(6230)と追加ダイヤル部品(6231)図(29)は円形断面を有する、ダイヤルおよび/または追加ダイヤルコンポーネント(単数または複数)は、矩形、六角形などの断面の様々な実施形態。
図(30)、システム(1000)は、物体を載置する載置面。システム(1000)は、実装装置(1010)およびオブジェクトインターフェイス1020。取付装置(1010)は、取り付けられるように構成され、取付面、vesaマウント支持するように構成されたテレビ、前記オブジェクト。インターフェース(1020)は、取り付けられるように構成され、被装着物、例えば、テレビに取り付けるようにvesaマウントを介して、取付支柱(1007)。
取付装置(1010)は、中間面(1012)に応答するように構成されて磁気を支持する第1取付け磁石の第1平面。第1の実装用磁石は複数の磁石本実施形態。また、図示するように、装着装置(1010)は、複数の係合部材である
第1の係合部材は、複数の係合部材成分、1014'および1014"、入れ子状態に配置され。第2の係合部材(1014)が間で移動可能に構成し、拡張状態と格納状態の線に沿って、係合は、第1の平面と交差する。第2係合部材(1014)を支持し得る第2取付磁石(複数の第2の磁石組み付け本実施形態)第2のマグネット取付を定義することができる外側の限界位置にあり、第2係合部材(1014)が拡張状態、第2取り付け磁石に画定することができる基底限界位置にあり、第2係合部材(1014)の収納状態では。制御コンポーネント(示されていない)によって支持することができるベース面(図示せず)を取付装置(1010)、前記制御成分を適用するように構成できる制御力を二二の取付によって支持された磁石を第2の係合部材(1014)を付勢することができる第2係合部材(1014)に向けて退避状態にする
第2係合部材(1014)は、延長(1098)と顔(1088)接合延長1098。延長(1098)で構成される第2係合部材(1014)は、第1の延長部(1098)'と第2延長部(1098)"、と第2の係合部材(1014)を構成してもよいを構造的に支持するオブジェクトの係合を介してオブジェクト。インターフェース(1020)の少なくとも一部分と延長、1098"または(1098)"延長(1098)を支えるように構成された少なくとも一部の重量が前記装着対象物。また、延出部(109b)を構成する第1の延在部(1098)'及び第2の延在部(1098)"を有するように構成されうる停止特徴部分(1050)、と停止特徴(1050)を構成してもよい中間面(1012)とベース面(図示せず)を規定するように、外側の限界位置とベース限界位置が二二の取付によって支持された磁石を第2の係合部材1014(、また、延伸状態と後退状態と、係合部材(1014))。
オブジェクト。インターフェース(1020)は、中央オブジェクト表面(1026)と2次物体表面(1024)から間隔をあけられた中央物体面1026。オブジェクトインタフェース(1020)をサポートし得る複数の三三取付磁石。したがって、中央物体面(1026)は、支持する第3取付磁石三三の平面にある、2次物体表面が応答するように構成できる磁気を支持する第3取付磁石第4面。この実施形態では、一方の複数の三三取付マグネットは二次オブジェクト面(1024)、二次オブジェクト面(1024)は、鉄系金属板。同様に、中央物体面(1026)は、複数の三三取付磁石本実施形態、前記中央物体表面(1026)は、鉄系の金属板に設けられた永久磁石により鉄系金属板である
中央物体表面(1026)は、延長面(1023)、および前記延長面(1023)から構成されてもよい第1の延長面部1023'と第2拡張面部1023"拡張表面(1023)が取り付けられるように構成される二次対象面1024を介して二次物体表面(1024)および中央物体表面(1026)により接合する延長面1023。幅()例えば直径本実施形態)前記第1の延出面部1023'は異なる幅の第2延長面部1023"この実施形態、前記第2延長面部1023"の幅より小さくてもよい前記第1の延出面部1023"()すなわち、径してこの第2の延長面部1023"の直径よりも前記第1の延出面部1023')。
対象物が装着される装着装置(1010)、近接を中央物体面(1026)を実装装置(1010)が生成されてもよいとの間に吸引力を中央物体表面(1026)と複数の係合部材成分、1014'および1014"、を引き起こすとの間の係合中心オブジェクト面(1026)及び第1係合部材、及び近接の二次物体表面(1024)を実装装置(1010)は間に吸引力を発生二次オブジェクト面(1024)および第2係合部材(1014)も、係合の間、二次対象面(1024)および第2係合部材(1014)。
第3実装によって支持された磁石の中心オブジェクト表面(1026)を構成してもよい相対的に前記第2取付磁石支持された第1の係合部材、14'と14"のようにオブジェクト。インターフェース(1020)実質的に自己整列取付装置(1010)の係合前の状態である
取付装置(1010)のように構成することができる表面実装装置(1010()例えば、実装目標領域を構成する中間面(1012)及び複数の係合部材)が実質的に面一になる第1の係合部材14'および14"という、と第2の係合部材(1014)が引き込まれた状態、装着装置(1010)は、前記第1の係合部材、14'と14"とし、第2係合部材(1014)が引き込まれた状態で、装着装置(1010)がアイドル。取付装置(1010)は、第2装置の係合の深さdaとの間に形成される第2係合部材(1014)及び第1係合部材、1014'および1014"(と、これに対応して、中間面(1012)この実施形態)第2係合部材(1014)が、それぞれの伸長状態及び第1係合部材、14'と14"はそれぞれ退避状態。オブジェクト。インターフェース(1020)は、対象インタフェースの深さdoが定義される、との間の深さの中心オブジェクト表面(1026)および前記副次的なオブジェクト面(1024)を規定してもよい対象インタフェース深さdoの
中央物体面1026-深さによって規定される第1延長表面部1023'と第2の延長面部1023"を中央物体面の幅()例えば直径)中央物体面1026-及びオブジェクトインタフェースの深さdoを構成してもよい相対的に前記第2の係合部材1014-深さによって規定される第1の延在部(1098)'及び第2延設部(1098)"と第2の係合部材1014-と第2装置の係合の深さdaを中央物体表面(1026)によって受信することができ、第2の係合部材(1014)は、第2係合部材(1014)が拡張状態、前記中央物体面(1026)が、対象物体はインタフェース(1020)が着座する取付装置1010。着座対象インタフェース(1020)は、構造物を支持する、装着装置(1010)を構成してもよいを構造的に支持するオブジェクトの係合を介して前記第1の延出面部1023'を中央物体表面(1026)と第2延長部(1098)"と第2の係合部材(1014)および/または係合を介して第2の延長面部1023"を中央物体面(1026)が第1延在部(1098)'の第2係合部材(1014)には、
また、第1のマグネット取付と第2装着磁石を構成してもよいに対して複数の第3実装磁石の全係合との間に生じる力実装装置(1010)とオブジェクト。インターフェース(1020)の移動を容易にするためオブジェクトインタフェース(1010)に対応する方向の重力は実装工程中に、中心オブジェクト表面(1026)によって受信することができ、第2の係合部材(1014)および、これに対応して、オブジェクト。インターフェース(1020)は、着座する実装装置1010前記オブジェクト。インターフェース(1020)が係合する実装装置1010。言い換える、全係合力を構成してもよい重量に対して被装着物とのようにオブジェクトインタフェース(1020)は、摺動可能に移動に沿って目標実装面積と実装装置(1010)を中央物体表面(1026)によって受信することができ、第2の係合部材(1014)および、これに対応して、オブジェクト。インターフェース(1020)は、着座する実装装置1010前記オブジェクト。インターフェース(1020)が完全に係合する取付装置(1010)を
したがって、本実施の形態に示す図(30)において、対象物が装着される装着装置(1010)、近接する中央物体面(1026)を実装装置(1010)は中央物体面(1026)を実質的に自己整列する第1係合部材に対して中心軸の中心被写体面(1026)は、実質的に整列する中央軸係合部材コンポーネント(1014)"はまた、近接する中央物体面(1026)を実装装置(1010)が生成されてもよいとの間に吸引力を中央物体面1026(例えば、第3のマグネット取付)前記第1の係合部材()例えば、第2のマグネット取付)を引き起こすとの間の係合面の面(1022)を中央物体面(1026)と係合部材成分1014'に加えて、近接する2次物体表面(1024)を第2係合部材(1014)を生成することができるとの間に吸引力を二次対象面1024(例えば、第3のマグネット取付)と第2の係合部材1014(例えば、第2取り付け磁石)を引き起こす係合の間、二次対象面(1024)とフェース(1088)の第2係合部材1014(例えば、第2係合部材14方向に移動され得る拡張された状態となって、係合が生じる)また、近接の二次物体表面(1024)を中間表面(1012)は原因吸引力間に生成すべき二次対象面1024(例えば、第3のマグネット取付)前記中間面(1012)()例えば第1のマグネット取付)及びオブジェクトインターフェース(1020)は、更に移動線に沿って係合方向に向かって中間面(1012)に、
また、上記オブジェクトの移動のインタフェース(1020)の方向に向かって中間表面(1012)は、第1の係合部材、1014'および1014"に向けて移動される退避状態。さらに、オブジェクトインタフェース(1020)は、摺動可能に移動し、中央物体表面(1026)によって受信することができ、第2の係合部材(1014)と、相応する、前記オブジェクト。インターフェース(1020)は、着座する実装装置1010。オブジェクトインタフェース(1020)は、摺動可能に移動するユーザおよび/または重力の力まで、対象物インタフェース(1020)が着座し、したがって構造的に係合する取付装置(1010)。
着座すると、オブジェクトインタフェース(1020)はレジストの係合解除方向への移動に対応するライン係合までの対象物の重量がオフセット()例えば、物体が持ち上げられる)昇降力()例えば、実質的に反対である重力)を離座させる対象インタフェース(1020)から実装装置(1010)、従ってオブジェクトインタフェース(1020)から離脱させる実装装置(1010)の線に沿って係合段階は、上述のように。したがって、システム(1000)は、重量が被を利用することができる追加のセキュリティを提供する()すなわち、構造的セキュリティ)を取付け対象物。また、図(30)に示すように、着座係合を介して第1の延出面部1023'と第2延長部(1098)"と第2の係合部材(1014)または係合を介して第2の延長面部1023"の第1延在部(1098)'の第2係合部材(1014)、装着された物体が中心軸回りに回転中心オブジェクト面とオブジェクト。インターフェース(1020)に完全に係合して()すなわち、係着座)取付装置(1010)。
取付装置(1010)に係合することができる多種多様なオブジェクトのインタフェース及び、内で利用できるさまざまなシステムに加えて、システム1000。例えば、の目的に加えて、インタフェース(1020)、取付装置(1010)に適合してもよく、同じまたは類似のオブジェクトインターフェイス(620)は図(19)、前記対象インタフェース(620)を係合及び係合解除する実装装置(1010)に係合部材を介してコンポーネント(1014)"又は類似のように係合および離脱は、対象インタフェース(620)を係合部材(614)の図(19)に示す、キャビティ(675)を構成する中央物体面(626)を構成してもよい一致のみ係合部材コンポーネント(1014)"はしたがって、前記対象インタフェース(620)は、のみを受信するように係合部材コンポーネント(1014)の実装プロセスにおいて、の他の構成要素との取付装置()例えば、第2係合部材(1014)および係合部材コンポーネント(1014)")は、実質的に後退させ、係合部材コンポーネント(1014)"オブジェクトインターフェース(620)は完全に係合する装着装置1010。さらに、他の実施形態において、オブジェクトのインターフェースを受信するように構成できる係合部材コンポーネント(1014)"で第2の係合部材(1014)を一緒、その係合部材成分14'は、実質的に後退させ、係合部材コンポーネント(1014)"で第2の係合部材(1014)、対象インタフェースが完全に係合する取付装置(1010)を
また、同様の又は類似の実施例では、図(30)に示されている、役割は実装装置(1010)とオブジェクト。インターフェース(1020)は、有効に逆転。例えば、オブジェクトインタフェース(1020)は、取り付けられるように構成されvesaマウント、装着装置(1010)は、実質的に逆の向きに相対して図示(30)、することができ、したがって取り付けられるように構成されテレビを取り付けるためのテレビジョンをvesaマウント。このように構成される第2の係合部材(1014)を構成する実装装置(1010)は機能同様にしてハンガー(477)に示されている図(13)と完全に噛合う時にオブジェクト。インターフェース(1020)。
上述したように、実装装置においては、対象インタフェース、及びまたは取付けシステムを構成してもよい交換をサポートするためにデータを(1)またはそれ以上の無線データ転送装置および/または電気接続するよう構成することができる、スマート。様々な実施形態。従って、複数の取付装置は、装置を含み得る通信システム。次に、図(31)の装置の実施の形態の通信システム(1100)が提供される。
また、先に述べたように、開示された実装方法に適用することができる既存の本体、または既存のボディにボディを修正して所望の機能を達成するための実装装置。また、前述のように、既に説明したように、図(17(a)、(b)、の実施形態の取付装置は、それ自体が他の、公知の実装装置の機能性を高めるための公知の実装装置、実装装置とみなすことができ、実装に対するインタフェースであり、公知の実装装置。図示される系は図(31)に示す(2つ)のそのような実施例/実施形態に
図に示すように、(31)、取付方法を適用してもよい装置ボックス()即ち、スイッチボックスpattressボックスなど)機器ボックスを修正して所望の機能を達成するための実装装置の機能性を高める装置箱。これにより、実装装置(1110a)を設け、取付装置(1110a)は、中間面及び複数の係合部材、沈胴状態において、構成装置のボックスハウジング(1182)。
また、図(31)の実施例に係る取り付け装置が取り付けられている、既知の取付装置(例えば、エジソンねじ本実施形態)機能性を高めることは知られている実装装置、実装装置とみなすことができ、実装に対するインタフェースであり、公知の実装装置。これにより、実装装置(1110b)を設け、取付装置1110で構成されてもよい等または同様にして実装装置(910)を含むことができるモジュール式の係合部材を示す延長状態である、及びモジュラedisonねじに取り外し可能に取り付けられたベース表面実装装置(1110b)。取付装置(1110b)は、熱拡散器又はモジュラー熱拡散成分のいくつかの実施形態である
つまり、実装方法、電気ランプ、又は一部の電気ランプ()例えば、エジソンネジ、図31)ようにしたので、電気ランプを修正して所望の機能を達成するための実装装置。例えば、一実施形態において、取付装置は、取付装置、と同じまたは類似の方法で取付け装置(1110b)、対象インタフェースに装着される被装着物()例えばランプ部へ電気ランプ)実装装置、電気ランプを修正して所望の機能を達成するための実装装置。このような構成の取付システムによってユーザは、迅速かつに容易に着脱できるようにランプから標準電球取付けソケット。また、このような構成は、他のオブジェクトが構成されている互換性のあるオブジェクトのインタフェースで搭載され、標準、電気ランプ取付ソケットと受信電力およびデータを、標準電気ランプ取付ソケットのいくつかの実施形態。
通信の複数の実装装置であって、装置通信システムの範囲は、比較的単純な通信に比較的複雑な当たりの通信アプリケーションと相対する前記各構成では、前記複数の装着装置からなるシステム。例えば、取付装置であって、装置通信システムは、通信するように構成され、有線()例えば、イーサネット(登録商標)、電力線、等)または無線接続を介して、片面、両面、多重等通信；1つ以上のネットワークを介して、および/または任意の実現可能な接続または組合せあたりの接続アプリケーション。いくつかの実施形態では、(1つ)または複数の実装装置その装置からなる通信システムを構成してもよいスマートである
再び図(31)、装置通信システム(1100)を構成してもよい単信通信間の実装装置(1110a)及び1110b取付装置。この係合部材1114cにより構成される実装装置(1110a)はとして機能するように構成できる触覚入力装置()例えば、押しボタン、プッシュスイッチ、抵抗性または容量性のタッチ。センサなど)例えば、搭載装置(1110a)は、押釦スイッチの部品に対して位置決めされて係合部材1114c、装着装置(1110a)のように構成することができる触覚によって受け付けた入力により係合部材1114cに伝達することができる実装装置(1110b)を所定に。この実施形態では、装置通信システム(1100)は構成され得、触覚入力受信前記係止部材1114cが開始するように構成されタスク装着装置(1110b)。
相対的複雑さのタスク実行装置内通信システムが変化当たりのアプリケーションに対して各構成は複数の取り付け装置この装置を有する通信システム。本実施例においては図(31)では、実装装置(1110a)と通信するよう構成された実装装置1110bを介して電力線通信、連続触覚によって受け取られる入力を係合部材1114cが順次開閉する回路により構成される実装装置1110bとの電気的接続が確立された実装装置(1110b)及び搭載物を効果的に接続および切断-この物体はオン/オフ-連続触覚入力係合部材1114cの
あるいは、または、さらに、上記実装装置(1110a)と実装装置(1110b)が無線通信するように構成さ、および、いくつかの実施形態では、取付装置(1110a)と実装装置1110であってもよいスマート。例えば、一実施形態では、入力受信装着装置(1110a)を送信してもよい実装装置(1110b)を介してwifiネットワークが実装装置(1110b)を実行するソフトウェアプログラム。例えばソフトウェア。プログラムを制御するように構成できる可変の強度および色はledランプが装着される装着装置1110gには、所定の方法である
再び図(31)の代替として、または加えて、取付装置(1110a)と通信するよう構成されおよび/または制御の(1つ)または複数の周辺オブジェクト。例えば、装置ボックスハウジング(1182)に支持されている実装装置(1110a)に取り付けられるように構成される配線のインフラストラクチャ()例えば、家庭または建物)を周辺機器に取り付けられた物体、例えば3速の天井ファン。取付装置(1110a)を制御するように構成できる3速天井ファンを介して配線インフラストラクチャ。したがって、いくつかの実施形態では、係合部材1114cはとして機能するように構成できる制御ノブ。例えば、実装装置(1110a)は、二二制御部品、例えばばね負荷留め金機構、前記第2の制御成分の間で移動可能に構成し、延長位置と後退位置との。第2の制御部品を退避位置へ移動させる、前記係止部材1114cの間で移動可能に構成し、延長状態と退避状態の線に沿って係合可能に付勢されて退避状態を第1の制御部品、及び説明されるように、他の実施形態。また、前述の実施形態では、係合部材1114cは、延長部と面接合する延長。第2制御コンポーネントに対して配置されてもよい係合部材1114cに第1の触覚入力係合部材1114c作動させる第2制御成分とし、第2調整成分をバイアスするための可動部と第2の制御部に向かう成分を延出位置にある
第2制御成分が伸長位置に向かって付勢されている、前記第2の制御手段を適用することができる永続的な吐出力を係合部材1114cをバイアスするように構成される係合部材1114cに向けて伸ばした状態。これにより、第2の制御部を構成してもよいを効果的に放出する係合部材に向けて1114c延長状態に応答して、前記第1の触覚入力、前記持続的な吐出力するよう構成することができる永続的バイアス係合部材1114cに向かって伸びた状態で延長係合部材1114cが露出を把握してもよい対照として使用するためにノブを操作する
また、実装装置(1110a)は、アプリケーションを捻る力係合部材1114cにより実装装置(1110a)と通信する周辺オブジェクトを所定の様式。例えば、ユーザが押圧する係合部材1114c()例えば第1の触覚入力)を効果的に放出する係合部材1114c伸展状態、ユーザが把握することができる係合部材1114c及びトルク係合部材1114c略時計方向を順次増加する速度を3速天井ファン。同様に、ユーザは、トルク係合部材1114cに略反時計周りに順次速度を低下させる3速天井ファン。さらに、またはあるいは、装着装置(1110a)は、コントロール用に構成され、物体、ledランプなどと係合する装着装置(1110b)。一実施形態では、実装装置(1110a)はアプリケーションを永続的トルク力を係合部材1114cを反時計方向に徐々に減少するledランプおよびアプリケーションの永続捻る力を係合部材1114c時計方向が徐々に強くし輝度のledランプである
また、相互作用して係合部材1114c、制御ノブがもはや所望されない、取付装置(1110a)よう構成してもよい第2の触覚入力係合部材1114c係合部材1114cを持続的に付勢されている拡張状態を作動させることができる第2の制御構成部品()例えば、スプリング負荷キャッチ機構)第2制御成分をバイアスするための可動部と第2の規制部材を退避位置に向けてによって持続的な吐出力が解消される。その結果、係合部材1114cは再び、の間を移動可能で、拡張状態と格納状態の線に沿って、係合、に効果的により妨げられずに、前記第2制御要素側に付勢して退避させた状態で第1制御部品。
いくつかの実施形態では、取付装置を構成することができるように係合する実装装置、オブジェクトインタフェースを開始するソフトウェア機能である
また、実装装置(1110a)に促進するように構成できる複数のの間に電気的接続を実装装置(1110a)と、被搭載物。図に示すように、(31)、装着装置(1110a)にサポートするように構成できる複数の機器用コネクタ、前記複数の装置コネクタに支持されている実装装置(1110a)は、第1の装置コネクタ部分(105b)と第2の装置のコネクタのサブセット1105e。各コネクタのサブセットによって支持されている実装装置(1110a)に促進するように構成できる商用電源()例えばac電力)接続を適合性のあるオブジェクトインタフェースの構成を前記第1の装置コネクタサブセット(1105b)実質的に同一の構成として、第2の装置のコネクタのサブセット1105e本実施形態。各コネクタのサブセットは、それぞれの装置のコネクタの部分集合がライブのみと係合するときに、対応する複数のインターフェースコネクタ。言い換えると、複数の装置コネクタにより構成される実装装置(1110a)は、非アクティブに設定されるときに非係合状態に。これにより、複数の機器用コネクタを構成する実装装置(1110a)の構成とすることができる安全なタッチ(例えば、人の手に、任意個の金属等)機器用コネクタを生成しない意図しない衝撃又はアーク。例えば、実装装置(1110a)は、認証通信が必要な各機器コネクタサブセットでライブ()すなわち、電気的に機能する)と認証通信を提供することができる互換性のあるオブジェクト。インターフェースは有線又は無線手段を介して前またはその間に係合/アプリケーション。
上述のように、他の実施形態では、実装装置を容易にすることができる複数の電気的接続部()例えば、(1つ)、(2つ)、(3つ)、(4つ)など)様々な種類及び構成/アプリケーション、の各形状は、前記複数の装置のコネクタの部分集合は異なっていてもよいいくつかの実施形態。
いくつかの実施形態において、装置はボックスハウジング(1182)に構成してもよいモジュラコンポーネント実装装置(1110a)。言い換えると、装置ボックスハウジング(1182)が取り付けられるように構成される()例えば、締結する)などの設置面の壁、装着装置(1110a)はに取り外し可能に取り付けられた取付面を介してモジュラー装置ボックスハウジング(1182)、実装装置(1110a)は効果的には、モジュラコンポーネント実装面によりモジュラー装置ボックスハウジング(1182)、装置ボックスハウジング(1182)の取付面。
さらに他の実施形態において、取付装置は、電源プラグや電源コンセント。相応して、加えて、または代えて、係合部材が、電源プラグや電源コンセントである
前述のように、いくつかの実施形態において、物理的本体は、実装装置およびオブジェクトインターフェイスまたは構成要素を含むことができるまたは両特徴を実装装置およびオブジェクト。インターフェース。
例えば、図(32)は、携帯型電源は、(2つ)の視点()例えば、実質的に正面視略背面図である)、およびポータブル電源を形成するように構成できるキャビティと、係合部材を含んでもよい、複数の装置コネクタと、複数のインターフェースコネクタ。ポータブル電源は、支持するように構成される二次電池、スーパーキャパシタ、ウルトラキャパシタ、燃料電池等が当たりアプリケーション。この係合部材は、固定(移動しない)いくつかの実施形態である
一実施形態では、係合部材を支持するように構成される複数の装置コネクタおよび複数のインターフェースコネクタ。例えば、顔の係合部材()例えば、外側部と面)ように構成することができる複数の機器用コネクタ、の内側面と係合部材()例えば、内部と面)ように構成することができる複数のインターフェースコネクタ、前記複数のインタフェースコネクタ及び複数の装置コネクタが接合されて支持されている面を係合部材。これに対応して、実質的に中空の構成この係合部材は、キャビティを画定する、によって規定されるキャビティの係合部材を構成してもよい、機能と実質的に同様に、形成されたキャビティによりオブジェクトインターフェイスの他の実施形態として開示されている。例えば、図(32)に示すキャビティ構成される構成としてもよい、実質的に中空の部分を係合部材上記のように、。
また、上述したように、実施形態の実装装置に別々に適用されうる2以上の筐体、前記装着装置が取り付けられており、互いに接合する体同士を、；および類似の実施形態を構成できることをコネクタに対して適合性のある結合されたときに一方を他方に接合搭載機器を容易にすることができる接続体間。図(32)に示すような実施例の一例である
それに対応して、いくつかの実施形態において、複数の装着装置をサポートするように構成できるデージーチェーン構成に対して所望の電気的接続/アプリケーション。同様に、複数の実装システムがサポートするように構成されるデイジーチェーン構成に対して所望の電気的接続/アプリケーション。
図(33a)及び33bは、いくつかの実施形態の取付装置、補助係合部材は、相対する係合部材を装着装置に補助係合部材が取り付けられている係合部材、取付補助係合部材を前記係合部材取付装置は実質的に機能を変更する係合部材及び/又は取付装置/アプリケーション。補助係止部材は、解放可能に係合する取付装置と合計力又は係合するようにしてもよい係止し、実装装置との係止係合力/アプリケーション。さらに、いくつかの実施形態では、取付装置補助係合部材および/またはオブジェクト。インターフェースは、任意に係止することで、実装装置補助係合部材又はオブジェクトインタフェースが係合する実装装置係止力を生成することができるほか、全係合力である
図(33a)及び33bは、実装装置(1210)と補助係合部材12140が示されている、補助係合部材12140よう構成することができる実質的に変更して機能性係合部材(1214)と実装装置(1210)は、例えば、形状を実質的に変更する係合部材(1214)、追加無線充電機能を実装装置(1210)、実質的に変化し、吸引力に関連した係合部材(1214)と同様に、全体の係合に関連する力で装着装置(1210)は、対象インタフェースが係合する実装装置1210。さらに、補助係合部材12140構成であってもよく、補助係合部材12140も任意に係止することで、実装装置補助係合部材12140が係合し取付装置(1210)にロッキング係合の力を生成することができる加えて、全体の間の嵌合力を補助係合部材12140と実装装置1210。対応、補助係合部材12140と係合することのできる実装装置(1210)と同様または類似の方法で、対象インタフェースとは実質的に変化させる機能の実装装置の、類似のまたは同様のやり方にはモジュール式の係合部材又はモジュラー係合部材部品。
取付装置(1210)は、支持するよう構成された係合部材(1214)に伸びた図示の状態では、)複数の装置コネクタ(1205)及び装置係合ラッチ1215。補助係合部材12140を形成するように構成できるキャビティ12751を含んでもよい第2のマグネット取付(12400)、複数のインタフェースコネクタ(図示せず)、インタフェース伝送路(図示せず)、送信コイル成分12401、オブジェクトインターフェイスラッチ12251に
の間に生じる吸着力実装装置(1210)と補助係合部材12140により補助係合部材12140と実装装置(1210)に係合するようにして作製した全係合力。言い換えると、補助係合部材12140が装着される装着装置(1210)は、実質的に同様の様式では、互換性のあるオブジェクトと、オブジェクトインターフェイス等。
補助係合部材12140は相対する実装装置(1210)との電気的接続を確立することができる取付装置(1210)と補助係合部材12140補助係合部材12140が係合する実装装置(1210)、電気的な接続は、支持するように構成される送信コイル成分または受信機コイル部品、実装装置(1210)は、参加するように構成されたワイヤレス充電関係補助係合部材12140が係合する実装装置(1210)。
一実施形態では、補助嵌合部材12140送信機を含むことができるコイル部品(12401)、装着装置(1210)は、無線で充電する互換対物、対象インタフェースモジュール型の装置部品などの補助係合部材12140が係合する実装装置(1210)。
いくつかの実施形態では、補助嵌合部材12140は受信機を備えるコイル部品、装着装置(1210)であってもよい無線で充電する互換対物、物体界面等補助係合部材12140が係合する実装装置1210。例えば、取付装置は、二次電池および再充電電池は無線で充電する互換対物、補助係合部材12140が係合する取付装置(1210)の
さらに、補助係合部は実質的に変化する前記取付機能係合部材および/または実装装置補助係合部材が係合する取付装置。例えば、前記実施形態で示される図(33(b)では、補助嵌合部材12140を構成してもよい等または同様にして係合部材(14)が示されている図(10)及び/又は係合部材(314)は図(11a)および11bに示されている。このように、搭載物に自由に移動できる顔に関する12880補助係合部材12140()例えば、回転枢等)前記オブジェクトを操作することができる好適な向きに確実に取り付けられた時を介し全係合力により構成される実装装置(1210)に補助係合部材12140が係合する実装装置(1210)。
また、この実施形態及び他の実施形態、補助係合部は実質的に変化する磁場に関連する実装装置を予め定義されたように。例えば、この補助係合部材は、実質的に調整及び/又は微調整に対する磁場の特定のオブジェクト、対象インタフェース範囲の被写体重みなど。
他の実施形態では、補助嵌合部材サポートするように構成できる(1つ)または複数の入力装置、無線データ転送デバイスなど当たりアプリケーション。
補助係合部材に取り外し可能に取り付けられたおよび/またはロック可能に装着する装着装置/アプリケーション。例えば、再び図(33a)、取付装置(1210)は、装置係合ラッチ(1215)に補助係合部材12140は任意に係止することで、実装装置(1210)に補助係合部材12140が取り外し可能に取り付けられる()即ち、取り付けられ)られた取付装置(1210)の
装置係合ラッチ(1215)との間で移動可能に構成し、拡張装置係合ラッチ位置と退避装置係合ラッチ位置にラッチ係合線装置。図示の実施形態では、図(33(a)及び図(33(b)では、装置係合ラッチを定義することができる拡張装置係合ラッチ位置前記係合方向に付勢されて被装着対象物(および/または補助係合部材、この実施形態)、装置係合ラッチを画定することができる退避装置係合ラッチ位置にあり、装置係合ラッチが離れる方向に付勢され前記装着対象物()例えば、に向けて付勢される中間面、ベース面などの搭載装置の種々の実施形態において)
装置係合ラッチ(1215)が応答するように構成できる磁気、装置係合ラッチ(1215)は付勢されている退避装置係合ラッチ位置制御成分取付装置(1210)は係合部材(1214)が係合しないように、被装着対象物()例えば、オブジェクトと、オブジェクトインターフェイス、補助係合部材等)取付装置(1210)は、装置係合ラッチ(1215)は付勢されている拡張装置係合ラッチ位置に生ずる吸引力によって前記装着対象物と装置係合ラッチ(1215)、被装着側の係合部材1214。例えば、本実施の形態では図(9a)と図(9b)に示す(33a、)(33b)、取付装置(1210)は、装置係合ラッチ(1215)は付勢されているキャビティ12751定義補助係合部材12140間。に生ずる吸引力によって第2のマグネット取付(12400)及び装置係合ラッチ(1215)補助係合部材12140が噛合部材1214。対応、本実施の形態では図(9a)と図(9b)に示す(33a、)(33b)、前記装置係合線に相当する線を係合載置装置(1210)。
少なくとも一部のオブジェクトインターフェイスラッチ移動可能な構成としてもよい閉オブジェクトインターフェイスラッチ位置と開放対象インタフェースラッチ位置にオブジェクトインターフェイスラッチ係合線。例えば、補助係合部材12140図示(33a)と外側部分(図示)オブジェクトインターフェイスラッチ12251に移動させてもよい内側部分(図示せず)オブジェクトインターフェイスラッチ12251閉鎖対象インタフェースラッチ位置と開放対象インタフェースラッチ位置、対象に沿ってインターフェースラッチ係合線である
キャビティ12751によって規定される補助係合部材12140受け取るよう構成することができる(1つ)または両方の係合部材(1214)と装置係合ラッチ(1215)補助係合部材12140が係合する実装装置(1210)の位置に依存して、オブジェクトインターフェイスラッチ12251。
オブジェクトインターフェイスラッチ12251を構成してもよいキャビティに対して12751によって規定される補助係合部材12140および装置に対する係合ラッチ(1215)のキャビティ12751が実質的に阻害される前記物体の少なくとも一部のインターフェースラッチ12251装置に対する係合ラッチ(1215)、オブジェクトインタフェースラッチ12251が閉塞対象インタフェースラッチ位置。さらに、オブジェクトインタフェースラッチ12251構成であってもよく、キャビティ12751は実質的に妨げられない前記装置に対して係合ラッチ(1215)、オブジェクトインタフェースラッチ12251が開放対象インタフェースラッチ位置。
言い換えると、オブジェクトインターフェイスラッチ12251に規定してもよい閉鎖対象インタフェースラッチ位置にあり、キャビティ12751が実質的に阻害される前記物体の少なくとも一部のインターフェースラッチ12251装置に対する係合ラッチ(1215)、前記キャビティ12751を受信しなくてもよい装置係合ラッチ(1215)、オブジェクトインタフェースラッチ12251画定する閉じたオブジェクトインタフェースラッチ位置。このため、オブジェクトインタフェースラッチ12251に規定してもよいオープン対象インタフェースラッチ位置キャビティ12751は実質的に妨げられないでオブジェクトインターフェースラッチ12251装置に対する係合ラッチ(1215)、前記キャビティ12751受信し得る装置係合ラッチ(1215)補助係合部材12140が噛合部材(1214)と対象インタフェースラッチ12251画定オープン対象インタフェースのラッチ位置である
さらに、物体インターフェースラッチ12251画定する閉じたオブジェクトインタフェースラッチ位置、キャビティの一部は12751は、界面を画定するラッチキャビティ。
いくつかの実施形態において、オブジェクトインタフェースラッチまたは同様のコンポーネントはオブジェクト。インターフェースは、画定されたキャビティ前記対象インタフェースが阻害に対する(1つ)または複数の係合部材、係合部材の構成要素で構成される実装装置、これに限定されない、係合部材や係合部材成分は、装置係合ラッチ。
オブジェクトインターフェイスにラッチするようにしてもよいアプリケーション入力の力を前記物体の少なくとも一部のインターフェースラッチをバイアスするように構成されたオブジェクト。インタフェースラッチの(1つ)に向けてオープン対象インタフェースラッチ位置または閉塞対象インタフェースラッチ位置。例えば、一実施形態では、オブジェクトインターフェイスラッチサポートするように構成できる静電容量式センサ、前記対象インタフェースをラッチするようにしてもよいアプリケーション入力の力を、前記容量性センサを有効にトグルされる対象インタフェース間にラッチを開放対象インタフェースラッチ位置と閉塞対象インタフェースのラッチ位置である
再び図(33(a)において対象インタフェースラッチ12251よう構成してもよいアプリケーションの入力圧力を外側部(図示)オブジェクトインターフェイスラッチ12251バイアスするように構成される内側部分(図示せず)オブジェクトインターフェイスラッチ12251に向かう対象インタフェースラッチ位置、前記オブジェクトインターフェースラッチ12251構成であってもよく、内側部分はオブジェクトインターフェイスラッチ12251が自動的に付勢されてクローズ対象インタフェースラッチ位置入力力が除去される。例えば、凹部の外側部分のオブジェクトインターフェイスラッチ12251(すなわち入力力)操作することができるばね組立体をバイアスするように構成される内側部分のオブジェクトインターフェイスラッチ12251に向かう対象インタフェースラッチ位置まで入力力が除去される
このような構成では、補助嵌合部材12140係脱可能取付装置(1210)に装着される装着装置1210。さらに、補助係合部材12140が搭載()すなわち、解放可能に係合し)この実装装置(1210)は、アプリケーションの入力圧力部の外方部分に対してオブジェクトインターフェイスラッチ12251バイアスの内周部で、オブジェクトインターフェイスラッチに向かう対象インタフェースラッチ位置。オブジェクトインターフェイスラッチ12251画定オープン対象インタフェースラッチ位置、キャビティ12751が邪魔されないオブジェクトインターフェースラッチ12251装置に対する係合ラッチ(1215)；との間に生じる吸着力装置係合ラッチ(1215)と第2のマグネット取付(12400)は装置係合ラッチ(1215)を受信キャビティ12751。除去入力力は、内側部分はオブジェクトインターフェイスラッチ12251に自動的に付勢されてクローズ対象インタフェースラッチ位置、オブジェクトインターフェイスラッチ12251画定する閉じたオブジェクトインタフェースラッチ位置、キャビティの一部は12751は、界面を画定するラッチキャビティの前記装置係合ラッチ(1215)；補助係合部材12140が係止し、実装装置(1210)。
図(33b)に示す実装装置(1210)と補助係合部材12140係合時、ロック係止力。
いくつかの実施形態では、装置係合ラッチによってサポートすることのできる中間面、ハウジングまたは別のコンポーネントの実装装置。また、装置係合ラッチを構成してもよい同一面と中間面、前記ハウジング等の取付装置が係合しない
ここで、図(34)では、モジュラオブジェクトインタフェース(1220)が設けられている、前記モジュラオブジェクトインタフェース(1220)が取り付け可能に構成され、被装着物、モバイル。コンピューティング装置()例えば、タブレット型コンピュータ、スマートフォンなど)本実施の形態。また、モジュラオブジェクトインタフェース(1220)を取り付けられるように構成される係合部材(1214)又は補助係合部材12140取付装置(1210)。
モジュラオブジェクトインタフェース(1220)は、対象インタフェースラッチ12252にモジュラオブジェクトインタフェース(1220)は、任意選択的に係止可能に係合取付装置1210。も、モジュラオブジェクトインタフェース(1220)は、モジュラ中央物体面(1222)、前記中央物体面(1222)を構成してもよいし一致している補助係合部材12140により表面開口(1204)と接触面(1202)の表面開口(1204)で構成されることができる()例えば、成形)実質的に同一平面にて係合面12880補助係合部材12140、物体搭載自由に移動できる顔に関する122880補助係合部材12140()例えば回転、旋回等)前記オブジェクトを操作することができる好適な向きに確実に取り付けられた時を介し全係合力により構成される実装装置(1210)に補助係合部材12140が係合する実装装置(1210)。
モジュラオブジェクトインタフェース(1220)を含むことができるモジュール式インターフェースハウジング(1221)、前記インターフェースハウジング(1221)をサポートするように構成された複数のモジュラインタフェース配置される部品の階層構成。例えば、第1の部分をインターフェースハウジング(1221)をスライド可能に受け入れる複数のモジュラオブジェクト。インターフェース。コンポーネント、第2のインタフェース部分であるハウジング(1221)は滑動可能に囲む露出部が、前記複数のモジュラオブジェクト。インターフェース。コンポーネントが摺動可能に受けられた第1の部分によって、インターフェースハウジング(1221)。
このような構成にしてもよいモジュラオブジェクトインタフェース(1220)を高度にカスタマイズ可能な、モジュラオブジェクトインタフェース構成要素は、容易に交換可能である。また、このような構成にしてもよいこの構造形態モジュラオブジェクトインタフェース(1220)及び/又は構造的特徴または構成要素はモジュラオブジェクトインタフェース(1220)に微調整することができる/アプリケーション。
例えば、図(35)は、複数のモジュラー。オブジェクト。インターフェース。コンポーネント(のみ各複数のモジュラオブジェクト。インターフェース。コンポーネントを図示する)と複数のモジュラオブジェクト。インターフェース。コンポーネントを配置してもよい階層構成を画定することができるキャビティ12753はオブジェクト。インターフェース。これに対応して、モジュラオブジェクトインターフェースを含む階段状の構成に複数のモジュラオブジェクト。インターフェース。コンポーネントは非常にカスタマイズ性が高くを提供してもよい自由度の高い動的にカスタム構成するモジュラオブジェクトに対するインターフェースの様々な構成の実装装置/アプリケーション。例えば、モジュラオブジェクト。インターフェース構成要素も変更するように構成可能または動的に調整して、対象インタフェースの深さdo；変化または動的に位置調整対象インタフェースラッチ；変化または動的に位置を調整するための(1つ)または複数の第3磁石組み付けし、総合との係合力を対象インタフェース及び実装装置も対応して変化する；追加、除去又は変更できる位置のモジュール式の充電器支持体及び/又は、協会、深さ及び/又は構成は複数のインターフェースコネクタの取付装置；および/または方法を変更したモジュラオブジェクト。インターフェースは、構造的に係合する取付装置。当業者には理解されるであろう種々の構成によって可能となる階層構成の複数のモジュラインタフェース部品に誘導されるようにこの開示内容。
さらに他の実施形態の実装装置や実装システム、最小限の数の構成要素が必要になることがある所望の機能を実現するための装着装置や装着システム/アプリケーション、実装装置や実装システムを構成することができる重力に対して所望の機能を達成する
例えば、図(36)には、実装装置(1310)が示されている、装着装置(1310)は、係合部材(1314)を(拡張状態である)中間面1312。本例では、係合部材(1314)(のみ)が応答するように構成できる磁気と実装装置(1310)は重力に対してに重力をさらに提供し得る機能性の他のコンポーネントに関連する取付装置の他の実施形態。例えば、実装装置(1310)は、重力に対しての係合が、オブジェクトインタフェースまたは被装着物と中間面(1312)の結果として生じ得る重力に対して被装着物。このように、重力を利用してもよい実質的に同様の機能をする吸着力により製造される、例えば第1取付磁石の別の実施形態。また、実装装置(1310)は重力に対してにと、係合部材(1314)の後に自動的に後退してオブジェクトが装置から切り離さ。このように、重力の力を与えるために利用できる実質的に類似の機能性を制御部品。同様に、実装装置(1310)は重力に対してにと、係合部材(1314)は付勢されている退避状態重力の力で係合部材(1314)は実質的に同一平面で相対する中間面(1312)は、装着装置(1310)は係合しないように、被装着物である
一実施形態では、実装装置(1310)を含み得る際のスタンド基地表面(1380)が実質的に係合して実質的に水平の表面()例えば、テーブルの天板。オブジェクトインターフェイスが取り付け可能に構成され装着装置(1310)とは、電子デバイス()例えば、ノート型パーソナルコンピュータ、tvセットトップボックスなど)係合部材(1314)を構成する実装装置(1310)は、支持するように構成される複数の機器用コネクタ、前記対象インタフェースをサポートするよう構成され得る、対応する複数のインタフェースコネクタとの電気的接続を確立することができる電子機器と取付装置(1310)は、対象インタフェースが係合する実装装置(1310)。
また、中間面(1312)と実装装置(1310)をサポートするように構成できるモジュール式の第1のマグネット取付、モジュール式の第1のマグネット取付任意に取り付けることができる取付装置(1310)を高める全係合力を実装システム、実装装置(1310)は物を支持する場合に取り付けられるベース表面(1380)が取り付けられた実質的に壁等の垂直面。
図(37)は、実装装置(1410)が設けられている、装着装置(1410)のように構成することができる複数の電気的接続部。例えば、複数の電気的接続は、複数のオーディオビデオ接続()例えば、hdmi、コンポジットビデオ、コンポーネントビデオ、toslink等)、および、前記各取付装置(1410)を支持することができる複数のオーディオ-ビデオポートを取り付けられるように構成されるディスプレイ、テレビ等の当たりアプリケーション。複数のケーブルが取り付けられているポートを図示する。複数の係合部材が応答するように構成できる磁気との間で移動可能である、拡張状態及び退避状態。複数の係合部材を示す前記収縮状態の図(37)の各複数の係合部材が支持するように構成され、複数の電気接続支持取付装置1410。対応オブジェクトインターフェースが取り付けられるように構成される、オーディオ。ビデオコンポーネント()例えば、dvdプレーヤ、cdプレーヤ、音響受信器、など)/アプリケーション、オブジェクトインタフェースを構成してもよいに対して実装装置(1410)の間の係合により前記物体インタフェース及び実装装置(1410)を確立することができる複数の電気接続部との間のオーディオ。ビデオコンポーネントおよび表示。このような構成では、ユーザは、迅速かつ容易に連結、分離するオーディオ。ビデオコンポーネントおよびその必要がなく、ディスプレイを挿入または除去するオーディオ-ビデオとの間のケーブル装置。これにより、実装システムとして構成されてもよい間の接続インタフェース装置である
取付けシステムを適用することができる様々な実施形態で係合する複数の物理体、複数の搭載システムを構成してもよいが互いに対して容易に連続的に電気的に接続される物理体。例えば、床取付装置が取り付けられるように構成される()すなわち、これに一体化される)床構成体()例えば、広葉樹材、タイル等)及び配線インフラストラクチャ、例えば、建物を介し装置間伝送路。机は、底部の脚部の机脚オブジェクトインターフェースにおいて、相対する床取付装置によって脚対象インタフェースと係合することのできる床材の取付装置。このような構成において、床取付装置は、効果的にアンカーする机の脚の所定位置該床材に机の脚が摺動可能に可動表面を横切って床係合時。机の脚ようさらに構成することができる支持脚取付装置の上部に脚、前記机にさらに構成され得る支持するデスクトップオブジェクトインターフェースを取り付け可能に構成され脚取付装置に装着する机の脚をデスクトップに()すなわち接合すると共に家具)また、机のように構成することができるデスクトップ実装装置の表面()例えば、デスクトップ)机、及びモニタスタンドは、支持するように構成されたオブジェクト。インタフェース、相対するデスクトップ実装装置モニタスタンドと係合することができるデスクトップ実装装置である
モニタスタンドは、さらに、支持スタンド取付装置、表示パネルを支持するように構成される表示オブジェクトインターフェースにおいて、相対するスタンド取付装置は、表示パネルに実装することもできるモニタスタンド。さらに、複数の実装システムがサポートするように構成される対応する互換性のある電気的接続、デスクとモニタスタンドは、それぞれ、支持するように構成される伝送路にそれぞれ接続されて各取付装置、オブジェクトインタフェース、及び/又は取り付けシステムのそれぞれによってサポートされる机とモニタスタンド。このような構成において、各取付システムが係合される、電気的接続を確立することができる配線間にインフラストラクチャ及び表示パネル。
それに対応して、いくつかの実施形態において、前記取付システムは、高機能中間面により構成される実装装置が応答するように構成される磁気。例えば、係合部材を応答するように構成される磁気とが効果的に組み込まれてカウンタートップと係合するよう構成されたオブジェクト。インタフェースによって支持されているような器具であるマイクロ波。オブジェクトのインタフェースを定義することができるキャビティと係合するよう構成されたときの該係合部材に前記キャビティと前記係合部材はほぼ整列している、との係合、及び取付装置および物体の界面が実質的にアンカーをマイクロ波表面に対してカウンタートップ。したがって、ユーザが、例えば、引っ張る開扉をマイクロ波、マイクロ波は、実質的に固定のユーザによって加えられた力()例えば、力の原因となるため、マイクロ波の表面を横切って移動するカウンタートップ)ことができないが、表面に沿って移動可能なカウンタートップとの間の係合力は、実装装置と物体とのインタフェースである
図(38)に示す実施の形態の装着システムは、複数の実装装置は、被接合、各複数の取り付け装置の構成要素を含んで装着装置及びオブジェクト。インターフェースは、複数の実装装置が接合している。
上述したように、構造および構成要素は図中に示された簡単化され、明瞭にするために、説明を簡単にする。このように、(1つ)又は複数の成分、例えば、ハウジング、固定具、スタンド、旋回などでは、上記でなくてもよく、図に示される。当業者は理解及び評価するであろう方法、システム、および装置は、本明細書で記述することもできる手段が接合用継手、取付、あるいは磁気的に関連付ける一方体と他の、は、他の多くの実施形態および適応形態として実行することのできる案内されるフルコンテンツはこの開示の
例えば、特定の構成及び相対的な寸法及び間隔が添付図面に示されている、当然のことながら、特定の構成が示されているが、説明の目的のために、及び多数の他の構成が可能である。一例としての実施形態は、実装装置を有するように図示され、係合部材の円形の断面を有する、の実施形態は、係合部材を有する正方形、長方形、三角形などの断面。さらに、またはあるいは、構成の外側面の係合部材は追加の特徴の相互作用を強化するための係合部材と前記対象インタフェース。この点で、外側面に前記係合部材がキー入力()例えば、開口部に対応する突起を対象インタフェース)特定のオブジェクトのインタフェースを係合させることができる、オブジェクトのインタフェースを係合させることができる、特定の角度又は方位で、前記装着装置、及び/又は特定の電気コネクタを構成する実装装置及び/又はオブジェクトインターフェースを係合させることができる。他の実施形態においては、外側の面には、係合部材は、穴または他の開口をワイヤまたは他の構成要素を通過する実装装置から物体インターフェースに又はその逆。さらに、当業者は認識するであろう、多数の手段の利用可能なを操作するために、関連する磁場を磁石、磁石群等、と、これに対応して又は追加的に、磁界に関連する実装装置、オブジェクトインターフェイス、または締結システムを実現するためには、所望の機能である
例えば、一一鉄金属キャップ、プレート、磁束ガイド、磁気シールド材料、遮蔽ケージなどを構成してもよい、磁石に対して、複数の磁石、または磁石を強化し、弱化、形状、または他の仕方でそれに影響に関連付けられた磁場は磁石(S)と同様の構成要素(モジュール型または固定)するよう構成することができる影響に関連した磁界の取付装置、オブジェクトインターフェイス、または締結システムを特定の方法。
したがって、当然、本発明を限定するものではない開示される特定の実施形態修正および他の実施形態に含まれることを意図する添付の特許請求の範囲内。特定の用語をここに用いたが、それらは一般的かつ記述的な意味でのみ、限定の目的ではない
【図１】
2017534305.tif 000004
【図２】
2017534305.tif 000005
【図３】
2017534305.tif 000006
【図４】
2017534305.tif 000007
【図５】
2017534305.tif 000008
【図６Ａ】
2017534305.tif 000009
【図６Ｂ】
2017534305.tif 000010
【図６Ｃ】
2017534305.tif 000011
【図７Ａ】
2017534305.tif 000012
【図７Ｂ】
2017534305.tif 000013
【図７Ｃ】
2017534305.tif 000014
【図８Ａ】
2017534305.tif 000015
【図８Ｂ】
2017534305.tif 000016
【図８Ｃ】
2017534305.tif 000017
【図８Ｄ】
2017534305.tif 000018
【図９Ａ】
2017534305.tif 000019
【図９Ｂ】
2017534305.tif 000020
【図９Ｃ】
2017534305.tif 000021
【図１０】
2017534305.tif 000022
【図１１Ａ】
2017534305.tif 000023
【図１１Ｂ】
2017534305.tif 000024
【図１２】
2017534305.tif 000025
【図１３】
2017534305.tif 000026
【図１４】
2017534305.tif 000027
【図１５】
2017534305.tif 000028
【図１６Ａ】
2017534305.tif 000029
【図１６Ｂ】
2017534305.tif 000030
【図１７Ａ】
2017534305.tif 000031
【図１７Ｂ】
2017534305.tif 000032
【図１７Ｃ】
2017534305.tif 000033
【図１７Ｄ】
2017534305.tif 000034
【図１８】
2017534305.tif 000035
【図１９】
2017534305.tif 000036
【図２０Ａ】
2017534305.tif 000037
【図２０Ｂ】
2017534305.tif 000038
【図２１】
2017534305.tif 000039
【図２２】
2017534305.tif 000040
【図２３】
2017534305.tif 000041
【図２４】
2017534305.tif 000042
【図２５】
2017534305.tif 000043
【図２６】
2017534305.tif 000044
【図２７Ａ】
2017534305.tif 000045
【図２７Ｂ】
2017534305.tif 000046
【図２８Ａ】
2017534305.tif 000047
【図２８Ｂ】
2017534305.tif 000048
【図２８Ｃ】
2017534305.tif 000049
【図２８Ｄ】
2017534305.tif 000050
【図２９】
2017534305.tif 000051
【図３０】
2017534305.tif 000052
【図３１】
2017534305.tif 000053
【図３２Ａ】
2017534305.tif 000054
【図３２Ｂ】
2017534305.tif 000055
【図３３Ａ】
2017534305.tif 000056
【図３３Ｂ】
2017534305.tif 000057
【図３４】
2017534305.tif 000058
【図３５】
2017534305.tif 000059
【図３６】
2017534305.tif 000060
【図３７】
2017534305.tif 000061
【図３８】
2017534305.tif 000062
【国際調査報告】
2017534305.tif 000063
2017534305.tif 000064